(57)【要約】【課題】ゲート部および始動入賞部を利用して新たな遊技性を創出する。【解決手段】遊技盤の前面側でゲート入口１０２ａおよびゲート出口１０２ｂが開口するゲート部１０２と、ゲート部１０２のゲート出口１０２ｂの下方に第１始動入賞口１０５ａが配置されて該ゲート出口１０２ｂを通出したパチンコ球が第１始動入賞口１０５ａに入賞可能な第１始動入賞部１０５とを備えた入賞ユニット１００が、遊技盤に配設されて、第１始動入賞部１０５の第１始動入賞口１０５ａに入賞するパチンコ球が事前にゲート部１０２を通過するよう構成され、ゲート部１０２に対応したゲートセンサ８０がパチンコ球を検出することで普図当り判定条件が成立すると共に、第１始動入賞部１０５に対応した始動入賞検出センサ８３がパチンコ球を検出することで特図当り判定条件が成立するようにした。【選択図】図１２
2015097766.tif 000002
【特許請求の範囲】
【請求項１】
遊技球が流下可能な遊技領域が画成された遊技盤に、特別入賞口を開閉手段で開放可能に閉鎖する特別入賞部が配設され、当り判定条件の成立に伴って当り遊技を生起させるか否かが判定されて、当り遊技を生起させる場合に前記特別入賞部の開閉手段を開放作動させて特別入賞口への入賞が許容されるよう構成された遊技機において、
前記遊技盤の前面側で球入口および球出口が開口するよう設けられ、前記遊技領域を流下する遊技球が入球可能な球通入部と、
前記球通入部の球出口の下方に始動入賞口が配置されて該球出口を通出した遊技球が始動入賞口に入賞可能な始動入賞部と、
を備えた入賞ユニットが、前記遊技盤に配設されて、前記始動入賞部の始動入賞口に入賞する遊技球が事前に前記球通入部を通過するよう構成され、
前記球通入部から始動入賞部に流入した遊技球を、当該球通入部に対応した通入検出手段および始動入賞部に対応した始動検出手段の夫々で検出するよう構成され、
前記通入検出手段が遊技球を検出することで前記当り判定条件とは別の判定条件が成立すると共に、前記始動検出手段が遊技球を検出することで前記当り判定条件が成立するよう構成された
ことを特徴とする遊技機。
【請求項２】
前記通入検出手段による遊技球の検出を契機として始動入賞口を開放可能に閉鎖する開閉手段が開放作動される可変始動入賞部を前記始動入賞部とは別に備え、当該開閉手段により開閉される始動入賞口に対応した始動検出手段が遊技球を検出することで前記当り判定条件が成立するよう構成されると共に、
前記球通入部の球出口の下方に配置された前記始動入賞部は、対応の始動入賞口が常時開口するよう形成されて、当該常時開口した始動入賞口に入賞する遊技球が事前に球通入部を通過するよう構成された請求項１記載の遊技機。
【請求項３】
前記入賞ユニットは、前記球通入部の球出口と前記始動入賞部の始動入賞口とが上下方向に並ぶよう配置されて、当該球通入部の球出口および始動入賞部の始動入賞口が球通路で接続されると共に、当該球通路に、遊技球が通過可能な連通口が開口するよう形成されて、当該連通口を介して球通路が遊技領域に連通するよう構成された請求項２記載の遊技機。
【請求項４】
前記球通路の連通口に、当該球通路から離間するにつれて球転動面が下方傾斜する傾斜通路が接続する請求項３記載の遊技機。
【請求項５】
特殊入賞口を開閉手段で開放可能に閉鎖する特殊入賞部を備えると共に、当該特殊入賞部における特殊入賞口の内部に、遊技球の通過が可能な特定領域および非特定領域が設けられ、
前記特定領域に対応した特定領域検出手段が遊技球を検出することで前記当り遊技を生起させるよう構成され、
前記始動入賞部および前記可変始動入賞部の夫々に対応した始動検出手段による遊技球の検出を契機として、前記特殊入賞部の開閉手段を開放作動させるか否かの特殊入賞口開放判定を行う開放判定手段を備え、
前記始動入賞部に対応した始動検出手段による遊技球の検出を契機として特殊入賞口開放判定が行われるよりも、前記可変始動入賞部に対応した始動検出手段による遊技球の検出を契機として特殊入賞口開放判定が行われる場合の方が、前記開放判定手段が肯定判定する割合が高くなるよう構成された請求項２〜４の何れか一項に記載の遊技機。
【発明の詳細な説明】
【技術分野】
【０００１】
本発明は、特別入賞部の開閉手段を開放作動させて特別入賞口への入賞を許容することで当り遊技が生起されるよう構成された遊技機に関するものである。
【背景技術】
【０００２】
代表的な遊技機であるパチンコ機は、パチンコ球(遊技球)が流下可能な遊技領域が画成された遊技盤に、パチンコ球が入賞可能な始動入賞口を備えた始動入賞部や、図柄を変動表示して図柄変動演出を行なう液晶式やドラム式等の図柄表示装置(図柄表示手段)が設けられ、遊技領域を流下するパチンコ球が始動入賞部の始動入賞口へ入賞するのを契機として、図柄表示装置の図柄変動を開始するよう構成されている。このようなパチンコ機では、始動入賞部の始動入賞口へのパチンコ球の入賞を契機として当り判定が行われ、当該当り判定に当選した場合に図柄変動演出の結果として所定の当り表示(例えば同一図柄の三つ揃等)が図柄表示装置に表示され、遊技者に有利な当り遊技が付与される。このような当り遊技では、特別入賞口を開放可能に閉鎖する特別入賞部の開閉部材が開放作動されて、特別入賞口へのパチンコ球の入賞機会が与えられ、遊技者が賞球を獲得し得るようになっている(例えば特許文献１)。
【０００３】
また、このようなパチンコ機には、パチンコ球が入賞可能な始動入賞部として、始動入賞口が常に遊技領域内に開口する固定始動入賞部の他に、開閉部材により始動入賞口を開閉可能な可変始動入賞部が設けられると共に、パチンコ球が通過可能な球通入部としてのゲート部が遊技領域内に配設されている。そして、遊技領域を流下する過程でパチンコ球がゲート部を通過することを契機として可変始動入賞部の開閉部材を開放動作させ、当該可変始動入賞部へのパチンコ球の入賞を可能とすることにより、当り遊技が生起される可能性を高めるようになっている。
【先行技術文献】
【特許文献】
【０００４】
【特許文献１】特開２００４−２８３６１０号公報
【発明の概要】
【発明が解決しようとする課題】
【０００５】
ところで、従来のパチンコ機では、始動入賞部およびゲート部が遊技領域の離れた位置に設置されており、始動入賞口へのパチンコ球の入賞やゲート部のパチンコ球の通過に応じた遊技が個別に進行するに過ぎず、遊技の興趣を高めるには限界があった。また、多くのパチンコ機に始動入賞部やゲート部が備えられていることから、遊技過程において発生する始動入賞部へのパチンコ球の入賞や、ゲート部へのパチンコ球の通過といった事象に対する新鮮味が薄れてしまうことが懸念される。
【０００６】
また、始動入賞部やゲート部を備えたパチンコ機は、遊技領域に打ち出されたパチンコ球の始動入賞部への入賞割合やゲート部への通過割合等を予め定めて、定められた割合で始動入賞部に対してパチンコ球が入賞したり、パチンコ球がゲート部を通過することを前提として所期の遊技を実現させるよう設計されている。ところで、始動入賞部へのパチンコ球の入賞割合やゲート部へのパチンコ球の通過割合は、ゲート部の球入口や始動入賞部の始動入賞口の上部に設けられた遊技釘により大きく影響を受けることから、遊技釘の傾きが意図的に変更されたり、メンテナンス時等の偶発的な遊技釘との接触により不意に傾きが変更された場合には、始動入賞部への入賞割合やゲート部への通過割合が変化してパチンコ機の遊技性に影響を及ぼすおそれがある。ここで、従来のパチンコ機では、始動入賞部およびゲート部は遊技領域の離れた位置に個別に設置されており、ゲート部へのパチンコ球の通過に影響する遊技釘の傾きが変わったのか、始動入賞部へのパチンコ球の入賞に影響する遊技釘の傾きが変わったのか判別することが容易ではない場合もあり、想定した遊技性と異なったパチンコ機が意図せず遊技に供されることにも繋がりかねない。
【０００７】
すなわち本発明は、従来の技術に係る遊技機に内在する前記課題に鑑み、これを好適に解決するべく提案されたものであって、球通入部および始動入賞部を利用した新たな遊技性を創出可能な遊技機を提供することを目的とする。
【課題を解決するための手段】
【０００８】
前記課題を解決し、所期の目的を達成するため、本願の請求項１に係る発明は、
遊技球が流下可能な遊技領域(21)が画成された遊技盤(20)に、特別入賞口(240a)を開閉手段(242)で開放可能に閉鎖する特別入賞部(240)が配設され、当り判定条件の成立に伴って当り遊技を生起させるか否かが判定されて、当り遊技を生起させる場合に前記特別入賞部(240)の開閉手段(242)を開放作動させて特別入賞口(240a)への入賞が許容されるよう構成された遊技機において、
前記遊技盤(20)の前面側で球入口(102a)および球出口(102b)が開口するよう設けられ、前記遊技領域(21)を流下する遊技球が入球可能な球通入部(102)と、
前記球通入部(102)の球出口(102b)の下方に始動入賞口(105a)が配置されて該球出口(102b)を通出した遊技球が始動入賞口(105a)に入賞可能な始動入賞部(105)と、
を備えた入賞ユニット(100)が、前記遊技盤(20)に配設されて、前記始動入賞部(105)の始動入賞口(105a)に入賞する遊技球が事前に前記球通入部(102)を通過するよう構成され、
前記球通入部(102)から始動入賞部(105)に流入した遊技球を、当該球通入部(102)に対応した通入検出手段(80)および始動入賞部(105)に対応した始動検出手段(83)の夫々で検出するよう構成され、
前記通入検出手段(80)が遊技球を検出することで前記当り判定条件とは別の判定条件が成立すると共に、前記始動検出手段(83)が遊技球を検出することで前記当り判定条件が成立するよう構成されたことを要旨とする。
このように、球通入部および始動入賞部を備えた入賞ユニットを遊技盤に配設して、始動入賞口に遊技球が入賞する前に球通入部を通出するようにしたことで、始動入賞口への入賞に伴う当り判定条件の成立と、球通入部の遊技球の通過に伴う当り判定条件とは異なった別の判定条件とが１つの遊技球により同時に成立するため、従来にない新たな遊技性を創出することができる。また、球通入部を通出した遊技球を始動入賞口に入賞させるようにすることで、遊技盤に設けられた遊技釘の状態確認の手間が軽減され、異常の早期発見に寄与し得る。また、球通入部に対する遊技球の通過を制限するように遊技釘の傾きが変更された場合には、同時に始動入賞口に対するパチンコ球の入賞にも影響することに繋がり、遊技機としての遊技の成立に重大な影響を与えることになるため、遊技釘の傾きの不用意な変更を抑制することができる。
【０００９】
請求項２に係る発明は、
前記通入検出手段(80)による遊技球の検出を契機として始動入賞口(105a)を開放可能に閉鎖する開閉手段(107)が開放作動される可変始動入賞部(106)を前記始動入賞部(105)とは別に備え、当該開閉手段(107)により開閉される始動入賞口(106a)に対応した始動検出手段(84)が遊技球を検出することで前記当り判定条件が成立するよう構成されると共に、
前記球通入部(102)の球出口(102b)の下方に配置された前記始動入賞部(105)は、対応の始動入賞口(105a)が常時開口するよう形成されて、当該常時開口した始動入賞口(105a)に入賞する遊技球が事前に球通入部(102)を通過するよう構成されたことを要旨とする。
このように、球通入部に対応した通入検出手段による遊技球の検出に関わらない始動入賞部を球通入部の下方に配置することで、可変始動入賞部が開放作動していない状態でも、始動入賞口への入賞と球通入部の遊技球の通過とを１つの遊技球により同時に実現することができる。すなわち、常時開口した始動入賞口への入賞に伴い当り遊技が生起される期待を持たせると同時に、当該常時開口した始動入賞口に入賞する前に遊技球が球通入部を通過することに伴って可変始動入賞部が開放作動される期待を持たせることができる。
【００１０】
請求項３に係る発明は、
前記入賞ユニット(100)は、前記球通入部(102)の球出口(102b)と前記始動入賞部(105)の始動入賞口(105a)とが上下方向に並ぶよう配置されて、当該球通入部(102)の球出口(102b)および始動入賞部(105)の始動入賞口(105a)が球通路(144)で接続されると共に、当該球通路(144)に、遊技球が通過可能な連通口(149)が開口するよう形成されて、当該連通口(149)を介して球通路(144)が遊技領域(21)に連通するよう構成されたことを要旨とする。
このように、球通入部の球出口および始動入賞部の始動入賞口を接続する球通路に、遊技領域に連通する連通口が開口するよう構成したことで、当該球通路内で球詰まりが生じた場合には、連通口を介して球詰まりを容易に解消することができる。
【００１１】
請求項４に係る発明は、
前記球通路(144)の連通口(149)に、当該球通路(144)から離間するにつれて球転動面(146a)が下方傾斜する傾斜通路(148)が接続することを要旨とする。
このように、球通路から離間するにつれて下方傾斜する傾斜通路が連通口に接続することで、球通入部の球出口および始動入賞部の始動入賞口を接続する球通路に、連通口から遊技球が進入するのを防止することができる。これにより、球通入部を通過することなく始動入賞部の始動入賞口に遊技球が入賞するのを防止でき、始動入賞口に入賞するよりも前に球通入部に遊技球を通過させることが可能になる。すなわち、始動入賞口への入賞が発生に伴って異なる２つの判定条件を確実に成立させることができ、従来にない新たな遊技性を創出することが可能となる。
【００１２】
請求項５に係る発明は、
特殊入賞口(220a)を開閉手段(222)で開放可能に閉鎖する特殊入賞部(220)を備えると共に、当該特殊入賞部(220)における特殊入賞口(220a)の内部に、遊技球の通過が可能な特定領域(226)および非特定領域(227)が設けられ、
前記特定領域(226)に対応した特定領域検出手段(88)が遊技球を検出することで前記当り遊技を生起させるよう構成され、
前記始動入賞部(105)および前記可変始動入賞部(106)の夫々に対応した始動検出手段(83,84)による遊技球の検出を契機として、前記特殊入賞部(220)の開閉手段(222)を開放作動させるか否かの特殊入賞口開放判定を行う開放判定手段(60a)を備え、
前記始動入賞部(105)に対応した始動検出手段(83)による遊技球の検出を契機として特殊入賞口開放判定が行われるよりも、前記可変始動入賞部(106)に対応した始動検出手段(84)による遊技球の検出を契機として特殊入賞口開放判定が行われる場合の方が、前記開放判定手段(60a)が肯定判定する割合が高くなるよう構成されたことを要旨とする。
すなわち、常時開口した始動入賞口に遊技球が入賞した際には、当該始動入賞口への遊技球の入賞に起因した当り判定条件の成立に伴って当り遊技が生起する期待感が得られるだけでなく、当該始動入賞口への入賞の前に球通入部を遊技球が通過することで、特殊入賞部の開閉手段が開放作動される期待感の高い可変始動入賞部の始動入賞口が開放する可能性を作り出すことができる。このように、常時開口させた始動入賞部の始動入賞口に遊技球が入賞するのに伴って、当り遊技が生起される複数の異なった機会を創出することが可能となる。
【発明の効果】
【００１３】
本発明に係る遊技機によれば、始動入賞口への入賞に伴う当り判定条件の成立と、球通入部の遊技球の通過に伴う当り判定条件とは異なった別の判定条件とを同時に成立させて新たな遊技性を創出できる。
【図面の簡単な説明】
【００１４】
【図１】本発明の好適な実施例に係るパチンコ機を示す正面図である。
【図２】実施例に係る遊技盤を示す正面図である。
【図３】実施例に係る特殊入賞部を拡大して示す縦断正面図である。
【図４】実施例に係る遊技盤を図６(b)のＣ−Ｃ線で縦断した正面図であって、始動入賞ユニットの配設位置を拡大して示す。
【図５】実施例に係る始動入賞ユニットを示す斜視図であって、(a)は、正面側から視た状態を示し、(b)は背面側から視た状態を示す。
【図６】実施例に係る始動入賞ユニットを示し、(a)は正面図であり、(b)は平面図である。
【図７】実施例に係る始動入賞ユニットを示す分解斜視図であって、正面側から視た状態を示す。
【図８】実施例に係る始動入賞ユニットを示す分解斜視図であって、背面側から視た状態を示す。
【図９】実施例に係る始動入賞ユニットの第１ゲート部の配設位置の分解斜視図であって、(a)は、正面側から視た状態を示し、(b)は背面側から視た状態を示す。
【図１０】(a)は、第１ゲート部のゲート本体部材を示す平面図であり、(b)は、図６におけるＡ−Ａ線の要部断面図である。
【図１１】図６におけるＢ−Ｂ線の要部断面図である。
【図１２】図６におけるＣ−Ｃ線断面図である。
【図１３】(a)は、図６におけるＤ−Ｄ線断面図であり、(b)は、始動口開閉部材が第２始動入賞口を閉鎖した状態でのＥ−Ｅ線断面図である。
【図１４Ａ】実施例に係るパチンコ機の第１始動入賞部への入賞に伴う大当り図柄と大当り遊技との関係を示す説明図である。
【図１４Ｂ】実施例に係るパチンコ機の第２始動入賞部への入賞に伴う大当り図柄と大当り遊技との関係を示す説明図である。
【図１５】実施例に係るパチンコ機の第１および第２始動入賞部への入賞に伴う小当り図柄と継続大当り遊技との関係を示す説明図である。
【図１６】実施例に係るパチンコ機の大当り確率および小当り確率を示す説明図である。
【図１７】実施例に係る小当り遊技に伴う特殊入賞部の開閉動作パターンを示す説明図である。
【図１８】実施例に係る小当り遊技に伴う特殊入賞部の特殊入賞開閉部材および振分体の動作タイミングを示す説明図である。
【図１９】実施例に係る第１および第２ゲート部への入球に伴う普図当り図柄と始動口開閉部材の開閉動作パターンとの関係を示す説明図である。
【図２０】実施例に係るパチンコ機の制御構成を示すブロック図である。
【図２１】実施例に係るパチンコ機における左打ち遊技での遊技の流れを示す説明図である。
【図２２】実施例に係るパチンコ機における右打ち遊技での遊技の流れを示す説明図である。
【発明を実施するための形態】
【００１５】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定特図当り判定条件(当り判定条件)の成立(後述する第１始動入賞部１０５の１始動入賞口１０５ａ,１０６ａまたは第２始動入賞部１０６の第２始動入賞口１０６ａへのパチンコ球の入賞)を契機として演出用の図柄(以下飾図という)を変動表示させて図柄変動演出を行う演出実行手段としての図柄表示装置１７が着脱可能に配設されている。また、前記中枠１２の前面側には、前記遊技盤２０の遊技領域２１と対応する位置に前後に開口する窓口１３ａが形成された装飾枠としての前枠１３が開閉可能に組み付けられている。そして、前枠１３には、ガラス板や透明な合成樹脂材で形成された透視保護板が窓口を覆うよう配設されており、遊技盤２０を前側から目視可能な状態で保護している。また、前記前枠１３における窓口の下方位置には、パチンコ球を貯留可能な球受け皿１４,１５が設けられており、当該前枠１３と一体的に球受け皿１４,１５を開閉し得るようになっている。実施例の前枠１３には、上球受け皿１４および下球受け皿１５が上下の位置関係で組み付けられている。なお、前記上下の球受け皿１４,１５の一方および両方を、前枠１３とは個別に中枠１２に組み付けるようにしてもよい。また、中枠１２や前枠１３に、１つの球受け皿のみを備える構成とすることもできる。
【００１７】
また、前記中枠１２の右下方位置には、該中枠１２に配設された打球発射装置(図示せず)を作動させる操作ハンドル１６が設けられている。前記操作ハンドル１６は、左回転方向に付勢された操作レバー１６ａを備えており、右回転させるように遊技者が操作レバー１６ａを回動操作することで打球発射装置が作動されて、前記上球受け皿１４に貯留されたパチンコ球が前記遊技盤２０の遊技領域２１に向けて１球ずつ発射されるようになっている。ここで、前記操作レバー１６ａの回動量に応じて前記打球発射装置によるパチンコ球の打球力が強弱変化するよう構成されており、遊技者が操作レバー１６ａの回動量を調節することで、前記遊技領域２１へのパチンコ球の打ち出し位置を任意に変更し得るようになっている。すなわち、遊技者が操作レバー１６ａを操作して回動量を調節することで、前記遊技盤２０に形成された第１の球流下領域２１ａ(後述)にパチンコ球を流下させる所謂「左打ち遊技」と称される遊技形態、該遊技盤２０に形成された第２の球流下領域２１ｂ(後述)にパチンコ球を流下させる所謂「右打ち(ゴム打ち)遊技」と称される遊技形態とに切り替えて遊技を行い得るようになっている。なお、実施例では、前記図柄表示装置１７としては、液晶パネルを収容ケースに収容した液晶表示装置が採用されているがこれに限られるものではなく、ドラム式の図柄表示装置１７やドットマトリックス式の表示装置等の各種飾図を停止および変動表示可能な従来公知の各種の装置を採用し得る。
【００１８】
(遊技盤２０について)
前記遊技盤２０は、図２に示すように、合成樹脂材やベニヤ材等からなる略矩形状の板状部材であって、前面(盤面)に配設された略円形状の案内レール２２によりパチンコ球が流下可能な遊技領域２１が画成されている。また、前記遊技盤２０には、前後に貫通する装着口(図示せず)が遊技領域２１内の適宜位置に開設されて、各装着口に対して各種の遊技盤設置部品が配設されている。なお、後述するように実施例の遊技盤２０には、遊技盤設置部品として枠状装飾体４０、始動入賞ユニット１００、特別入賞部２４０等が配設される装着口が形成されている。そして、前記打球発射装置から発射されて遊技領域２１を流下するパチンコ球が前記遊技盤設置部品に設けられた入球部(第１始動入賞部１０５、第２始動入賞部１０６、特別入賞部２４０、特殊入賞部２２０、第１ゲート部１０２、第２ゲート部２５０等)に入球することにより所定の遊技が行われるようになっている。そして、前記遊技盤２０において遊技領域２１の最下部位置に、該遊技領域２１の最下部位置まで流下したパチンコ球を遊技盤２０の裏側に排出するアウト口２６が開設されている。なお、前記アウト口２６は、遊技領域２１において前記第１の球流下領域２１ａを流下したパチンコ球および前記第２の球流下領域２１ｂを流下したパチンコ球が共に到来し得る合流領域２１ｃ(後述)に形成されている。また、遊技盤２０の裏側には、前方へ開口した箱状に形成された設置部材(図示せず)が配設されており、前記図柄表示装置１７や各種演出装置が当該設置部材に配設されている。ここで、遊技盤２０および設置部材は、正面視における外郭形状が略整合する大きさおよび形状に形成されて、遊技盤２０の後面に設置部材を取着した状態で、設置部材が遊技盤２０の後面を全面的に覆うよう構成されている。なお、実施例の遊技盤２０は、アクリル樹脂により透明な板状部材に形成されている。また、前記装着口の形成数は、遊技盤２０に対する遊技盤設置部品の配設数や配設位置等により必要に応じて適宜決定される。
【００１９】
(枠状装飾体４０について)
前記遊技盤２０には、図２に示すように、前記案内レール２２で囲まれた遊技領域２１の略中央に形成された装着口(図示せず)に、センター役とも称される枠状装飾体４０が配設されている。前記枠状装飾体４０は、窓口４０ａが前後に開口する環状に形成されて、当該窓口４０ａを介して、遊技盤２０の裏側の図柄表示装置１７の表示部を前面側から視認し得るようになっている。具体的に、前記枠状装飾体４０は、遊技盤２０から前方へ突出するよう形成されて窓口４０ａの内側へのパチンコ球の移動を規制するよう構成されている。なお、枠状装飾体４０は、一体に樹脂形成される構成であっても、複数の部材を組み合わせて全体として環状をなすよう形成される構成であってもよい。また、枠状装飾体４０は、前後に開口する形態に限らず、当該開口の全部または一部を透明板等で塞ぐ形態とすることも可能である。
【００２０】
すなわち、遊技盤２０に画成された前記遊技領域２１は、図２に示すように、前記枠状装飾体４０の左側部に形成された第１の球流下領域２１ａと、当該枠状装飾体４０の右側部に形成された第２の球流下領域２１ｂとに区画されており、操作ハンドル１６の操作レバー１６ａを回動操作して打球力を調節することにより、パチンコ球を第１の球流下領域２１ａに流下させる遊技形態およびパチンコ球を第２の球流下領域２１ｂに流下させる遊技形態の何れかを遊技者が任意に選択し得るようになっている。そして、前記遊技領域２１は、前記枠状装飾体４０の下方位置において第１および第２の球流下領域２１ａ,２１ｂが合流するようになっており、当該第１および第２の球流下領域２１ａ,２１ｂが合流する合流領域２１ｃに、始動入賞ユニット１００が配設されると共にアウト口２６が形成されている。また実施例のパチンコ機１０では、後述する特別入賞部２４０や特殊入賞部２２０が第２の球流下領域２１ｂに位置するよう設けられている。すなわち実施例では、第２の球流下領域２１ｂを流下するパチンコ球だけが特殊入賞部２２０の特殊入賞口２２０ａや特別入賞部２４０の特別入賞口２４０ａに入賞し得るようになっている。
【００２１】
(特殊入賞部２２０について)
前記特殊入賞部２２０は、図３に示すように、前記第２の球流下領域２１ｂを流下するパチンコ球が入賞し得るよう前記枠状装飾体４０の右下部に配設されている。具体的に、前記特殊入賞部２２０は、前記枠状装飾体４０の右側面に形成されて前記遊技領域２１(第２の球流下領域２１ｂ)に開口する特殊入賞口２２０ａと、当該特殊入賞口２２０ａを開放可能に閉鎖する特殊入賞開閉部材(開閉部材)２２２と、当該特殊入賞開閉部材２２２を開閉作動する駆動手段としての特殊入賞ソレノイド２２３とを備えており、当該特殊入賞ソレノイド２２３の駆動に伴って特殊入賞開閉部材２２２が特殊入賞口２２０ａを開閉するようになっている。ここで、前記特殊入賞口２２０ａは、前記枠状装飾体４０の右側方に開口するよう形成されると共に、前記特殊入賞開閉部材２２２は、前後方向に延在する支軸２２２ａを介して特殊入賞口２２０ａの開口下縁部側に揺動可能に軸支されており、特殊入賞ソレノイド２２３の駆動に伴って、特殊入賞口２２０ａを閉鎖してパチンコ球の入賞を阻止する閉鎖状態と、特殊入賞口２２０ａを開放してパチンコ球の入賞を許容する開放状態とに揺動変位し得るようになっている。
【００２２】
また、図３に示すように、前記特殊入賞部２２０には、前記特殊入賞口２２０ａに連通して当該特殊入賞口２２０ａから左方向へ向けて下方傾斜する特殊入賞通路２２５を備えている。前記特殊入賞通路２２５には、前記特殊入賞口２２０ａに入賞したパチンコ球を検出する球検出手段としての特殊入賞検出センサ８７が設けられると共に、当該特殊入賞検出センサ８７が前記メイン制御基板６０に配線接続されている。そして、特殊入賞検出センサ８７からの球検出信号がメイン制御基板６０のメイン制御ＣＰＵ６０ａに入力されることを賞球の払出条件として、該メイン制御ＣＰＵ６０ａが賞球の払い出しを決定し、当該決定に基づいてメイン制御基板６０から払出制御基板に対して払出制御信号が出力されるようになっている。特殊入賞口２２０ａに対応した特殊入賞検出センサ８７によるパチンコ球の検出(すなわち特殊入賞口２２０ａへのパチンコ球の入賞)を契機として賞球の払出条件が成立した場合には、メイン制御ＣＰＵ６０ａが所定数(実施例では３個)の賞球の払い出しを決定するよう設定されている。ここで、前記特殊入賞部２２０は、第１始動入賞部１０５および第２始動入賞部１０６へのパチンコ球の入賞(第１始動入賞検出センサ８３および第２始動入賞検出センサ８４の検出)を契機として行われる特図当り判定の結果小当り遊技が付与される場合に、特殊入賞口２２０ａを開放させるようメイン制御基板６０によって特殊入賞ソレノイド２２３が駆動制御される。すなわち、第１始動入賞部１０５および第２始動入賞部１０６へのパチンコ球の入賞を契機として、特殊入賞部２２０の特殊入賞開閉部材２２２を開放作動させるか否かの特殊入賞口開放判定が行われるようになっている。
【００２３】
図３に示すように、前記特殊入賞通路２２５は、前記特殊入賞検出センサ８７の配設位置よりも下流側において、複数の分岐通路２２６,２２７に分岐するよう構成されている。実施例では、特殊入賞通路２２５が２つの分岐通路２２６,２２７に分岐するよう構成されており、上流側に位置する分岐通路(特殊入賞口２２０ａに近接する通路)を第１分岐通路２２６とし、下流側に位置する分岐通路(特殊入賞口２２０ａから離間する通路)を第２分岐通路２２７として区別する場合がある。なお、前記第１分岐通路２２６および第２分岐通路２２７は、下端部において遊技盤２０の裏側に開口して、前記設置部材に設けられた図示しない球通路を介して遊技盤２０の外部に連通するようになっている。
【００２４】
そして、図３に示すように、前記第１分岐通路２２６には、当該第１分岐通路２２６を通過するパチンコ球を検出する球検出手段としての特定領域検出センサ８８が設けられており、当該特定領域検出センサ８８が前記メイン制御基板６０に配線接続されている。そして、特定領域検出センサ８８からの検出信号がメイン制御基板６０のメイン制御ＣＰＵ６０ａに入力されることを大当り遊技の生起条件として、該メイン制御ＣＰＵ６０ａが大当り遊技を生起することを決定するようになっている。ここで、後述するように、特定領域検出センサ８８によるパチンコ球の検出(すなわち第１分岐通路２２６のパチンコ球の通過)を契機として大当り遊技の生起条件が成立した場合には、特殊入賞部２２０を開放する小当り遊技の終了後に継続大当り遊技が生起されるよう構成されている。なお、前記特定領域検出センサ８８は、前記第１分岐通路２２６における球入口の下方に隣接して配置されており、第１分岐通路２２６に移動したパチンコ球を速やかに特定領域検出センサ８８で検出し得るようになっている。
【００２５】
また、前記第２分岐通路２２７には、当該第２分岐通路２２７を通過するパチンコ球を検出する球検出手段としての非特定領域検出センサ８９(図２０参照)が設けられており、当該非特定領域検出センサ８９が前記メイン制御基板６０に配線接続されている。すなわち、前記特定領域検出センサ８８または非特定領域検出センサ８９からの球検出信号がメイン制御基板６０のメイン制御ＣＰＵ６０ａに入力されることで、特殊入賞口２２０ａに入賞したパチンコ球が特殊入賞部２２０から排出されたことをメイン制御ＣＰＵ６０ａが識別し得るようになっている。また、非特定領域検出センサ８９によるパチンコ球の検出(すなわち第２分岐通路２２７のパチンコ球の通過)によって大当り遊技の生起条件が成立しないよう構成されている。すなわち、実施例の特殊入賞部２２０における第１分岐通路２２６は、特定領域検出センサ８８がパチンコ球を検出することで大当り遊技を生起させる特定領域として機能し、第２分岐通路２２７は、非特定領域検出センサ８９がパチンコ球を検出することで大当り遊技を生起させない非特定領域として機能するものである。
【００２６】
また、前記特殊入賞部２２０は、図３に示すように、特殊入賞通路２２５が複数の分岐通路２２６,２２７に分岐する分岐位置に、当該特殊入賞通路２２５を通過するパチンコ球を何れかの分岐通路２２６,２２７に振り分ける振分体２３０が設けられると共に、当該振分体２３０を作動する駆動手段としての振分ソレノイド２３１とを備えている。前記振分体２３０は、前記第１分岐通路２２６の球入口を開放する一方で第２分岐通路２２７の球入口を閉鎖する第１姿勢(図３に二点差線で示す)と、第１分岐通路２２６の球入口を閉鎖する一方で第２分岐通路２２７の球入口を開放する第２姿勢(図３に実線で示す)とに変位し得るよう設けられており、振分ソレノイド２３１の駆動に伴って第１姿勢および第２姿勢に姿勢変位されることで、特殊入賞通路２２５を通過するパチンコ球が第１および第２分岐通路２２６,２２７の何れかに振り分けられるようになっている。ここで、前記特殊入賞部２２０は、常には振分体２３０が第２姿勢に保持され、小当り遊技の当選に伴って後述する所定の動作パターンで第１姿勢および第２姿勢に振分体２３０が姿勢変位するよう振分ソレノイド２３１が駆動制御される。すなわち、小当り遊技でないときに特殊入賞口２２０ａにパチンコ球が入賞したとしても、当該パチンコ球が特定領域としての第１分岐通路２２６に振り分けられないようになっている。このように、実施例の特殊入賞部２２０は、特殊入賞開閉部材２２２が不正に操作されて特殊入賞口２２０ａが不正に開放された場合に、大当り遊技の生起条件が成立して継続大当り遊技が生起されるのを防止するよう構成されている。なお、前記振分体２３０は、前記第１分岐通路２２６と第２分岐通路２２７との間に配置されて、前後方向に延在する支軸２３０ａを介して特殊入賞通路２２５の下縁部側に揺動可能に軸支されている。
【００２７】
(始動入賞ユニット１００について)
また、前記遊技盤２０には、図２、図４に示すように、前記枠状装飾体４０の下方位置に、遊技領域２１を流下するパチンコ球が入球可能なゲート部(球通入部)１０２や始動入賞部１０５,１０６を備えた始動入賞ユニット１００が配設されている。前記始動入賞ユニット１００は、図４〜図６に示すように、パチンコ球が通過可能(入球可能)なゲート入口(球入口)１０２ａおよびゲート出口(球出口)１０２ｂが遊技盤２０の前面側で開口する第１ゲート部１０２と、パチンコ球が入賞可能(入球可能)な始動入賞口１０５ａ,１０６ａを有する始動入賞部１０５,１０６とを備えており、当該第１ゲート部１０２および始動入賞部１０５,１０６を備えたユニット部材として遊技盤２０に対して一体的に着脱し得るよう構成されている。ここで、実施例の始動入賞ユニット１００には、前記始動入賞部１０５,１０６として、常時開口する第１始動入賞口１０５ａを有する第１始動入賞部１０５と、第２始動入賞口１０６ａを開放可能に閉鎖する始動口開閉部材(開閉手段)１０７を有し、当該始動口開閉部材１０７を開放作動した場合に第２始動入賞口１０６ａへパチンコ球が入賞可能となる第２始動入賞部１０６とが設けられており、前記第１ゲート部１０２の下方に、第１始動入賞部１０５(第１始動入賞口１０５ａ)が位置すると共に、当該第１始動入賞部１０５の下方に第２始動入賞部１０６(第２始動入賞口１０６ａ)が位置している。
【００２８】
前記第１ゲート部１０２は、図４〜図６に示すように、前記ゲート入口１０２ａが遊技領域２１に常に上方開口するよう設けられており、遊技盤２０の遊技領域２１を流下するパチンコ球の流下態様に応じて任意のタイミングで入球可能な常時開放型の入球部として構成されている。ここで、実施例のパチンコ機１０では、前記第１の球流下領域２１ａを流下したパチンコ球は入球可能な一方で、前記第２の球流下領域２１ｂを流下したパチンコ球は入球不能な位置に前記第１ゲート部１０２のゲート入口１０２ａが配置されている。具体的には、前記遊技盤２０には、前記始動入賞ユニット１００における第１ゲート部１０２の右側方(第２の球流下領域２１ｂ側)に、遊技盤２０の前面から突出するように装飾部材２４５が配設されており(図２、図４参照)、当該装飾部材２４５により第２の球流下領域２１ｂを流下するパチンコ球が第１ゲート部１０２へ移動するのを規制している。
【００２９】
また、前記第１ゲート部１０２には、該ゲート入口１０２ａに入球して当該第１ゲート部１０２を通過するパチンコ球を検出する第１ゲートセンサ８０が設けられている。この第１ゲートセンサ８０は、パチンコ機１０の裏側に配設されたメイン制御基板６０に配線接続されており、該第１ゲートセンサ８０からメイン制御基板６０への球検出信号の入力(すなわちパチンコ球の検出)に伴って普図当り判定条件が成立するようになっている。そして、普図当り判定条件の成立に伴って普図当りを生起させるか否かに関する後述の普図当り判定が行われ、該普図当り判定の判定結果に応じて前記第２始動入賞部１０６の始動口開閉部材１０７を開閉作動する始動入賞ソレノイド１０８が駆動制御されて、当該始動口開閉部材１０７が開放されるよう構成されている。すなわち、前記第１ゲート部１０２をパチンコ球が通過(ゲートセンサ８０がパチンコ球を検出)することで、前記第２始動入賞部１０６の始動口開閉部材１０７を開放作動させるか否かを判定する始動入賞口開放判定条件が成立するようになっている。
【００３０】
図２、図４、図１１、図１２に示すように、前記第１始動入賞部１０５は、前記第１ゲート部１０２のゲート出口１０２ｂの下方において当該ゲート出口１０２ｂと上下方向に整列するよう前記第１始動入賞口１０５ａが配置されている。また、後述するように、実施例の始動入賞ユニット１００は、前記第１ゲート部１０２を通過する経路以外の経路を通ったパチンコ球が前記第１始動入賞部１０５の第１始動入賞口１０５ａに殆ど入賞し得ないよう構成されている。すなわち、始動入賞ユニット１００は、第１始動入賞部１０５の第１始動入賞口１０５ａに入賞するパチンコ球は、事前に第１ゲート部１０２のゲート入口１０２ａを通過して前記第１ゲートセンサ８０で検出されるようになっている。そして、前記始動入賞ユニット１００の第２始動入賞部１０６は、第１の球流下領域２１ａを流下したパチンコ球および前記第２の球流下領域２１ｂを流下したパチンコ球の両方が入賞可能な位置に第２始動入賞口１０６ａが位置するよう構成されている。
【００３１】
また、図７、図８、図１１、図１３、図２０に示すように、前記第１始動入賞部１０５は、第１始動入賞口１０５ａに入賞したパチンコ球を検出する第１始動入賞検出センサ８３を備えると共に、前記第２始動入賞部１０６は、第２始動入賞口１０６ａに入賞したパチンコ球を検出する第２始動入賞検出センサ８４を備えており、当該第１および第２始動入賞検出センサ８３,８４の夫々がパチンコ機１０の裏側に配設されたメイン制御基板６０に配線接続されている。そして、前記第１および第２始動入賞検出センサ８３,８４の何れかによるパチンコ球の検出(パチンコ球を検出した検出信号のメイン制御基板６０への入力)に伴い特図当り判定条件(当り判定条件)が成立するようになっている。そして、特図当り判定条件が成立することで、特図当り(大当りまたは小当り)を生起させるか否かに関する後述の特図当り判定が行われ、該特図当り判定の結果に応じて前記特別入賞部２４０の特別入賞開閉部材２４２を開閉作動する特別入賞ソレノイド２４３や前記特殊入賞部２２０の特殊入賞口２２０ａを開閉作動する特殊入賞ソレノイド２２３が駆動制御されて、当該始動口開閉部材１０７が開閉動作するよう構成されている。
【００３２】
実施例では、前記特図当り判定の判定結果が大当りの判定であった場合に、図柄表示装置１７や特図表示部５０Ａ,５０Ｂ(後述)に所定の大当り表示が確定停止表示されて、前記特別入賞部２４０の特別入賞開閉部材２４２を開放する遊技者に有利な大当り遊技が付与されるよう構成され、前記特図当り判定の判定結果が小当りの判定であった場合に、図柄表示装置１７や特図表示部５０Ａ,５０Ｂに所定の小当り表示が確定停止表示されて、前記特殊入賞部２２０の特別入賞開閉部材２４２を開放する遊技者に有利な小当り遊技が付与されるよう構成される。また、実施例のパチンコ機１０では、前記第１および第２始動入賞検出センサ８３,８４がパチンコ球を検出することで賞球払出条件が成立するよう構成されており、当該賞球払出条件の成立に伴ってメイン制御基板６０が図示しない払出制御装置に制御信号を出力して、所定数(例えば３個)の賞球が前記上球受け皿１４または下球受け皿１５に払い出されるようになっている。
【００３３】
すなわち、実施例の始動入賞ユニット１００は、前記第１ゲート部１０２のゲート入口１０２ａに入球して前記第１始動入賞部１０５の第１始動入賞口１０５ａに入賞したパチンコ球を、当該第１ゲート部１０２に対応した第１ゲートセンサ８０で検出すると共に、当該第１始動入賞部１０５に対応した第１始動入賞検出センサ８３で検出するよう構成されている。言い換えると、始動入賞ユニット１００は、第１始動入賞部１０５の第１始動入賞口１０５ａに入賞するパチンコ球が事前に第１ゲート部１０２のゲート入口１０２ａを通過するよう構成することで、特図当り判定条件と、当該特図当り判定条件とは異なる普図当り判定条件(別の判定条件)が同時に成立するようになっている。なお、ここで「普図当り判定条件および特図当り判定条件が同時に成立」とは、両当り判定条件の成立タイミングが時間的に同じタイミングであることを指すものではなく、第１ゲート部１０２のゲート入口１０２ａを通過したパチンコ球がそのまま第１始動入賞部１０５の第１始動入賞口１０５ａに入賞することにより、普図当り判定条件および特図当り判定条件が１個のパチンコ球で一度に成立することを意味している。そして、前記第１ゲート部１０２を通過する経路以外の経路を通ったパチンコ球が前記第１始動入賞部１０５の第１始動入賞口１０５ａに殆ど入賞し得ないようにすることで、特図当り判定条件が成立する場合には略確実に普図当り判定条件も成立している。同様に、前記第１ゲート部１０２を通過したパチンコ球が前記第１始動入賞部１０５の第１始動入賞口１０５ａに略確実に入賞するよう構成することで、普図当り判定条件が成立する場合には略確実に特図当り判定条件も成立するようになっている。
【００３４】
(サイド装飾体２３５について)
前記遊技盤２０には、図２、図４に示すように、前記枠状装飾体４０の右下方(始動入賞ユニット１００の右側方)に開設された装着口(図示せず)に、前記特別入賞部２４０を備えたサイド装飾体２３５が配設されている。前記サイド装飾体２３５は、前記特別入賞部２４０の他に、遊技領域２１に開口して第２の球流下領域２１ｂを流下するパチンコ球が通入可能な普通入賞口２３８や前記アウト口２６へパチンコ球を導く上部排出口２３６が設けられた複合入球ユニットとして構成されており、前記枠状装飾体４０に設けた前記特殊入賞部２２０の下方に離間する位置に配置されている。すなわち、特殊入賞部２２０の特殊入賞口２２０ａに入賞することなく第２の球流下領域２１ｂを流下したパチンコ球が、サイド装飾体２３５に設けられた各口(特別入賞口２４０ａ、普通入賞口２３８、上部排出口２３６)に入球し得るよう構成されている。ここで、前記サイド装飾体２３５は、前記案内レール２２に隣接して配置されると共に、当該サイド装飾体２３５の上面が前記第２の球流下領域２１ｂを画成するようになっており、当該第２の球流下領域２１ｂに打ち出されたパチンコ球がサイド装飾体２３５の上面を転動して遊技領域２１の合流領域２１ｃへ移動するようになっている。実施例では、前記サイド装飾体２３５の上面に沿って離間する位置に複数(実施例では２つ)の上部排出口２３６が形成されて、当該上部排出口２３６の間に前記普通入賞口２３８が設けられると共に、下流に位置する上部排出口２３６よりも更に下流側(最下流側)に特別入賞部２４０が配置されている。なお、前記サイド装飾体２３５には、前記始動入賞ユニット１００側(左側端面)の下部位置に、前記各上部排出口２３６に連通する下部排出口２３７が遊技領域２１(合流領域２１ｃ)に開口するよう形成されており、当該上部排出口２３６に入球したパチンコ球を、前記アウト口２６へ向けて排出するよう構成されている。
【００３５】
(特別入賞部２４０について)
前記特別入賞部２４０は、図４に示すように、前記サイド装飾体２３５の上面に形成されて前記遊技領域２１(第２の球流下領域２１ｂ)に開口する特別入賞口２４０ａと、当該特別入賞口２４０ａを開放可能に閉鎖する特別入賞開閉部材(開閉部材)２４２と、当該特別入賞開閉部材２４２を開閉作動する駆動手段としての特別入賞ソレノイド２４３とを備えており、当該特別入賞ソレノイド２４３の駆動に伴って特別入賞開閉部材２４２が特別入賞口２４０ａを開閉するようになっている。実施例の特別入賞開閉部材２４２は、前記特別入賞口２４０ａを閉鎖可能な平板状に形成されて、特別入賞ソレノイド２４３の駆動に伴って前後方向にスライド移動することで、特別入賞口２４０ａを開閉するようになっており、該特別入賞開閉部材２４２により特別入賞口２４０ａが閉鎖された状態を図４に示す。また、前記特別入賞口２４０ａを閉鎖する状態では、前記特別入賞開閉部材２４２の上面が前記サイド装飾体２３５の上面と略同一面位置に位置するよう構成されて、第２の球流下領域２１ｂを流下するパチンコ球が転動する球転動面として特別入賞開閉部材２４２が機能するようになっている。
【００３６】
また、前記特別入賞部２４０は、前記特別入賞口２４０ａに入賞したパチンコ球を検出する球検出手段としての特別入賞検出センサ８６(図２０参照)が設けられると共に、当該特別入賞検出センサ８６が前記メイン制御基板６０に配線接続されている。そして、特別入賞検出センサ８６からの球検出信号がメイン制御基板６０のメイン制御ＣＰＵ６０ａに入力されることを賞球の払出条件として、該メイン制御ＣＰＵ６０ａが賞球の払い出しを決定し、当該決定に基づいてメイン制御基板６０から払出制御基板に対して払出制御信号が出力されるようになっている。特別入賞口２４０ａに対応した特別入賞検出センサ８６によるパチンコ球の検出(すなわち特別入賞口２４０ａへのパチンコ球の入賞)を契機として賞球の払出条件が成立した場合には、メイン制御ＣＰＵ６０ａが所定数(実施例では１５個)の賞球の払い出しを決定するよう設定されている。なお、前記特別入賞ソレノイド２４３は、特別入賞部２４０を開放する大当り遊技または継続大当り遊技が付与される場合に、当選した大当り遊技または継続大当り遊技の種類に応じた開閉条件に従って特別入賞口２４０ａを開閉するようメイン制御基板６０によって駆動制御される。すなわち、大当り遊技または継続大当り遊技の生起に伴って特別入賞口２４０ａが開放されることで、多数お賞球を獲得する機会が与えられるようになっている。
【００３７】
また、前記遊技盤２０には、図２、図４に示すように、前記サイド装飾体２３５の上方位置に、当該遊技盤２０の前面に突出する装飾部材２４５が配設されている。この装飾部材２４５は、前記特別入賞口２４０ａの開口上方に配置されて、当該装飾部材２４５とサイド装飾体２３５との間に一列でパチンコ球を通過させる案内通路２４７を画成するよう設けられている。また、前記装飾部材２４５は、前記枠状装飾体４０の下方に近接配置されて、当該枠状装飾体４０と装飾部材２４５との間をパチンコ球が通過不能に構成されている。すなわち、前記第２の球流下領域２１ｂを流下するパチンコ球は、装飾部材２４５とサイド装飾体２３５との間に画成される案内通路２４７を介して前記第１および第２の球流下領域２１ａ２１ｂが合流する前記始動入賞ユニット１００の配設領域(合流領域２１ｃ)に向けて一列で転動するよう構成されている。また、前記遊技盤２０には、案内通路２４７の球出口(通出口)２４７ａの下流位置に、第２始動入賞口１０６ａに向けて誘導する誘導部としての第２の誘導連釘３５(後述)が設けられており、当該案内通路２４７を通出したパチンコ球を第２始動入賞口１０６ａに向かうよう構成されている。なお、前記案内通路２４７の球出口２４７ａは、前記第１ゲート部１０２のゲート入口１０２ａより下方に位置しており、当該案内通路２４７を通出したパチンコ球が第１ゲート部１０２に入球しないよう構成してある。
【００３８】
(第２ゲート部２５０について)
前記第２ゲート部２５０は、図２、図３に示すように、第２の球流下領域２１ｂに位置するよう前記遊技盤２０に設けられている。具体的には、前記枠状装飾体４０の右側部から右側方に延出すよう形成されたゲート設置部４１に、前記第２ゲート部２５０が設けられている。なお、前記ゲート設置部４１は、枠状装飾体４０を遊技盤２０に取り付けた状態で、遊技領域２１(第２の球流下領域２１ｂ)を流下するパチンコ球が前面側を通過可能な薄板状に形成されている。前記第２ゲート部２５０は、ゲート入口が第２の球流下領域２１ｂに常に上方開口するよう設けられており、当該第２の球流下領域２１ｂを流下するパチンコ球の流下態様に応じて任意のタイミングで入球可能な常時開放型の入球部として構成されている。ここで、実施例のパチンコ機１０では、前記第２の球流下領域２１ｂを流下したパチンコ球は入球可能な一方で、前記第１の球流下領域２１ａを流下したパチンコ球は入球不能な位置に前記第２ゲート部２５０が配置されている。
【００３９】
また、前記第２ゲート部２５０には、該ゲート入口に入球して当該第２ゲート部２５０を通過するパチンコ球を検出する第２ゲートセンサ８１が設けられている。この第２ゲートセンサ８１は、パチンコ機１０の裏側に配設されたメイン制御基板６０に配線接続されており、該第２ゲートセンサ８１からメイン制御基板６０への球検出信号の入力(すなわちパチンコ球の検出)に伴って前記普図当り判定条件が成立するようになっている。そして、普図当り判定条件の成立に伴って普図当りを生起させるか否かに関する普図当り判定が行われ、該普図当り判定の結果に応じて前記第２始動入賞部１０６の始動口開閉部材１０７を開閉作動する始動入賞ソレノイド１０８が駆動制御されて、当該始動口開閉部材１０７が開放されるよう構成されている。実施例では、前記第１球通検出センサによるパチンコ球の検出(第１ゲート部１０２のパチンコ球の通過)および前記第２ゲートセンサ８１によるパチンコ球の検出(第２ゲート部２５０のパチンコ球の通過)を契機として普図当り判定条件が成立した場合に、同じ条件でメイン制御基板６０が普図当り判定を行うようになっている。
【００４０】
(球検出センサについて)
実施例のパチンコ機１０に備えられたパチンコ球検出用の球検出センサ(第１始動入賞検出センサ８３、第２始動入賞検出センサ８４、特別入賞検出センサ８６、特殊入賞検出センサ８７、特定領域検出センサ８８、非特定領域検出センサ８９、第１ゲートセンサ８０および第２ゲートセンサ８１)は、基本的に同一構成に構成されている。図７〜図９に示すように、この球検出センサは、矩形状のセンサ本体９１に、パチンコ球の直径よりもやや大きく設定された略円形状の球通過孔９１ａを備え、当該球通過孔９１ａをパチンコ球が通過することでメイン制御基板６０に検出信号を出力するよう構成されている。また、前記センサ本体９１における球通過孔９１ａ側の角部の一方には、前側から後側に向かうにつれて外方へ傾斜する逆付け規制面９１ｂが形成されている。
【００４１】
また、図２、図４に示すように、前記遊技盤２０には、前記遊技領域２１(第１および第２の球流下領域２１ａ,２１ｂ)内に多数の遊技釘３０が設けられると共に、前記枠状装飾体４０の左側方(第１の球流下領域２１ａ)に、パチンコ球の接触に伴って回転する回転案内部材３２が回転自在に支持されており、遊技領域２１を流下する過程での遊技釘３０や回転案内部材３２との接触によりパチンコ球の流下方向が不規則に変化するよう構成されている。前記回転案内部材３２は、所謂「風車」とも称される部材であって、該回転案内部材３２の回転に伴ってパチンコ球を弾くように左右方向へ放出するよう構成される。
【００４２】
ここで、前記遊技盤２０における第１の球流下領域２１ａには、図２、図４に示すように、前記枠状装飾体４０の左下方位置に、前記始動入賞ユニット１００へ向けて下方傾斜する直線状に連続した遊技釘３０が設けられており、当該第１の球流下領域２１ａを流下するパチンコ球を始動入賞ユニット１００へ誘導し得るようになっている。具体的には、遊技盤２０の第１の球流下領域２１ａには、前記回転案内部材３２から始動入賞ユニット１００の第１ゲート部１０２(ゲート入口１０２ａ)へ向けて直線状に下方傾斜するよう複数の遊技釘３０が連続して設けられ、該第１ゲート部１０２(ゲート入口１０２ａ)へ向けて直線状に下方傾斜する遊技釘群の下方位置に、始動入賞ユニット１００の第２始動入賞口１０６ａへ向けて直線状に下方傾斜するよう複数の遊技釘３０が連続して設けられている。なお、以下の説明では、第１ゲート部１０２(ゲート入口１０２ａ)へ向けて下方傾斜する直線状に連続した遊技釘群を上側案内連釘３１ａと指称し、第２始動入賞口１０６ａへ向けて下方傾斜する直線状に連続した遊技釘群を下側案内連釘３１ｂと指称する場合がある。すなわち、前記上側案内連釘３１ａは、前記遊技領域２１を流下するパチンコ球を第１ゲート部１０２のゲート入口１０２ａへ案内する案内部として機能し、前記下側案内連釘３１ｂは、遊技領域２１を流下するパチンコ球を第２始動入賞口１０６ａへ案内する案内部として機能している。
【００４３】
また、実施例の遊技盤２０には、前記上側案内連釘３１ａと下側案内連釘３１ｂとの間に、始動入賞ユニット１００の第１始動入賞口１０５ａ(後述する外側連通口１５０)へ向けて直線状に下方傾斜するよう複数の遊技釘３０が連続して設けられており、この連続した遊技釘群を中間案内連釘３１ｃと指称する場合がある。すなわち、前記中間案内連釘３１ｃは、前記遊技領域２１を流下するパチンコ球を始動入賞ユニット１００へ向けて案内する案内部として機能するものである。ここで、中間案内連釘３１ｃの傾斜上端に位置する遊技釘３０は、前記案内レール２２に近接位置して、当該中間案内連釘３１ｃと案内レール２２との間をパチンコ球が通過しないよう構成されている。すなわち、第１の球流下領域２１ａを流下するパチンコ球は、その流下する過程において前記上側案内連釘３１ａおよび中間案内連釘３１ｃの何れかを転動して始動入賞ユニット１００へ誘導されるようになっている。また、前記上側案内連釘３１ａ、下側案内連釘３１ｂおよび中間案内連釘３１ｃの夫々を構成する遊技釘群は、適宜位置でパチンコ球が通過可能な間隙３７が空くよう設けられており、当該間隙３７を通過したパチンコ球が、上側案内連釘３１ａから中間案内連釘３１ｃあるいは中間案内連釘３１ｃから下側案内連釘３１ｂへ移動したり、前記案内レール２２上に移動してアウト口２６へ流下するようになっている。
【００４４】
そして、前記遊技盤２０に設けられた遊技釘３０により形成される間隙３７や、前記サイド装飾体２３５に設けられた上部排出口２３６により、前記第１の球流下領域２１ａを流下する過程でパチンコ球が第２始動入賞口１０６ａに向かうことなく第１ゲート部１０２やアウト口２６に向かう経路(第２始動入賞部１０６に至らないことが確定する経路)が、前記第２の球流下領域２１ｂを流下する過程でパチンコ球が第２始動入賞口１０６ａに向かうことなくアウト口２６に向かう経路(第２始動入賞部１０６に至らないことが確定する経路)よりも多くなるよう構成されている。すなわち、前記第１の球流下領域２１ａを流下するパチンコ球が前記第２始動入賞部１０６に至る割合よりも、前記第２の球流下領域２１ｂを流下するパチンコ球が第２始動入賞部１０６に至る割合の方が高くなるようになっている。
【００４５】
(始動入賞ユニット１００の具体的な構成について)
次に、前記始動入賞ユニット１００の具体的な構成について詳細に説明する。前記始動入賞ユニット１００は、図５〜図９に示すように、前記遊技盤２０に取り付けられる取付基板１１５と、取付基板１１５に配設されて前記第１ゲート部１０２を形成するゲート本体部材１３０と、当該ゲート本体部材１３０の下方に位置するよう取付基板１１５に配設された前カバー部１４０と、取付基板１１５に配設されて前記第１および第２始動入賞口１０５ａ,１０６ａに入賞したパチンコ球が通過する入賞通路１８１,１８２が形成された通路形成部１８０とを備えている。実施例では、前記第１始動入賞部１０５の第１始動入賞口１０５ａは、前記前カバー部１４０に形成され、前記第２始動入賞部１０６の第２始動入賞口１０６ａは、前記取付基板１１５に形成されている。また、実施例の始動入賞ユニット１００は、前記ゲート本体部材１３０を照明する第１照明部２１０が前記取付基板１１５の後面に設けられると共に、前記第２始動入賞口１０６ａを照明する第２照明部２１４が通路形成部１８０の後方に設けられている。
【００４６】
(取付基板１１５について)
図５〜図９に示すように、前記取付基板１１５は、前記遊技盤２０に取り付けた状態でパチンコ球が前面側を通過可能な薄板状に形成されており、当該取付基板１１５の上部位置に、前記ゲート本体部材１３０が取り付けられる取付口１１６(図７、図８参照)が形成されている。また、前記取付基板１１５には、前記取付口１１６の下方位置に、パチンコ球が通過可能な大きさで前後に開口する通孔１１５ａ,１０６ａが形成されて、前記通路形成部１８０に形成された入賞通路１８１,１８２に連通するようになっている。具体的に、前記取付口１１６の鉛直下方に上下に並ぶ位置関係で、２つの通孔１１５ａ,１０６ａが取付基板１１５に形成されており、一方の通孔(上側に位置する通孔)に前記第１始動入賞部１０５の第１始動入賞口１０５ａが連通するよう構成されると共に、他方の通孔(下側に位置する通孔)が前記第２始動入賞部１０６の始動口開閉部材１０７で開閉されるようになっている。すなわち、実施例の始動入賞ユニット１００では、前記取付基板１１５に形成された前記下側の通孔が、前記第２始動入賞部１０６の第２始動入賞口１０６ａとなっている。また、以下の説明では、取付基板１１５に形成された上側の通孔を通過口１１５ａと指称して区別する場合がある。なお、実施例の取付基板１１５は、全体が光を透過可能な樹脂材料で形成されている。
【００４７】
前記取付口１１６は、図９に示すように、球通過孔９１ａが上下に開口すると共に前方に位置させた取付姿勢で前記第１ゲートセンサ８０の挿脱を許容する横長矩形状に形成されて、当該取付口１１６を介して取付姿勢に保持した第１ゲートセンサ８０のセンサ本体９１を取付基板１１５の後方へ突出させ得るよう構成されている。また、前記取付口１１６における左右開口縁の上下方向の中間位置には、外方に向けて延在する案内凹部１１６ａが前記取付基板１１５に凹設されて、当該取付口１１６の開口幅が案内凹部１１６ａの形成位置で拡大するよう構成されている。すなわち、前記取付基板１１５には、取付口１１６の左右両側に案内凹部１１６ａを凹設することで、当該取付口１１６の４隅に被係合部(被嵌合部)１１７が夫々形成され、当該被係合部１１７により前記ゲート本体部材１３０が取付口１１６に位置決め保持されるようになっている。
【００４８】
また、図９、図１１に示すように、前記取付基板１１５には、前記取付口１１６の下側開口縁から後方に延出する下受け部１１８が形成され、前記第１ゲートセンサ８０(センサ本体９１)の下面を下受け部１１８で当接支持するようになっている。同様に、前記取付口１１６の上側開口縁には、後方に延出する上受け部１１９が前記取付基板１１５に形成されており、前記第１ゲートセンサ８０(センサ本体９１)の上面を上受け部１１９で当接支持するよう構成されている。すなわち、上下の受け部で第１ゲートセンサ８０を挟むことで、取付姿勢の第１ゲートセンサ８０の安定性を高めている。また、前記上受け部１１９の後端部には、第１ゲートセンサ８０に係脱可能に係合して当該第１ゲートセンサ８０を取付姿勢で保持する第１の係合フック１２０が後方へ延出するよう設けられると共に、前記第１照明部２１０に係脱可能に係合して当該第１照明部２１０を保持する第２の係合フック１２１が後方へ延出するよう設けられる。ここで、前記第１および第２の係合フック１２０,１２１は、上下方向に弾性変形し得るよう上受け部１１９の後端部から後方へ延出するよう形成されると共に、後端部に対応する第１ゲートセンサ８０および第１照明部２１０に係合可能な係合爪が形成されており、各係合フック１２０,１２１の上下の弾性変形に伴って係合爪が第１ゲートセンサ８０や第１照明部２１０の後端部に係脱するようになっている。なお、前記上受け部１１９は、前記取付口１１６の上端縁に沿う方向(左右方向)において、後方への延出長が異なる段差状に形成されており、当該上受け部１１９において後方への延出長の短い部分の後端部に第１の係合フック１２０が形成されると共に、上受け部１１９において延出長の長い部分の後端部に第２の係合フック１２１が形成されている。このように上受け部１１９を段差状に形成することで、両フック１２０,１２１を弾性変形可能な寸法を確保しつつ、当接支持する第１ゲートセンサ８０の安定性を高めている。
【００４９】
(ゲート本体部材１３０について)
前記第１ゲート部１０２を形成する前記ゲート本体部材１３０は、図９、図１０に示すように、左右方向に延在する前壁部１３１と、該前壁部１３１の左右両端部から後方に延在して相互に対向する左右一対の側壁部１３２,１３２とから平面視において上下および後方に開口する門型に形成された部材であって、両側壁部１３２,１３２は相互に近接および離間する方向へ弾性変形させるよう構成されている。両側壁部１３２,１３２の内面間の離間寸法は、ゲート本体部材１３０を取付基板１１５(取付口１１６)に取り付けた状態で第１ゲートセンサ８０の左右幅と略一致するよう形成されて、両側壁部１３２,１３２の間に第１ゲートセンサ８０を挟持状態で保持し得るようになっている(図１０参照)。また、ゲート本体部材１３０は、全体が光透過性(実施例では透明)な樹脂材料で形成されて、前記第１照明部２１０の第１発光基板２１１に設けたゲート用発光体(発光体)２１１ａによって全体が明輝するよう構成される。
【００５０】
前記ゲート本体部材１３０の左右の側壁部１３２,１３２の夫々は、図１０に示すように、前記取付基板１１５の前面側に位置して前記ゲート入口１０２ａおよびゲート出口１０２ｂを画成する前半部１３３と、当該前半部１３３の後端から後方に延出して前記取付口１１６に挿通される後半部１３４とからなり、前記取付口１１６に挿入された左右の側壁部１３２,１３２の後半部１３４が取付基板１１５に保持されるようになっている。ここで、前記各側壁部１３２,１３２の前半部１３３は、前壁部１３１と同一高さで延在するよう形成されており、当該前壁部１３１から左右側壁部１３２,１３２の前半部１３３の上端縁に亘って、内側に向けて張出すように上規制壁１３５(保護壁)が形成されている。この上規制壁１３５は、前記左右の側壁部１３２,１３２の間に挿入して前端部を前壁部１３１に当接させた前記第１ゲートセンサ８０の上面に当接するよう構成されており、第１ゲートセンサ８０の上方移動を上規制壁１３５で規制するようになっている。また、前記左右の側壁部１３２,１３２は、後半部１３４の上端が前半部１３３の上端よりも１段下がるよう構成されており、各側壁部１３２,１３２の後半部１３４を取付口１１６に前側から挿入した際に、当該後半部１３４の上端から上方に突出する前半部１３３の後端が取付基板１１５の前面に当接して、ゲート本体部材１３０が所定の取付位置に位置決めされるようになっている。
【００５１】
ここで、図１０に示すように、前記前壁部１３１に設けた上規制壁１３５と取付基板１１５の前面との離間寸法、および左右の側壁部１３２,１３２に設けた上規制壁１３５の離間寸法は、何れもパチンコ球の直径より大きく設定されている。すなわち、遊技領域２１(第１の球流下領域２１ａ)を流下する過程で、ゲート本体部材１３０により取付基板１１５の前側に画成された開口をパチンコ球が通過し得るよう構成されており、当該開口を通過する過程で前記第１ゲートセンサ８０によりパチンコ球が検出されるようになっている。このように、実施例の始動入賞ユニット１００では、ゲート本体部材１３０により画成される上方開口が前記第１ゲート部１０２のゲート入口１０２ａであり、当該下方開口が第１ゲート部１０２のゲート出口１０２ｂとなっている。ここで、前記第１ゲートセンサ８０は、球通過孔９１ａが前記ゲート入口１０２ａの内部で開口する状態で前記ゲート本体部材１３０により囲繞されるようになっている。すなわち、ゲート入口１０２ａへの入球に伴って第１ゲートセンサ８０がパチンコ球を検出して、前記普図当り判定条件が成立するようになっている。なお、前記上規制壁１３５は、前記ゲート本体部材１３０に保持された第１ゲートセンサ８０の球通過孔９１ａを塞がない寸法でゲート本体部材１３０に形成されている。
【００５２】
また、図１０に示すように、前記ゲート本体部材１３０における左右の側壁部１３２,１３２の後半部１３４は、各対応の前半部１３３の内面に連続する内壁部１３４ａと、該内壁部１３４ａの外側面における高さ方向の中央に外方向(対向する側壁部１３２,１３２と反対方向)へ向けて突出する導光部１３４ｂとが設けられており、導光部１３４ｂの高さ寸法が、前記取付口１１６の開口側縁に設けられた前記案内凹部１１６ａの高さ寸法と略同一に設定されている。ここで、前記各後半部１３４の内壁部１３４ａは、対応する前半部１３３における後端部の左右幅寸法より小さい左右幅寸法で前記取付口１１６の上下の開口幅寸法と略同一高さで前後方向に延在すると共に、前記導光部１３４ｂは、内壁部１３４ａの前後の全長に亘って延在するよう設けられている。すなわち、ゲート本体部材１３０は、前記取付口１１６に前記後半部１３４の内壁部１３４ａが挿通されると共に、前記案内凹部１１６ａに後半体の導光部１３４ｂが挿通されている。
【００５３】
図１０に示すように、前記左右の側壁部１３２,１３２は、前記取付基板１１５の厚み分だけ前記前半部１３３の後端から後方に離間した位置に、外方に突出する規制壁１３６が形成されており、当該取付基板１１５に設けられた前記被係合部１１７と係合する係合溝１３７が規制壁１３６および前半部１３３の間に形成されている。ここで、前記規制部は、左右の側壁部１３２,１３２において導光部１３４ｂを挟む上下両側に設けられて、各側壁部１３２,１３２に係合溝１３７が２つずつ形成されている。すなわち、相互に近接するように弾性変形させて前記取付口１１６の前側から挿入した左右の側壁部１３２,１３２を、前記前半体の後端部が取付基板１１５に当接する状態で弾性復帰させることで各被係合部１１７が対応する係合溝１３７に夫々嵌合し、前記ゲート本体部材１３０が取付基板１１５に対して前後、左右および上下の位置決めがなされた状態で保持されるようになっている。
【００５４】
ここで、前記ゲート本体部材１３０を取付基板１１５に取り付けた状態では、図１２に示すように、当該ゲート本体部材１３０の下端部(左右の側壁部１３２,１３２の下端部)が前記前カバー部１４０に当接支持されて、当該ゲート本体部材１３０へのパチンコ球の衝突に伴う衝撃によりゲート本体部材１３０が損傷するのを防止している。言い換えると、上下逆向き姿勢としたゲート本体部材１３０の左右の側壁部１３２,１３２(後半部１３４)を取付口１１６に挿通した場合は、後半体(内壁部１３４ａ)から下方に突出することになる前半部１３３の後端が前記前カバー部１４０に干渉して、当該ゲート本体部材１３０を取付位置まで取付口１１６に挿入することができなくなり、当該ゲート本体部材１３０の逆付け防止が図られるようになっている。すなわち、前記ゲート本体部材１３０における前半部１３３と、前記前カバー部１４０とが、当該ゲート本体部材１３０の逆付けを防止する逆付け防止手段として機能するよう構成されている。
【００５５】
また、図１０に示すように、前記ゲート本体部材１３０を取付基板１１５に取り付けた状態では、ゲート本体部材１３０における左右の側壁部１３２,１３２の離間寸法と、前記第１ゲートセンサ８０の横幅寸法とが略一致するように設定されており、前記取付口１１６に差し込まれた第１ゲートセンサ８０の左右の側縁がゲート本体部材１３０の対応する左右側壁部１３２,１３２に当接して、当該左右の側壁部１３２,１３２を相互に近接するように弾性変形させ得ないようになっている。すなわち、前記第１ゲートセンサ８０を取り付けた状態において前記ゲート本体部材１３０が取付基板１１５から脱落しないよう構成されている。なお、前記ゲート本体部材１３０における左右の側壁部１３２,１３２は、前記後半部１３４における各内壁部１３４ａの内側後端に、後方に向かうにつれて外側方に傾斜する傾斜案内面１３４ｃが形成されており、第１ゲートセンサ８０を後方から左右の側壁部１３２,１３２の間に容易に挿入し得るようになっている。
【００５６】
図１０に示すように、前記ゲート本体部材１３０には、前記前壁部１３１と一方(実施例では右側)の側壁部１３２とが連設される隅部内面に、内側に突出する位置決め突部１３９が設けられている。そして、前記ゲート本体部材１３０の内側に前記第１ゲートセンサ８０を配置した際に、第１ゲートセンサ８０に設けられた逆付け規制面９１ｂに前記位置決め突部１３９が臨むことで、当該第１ゲートセンサ８０の前端部がゲート本体部材１３０の前壁部１３１に当接する適正な位置に設置し得るよう構成されている。すなわち、第１ゲートセンサ８０の上下面を逆さにした状態では、位置決め突部１３９が第１ゲートセンサ８０に干渉して、ゲート本体部材１３０の前壁部１３１に第１ゲートセンサ８０の前端部を当接させ得ないようになっており、当該位置決め突部１３９および逆付け規制面９１ｂが、第１ゲートセンサ８０の逆付け防止手段として機能している。
【００５７】
(ゲート部１０２,２５０の発光構造について)
図１０に示すように、前記ゲート本体部材１３０には、当該ゲート本体部材１３０を透過する光を拡散させる光拡散部１３０ａが設けられている。具体的に、前記ゲート本体部材１３０における左右の側壁部１３２,１３２(前半部１３３)および前壁部１３１には、前半部１３３および前壁部１３１の内面(第１ゲートセンサ８０の外周端面に対向する内面に、前記上規制壁１３５が突出する基端部からゲート本体部材１３０の下端部に至るまで上下方向に延在する微小な凸部が、当該内面の全周に亘って連続するよう設けられている。また、前記左右の側壁部１３２,１３２の前半部１３３は、前端部から後方に向かうにつれて外側に拡がるよう形成されると共に、当該左右の側壁部１３２,１３２の後半部１３４は、前記左右の導光部１３４ｂにおける係合溝１３７の形成位置より後側の部分は、外側面が後側に向かうにつれて外側方に変位するように傾斜するよう形成されることで、該部分は後側に向かうにつれて厚み寸法が大きくなるよう設定される。
【００５８】
また、図５〜図１０に示すように、前記始動入賞ユニット１００は、前記第１ゲート部１０２の後方に、当該第１ゲート部１０２に光を照射して発光させる前記第１照明部２１０を備えている。前記第１照明部２１０は、前記取付基板１１５の後面側に配設され、前方へ向けて光を照射する複数の発光体を有する第１発光基板２１１と、当該発光基板の後面を覆蓋保護する第１保護カバー２１２とから構成されている。ここで、前記取付基板１１５には、前記下受け部１１８の下方位置において左右に離間する位置に、後方へ突出する第１固定突部２０７が突設されており、当該第１固定突部２０７の後端部に第１発光基板２１１を当接させた状態で、第１保護カバー２１２に形成した通孔に挿通したネジを第１固定突部２０７のネジ孔に螺挿することで，第１発光基板２１１および第１保護カバー２１２が取付基板１１５に固定される。なお、前記第１保護カバー２１２の上端部は、前記第２の係合フック１２１の係合爪と係合するようになっている。
【００５９】
そして、前記第１発光基板２１１には、前記取付口１１６に装着されたゲート本体部材１３０における各側壁部１３２,１３２の後端(具体的には導光部１３４ｂの後端)に対向する位置に、該側壁部１３２,１３２に向けて光を照射可能なゲート用発光体２１１ａが実装されている。すなわち、透明な材料で形成されたゲート本体部材１３０における側壁部１３２,１３２の導光部１３４ｂは、ゲート用発光体２１１ａの光を前側に導くようになっており、当該導光部１３４ｂを透過した光がゲート本体部材１３０の光拡散部１３０ａに照射されて、前記取付基板１１５の前側に位置する第１ゲート部１０２がゲート用発光体２１１ａの光によって明輝(発光装飾)するよう構成される。更に、左右の側壁部１３２,１３２に後端から入射した光は、側壁部１３２,１３２における傾斜する外側面側で反射するようになっており、後端から入射した光を拡散してゲート本体部材１３０の全体を明輝させ得るようになっている。また、前記第１発光基板２１１には、前記ゲート出口１０２ｂを通過して第１始動入賞口１０５ａへ向かうパチンコ球が移動する後述する流入通路１４４と前記取付基板１１５を挟んで対向する位置に、当該流入通路１４４に向けて光を照射可能な第１始動口用発光体が実装されており、当該第１始動口用発光体を発光することで、第１始動入賞部１０５を明輝(発光装飾)し得るよう構成されている。
【００６０】
(前カバー部１４０について)
図５、図７〜図９に示すように、前記前カバー部１４０は、前記取付基板１１５に対向する前面板部１４１と、前面板部１４１の上端部に設けられた球規制壁部１４２と、当該前面板部１４１の後面下部に設けられた球受容部１４６とを備え、前記取付基板１１５に取り付けた状態で、当該取付基板１１５と前面板部１４１との間にパチンコ球が移動し得る球通路(具体的には、流入通路１４４および連絡通路１４８)が画成されている。
【００６１】
(球規制壁部１４２について)
前記球規制壁部１４２は、図９、図１０、図１１に示すように、前記前面板部１４１の上端部から後方へ延出するよう設けられて、後端部が前記取付基板１１５に当接するようになっている。また、前記球規制壁部１４２には、パチンコ球が通過可能な流入口１４２ａが上下に開口するよう開設されて、当該流入口１４２ａが前記第１ゲート部１０２のゲート出口１０２ｂと上下に整列するようになっている。すなわち、前記第１ゲート部１０２のゲート入口１０２ａに入球(第１ゲートセンサ８０で検出)したパチンコ球は、ゲート出口１０２ｂを通過して前記前カバー部１４０(球規制壁部１４２)の流入口１４２ａを通るようになっている。ここで、前記ゲート本体部材１３０(第１ゲート部１０２)と前カバー部１４０(球規制壁部１４２)との間は、パチンコ球が通過不能な間隔に形成されており、第１ゲート部１０２を通過しないパチンコ球が流入口１４２ａに入球しないよう構成されている。実施例では、ゲート本体部材１３０の下端部が前カバー部１４０の球規制壁部１４２に当接するよう構成されており、当該前カバー部１４０の球規制壁部１４２がゲート本体部材１３０の支持手段として機能して、ゲート本体部材１３０に対するパチンコ球の衝突に伴う衝撃を前カバー部１４０で受け止めて、ゲート本体部材１３０の損傷を防止するようになっている。
【００６２】
また、図１２に示すように、前記前カバー部１４０の球規制壁部１４２は、前記第１ゲート部１０２(ゲート本体部材１３０)から左右方向に離間するにつれて下方傾斜する傾斜状に形成されており、第１ゲート部１０２のゲート入口１０２ａに入球することなく球規制壁部１４２上に到来したパチンコ球を、始動入賞ユニット１００の左右側方へ誘導するようになっている。また、図４に示すように、実施例の遊技盤２０には、前記球規制壁部１４２の傾斜に連続するように第１ゲート部１０２から離間するにつれて下方傾斜するよう連続した複数の遊技釘群(第１の誘導連釘３４)が前記始動入賞ユニット１００を挟む左右両側に設けられると共に、当該遊技釘群の傾斜下方に離間する位置に、前記第２始動入賞口１０６ａへ向けて下方傾斜するよう連続した複数の遊技釘群(第２の誘導連釘３５)が設けられている。すなわち、遊技盤２０には、第１ゲート部１０２のゲート入口１０２ａに入球することなく球規制壁部１４２上に到来したパチンコ球を、第２始動入賞口１０６ａへ向けて流下する誘導するように遊技釘３０が設けられており、当該第１ゲート部１０２のゲート入口１０２ａに入球しないパチンコ球の挙動に対する関心を喪失させないよう構成されている。なお、以下の説明では、球規制壁部１４２の傾斜に連続する遊技釘群を第１の誘導連釘３４と指称し、第２始動入賞口１０６ａへ向けて下方傾斜する遊技釘群を第２の誘導連釘３５と指称する場合がある。
【００６３】
ここで、図４に示すように、始動入賞ユニット１００の左側方に位置する第１の誘導連釘３４は、前記中間案内連釘３１ｃの延長線上に位置して、当該中間案内連釘３１ｃに沿って流下するパチンコ球が後述する外側連通口１５０(連絡通路１４８)に進入するのを防止するよう構成されている。また、前記始動入賞ユニット１００の右側方に位置する第２の誘導連釘３５は、パチンコ球が始動入賞ユニット１００の配設領域(合流領域２１ｃ)に向けて第２の球流下領域２１ｂを一列で通出する前記案内通路２４７の球出口２４７ａよりも下方に位置して、当該案内通路２４７の球出口２４７ａを通出したパチンコ球を第２始動入賞口１０６ａに向けて誘導するようになっている。すなわち、実施例の第１の誘導連釘３４は、外側連通口１５０を介して第１始動入賞口１０５ａへのパチンコ球の移動を規制する規制部として機能するよう構成され、第２の誘導連釘３５は、案内通路２４７から始動入賞ユニット１００が配設された配設領域(すなわち合流領域２１ｃ)に通出したパチンコ球を前記第２始動入賞口１０６ａに向けて誘導する誘導部として機能するよう構成されている。
【００６４】
また、前記前カバー部１４０には、図９、図１２に示すように、前記球規制壁部１４２における流入口１４２ａの開口縁(具体的には左右の開口縁)から下方へ延在するよう通路隔壁部１４３が形成されている。すなわち、実施例の始動入賞ユニット１００には、前記取付基板１１５および前カバー部１４０(前面板部１４１および通路隔壁部１４３)の間に、前記第１ゲート部１０２のゲート出口１０２ｂに入球したパチンコ球が通過する流入通路(球通路)１４４が画成されている。ここで、前記通路隔壁部１４３は、前記流入口１４２ａの開口縁から下方へ延在するよう構成されており、前記第１ゲート部１０２のゲート出口１０２ｂから鉛直下方に向けて流入通路１４４が延在するよう形成されている。
【００６５】
(球受容部１４６について)
前記球受容部１４６は、図９、図１２に示すように、前記前カバー部１４０において前記流入通路１４４の下方位置(第１ゲート部１０２のゲート出口１０２ｂの鉛直下方位置)に、前記前面板部１４１の下部から後方(取付基板１１５側)へ突出する突出状に形成されると共に、前記流入口１４２ａ(ゲート出口１０２ｂ)の下方位置において上方および後方へ開口する凹溝部１４７が形成されている。そして、この凹溝部１４７の上方開口が、前記流入通路１４４(第１ゲート部１０２のゲート出口１０２ｂ)の下方に位置すると共に、当該凹溝部１４７の後方開口が、前記取付基板１１５の通過口１１５ａに整列するよう構成されており、流入通路１４４を通過したパチンコ球が凹溝部１４７を介して取付基板１１５の通過口１１５ａへ案内されるようになっている。すなわち、実施例の始動入賞ユニット１００において、前記球受容部１４６(前カバー部１４０)に形成された凹溝部１４７の上方開口が、前記第１始動入賞部１０５の第１始動入賞口１０５ａとなっている。ここで、前記第１始動入賞口１０５ａは、前記流入通路１４４(第１ゲート部１０２のゲート出口１０２ｂ)と上下に整列するよう設けられており、当該流入通路１４４(第１ゲート部１０２)を通過したパチンコ球が第１始動入賞口１０５ａに入賞し得るよう構成されている。これにより、前記第１始動入賞部１０５の第１始動入賞口１０５ａに入賞するパチンコ球が、事前に前記第１ゲート部１０２を通過することで、第１始動入賞部１０５の第１始動入賞口１０５ａへの入賞に伴う特図当り判定条件と、第１ゲート部１０２のパチンコ球の通過に伴う特図当り判定条件とは異なった普図当り判定条件(別の判定条件)とが、１つの遊技球により同時に成立するようになっている。
【００６６】
また、図１２に示すように、前記球受容部１４６は、パチンコ球が通過可能な寸法で前記左右の球規制壁部１４２から下方に離間した位置に設けられており、当該球受容部１４６と球規制壁部１４２との間にパチンコ球が通過可能な連絡通路(球通路)１４８を画成している。ここで、前記左右の連絡通路１４８は、前記通路隔壁部１４３の下端部と球受容部１４６との間で開口する内側連通口(連通口)１４９を介して前記流入通路１４４と連通すると共に、前記前カバー部１４０の外側面で開口する外側連通口１５０を介して前記遊技領域２１に連通するようになっている。すなわち、前記流入通路１４４は、前記内側連通口１４９(連絡通路１４８)を介して遊技領域２１に連通している。
【００６７】
ここで、前記連絡通路１４８は、図１２に示すように、当該連絡通路１４８を画成する前記球受容部１４６の球転動面(上面)１４６ａが前記流入通路１４４(第１始動入賞口１０５ａ)から離間するにつれて下方傾斜した傾斜通路となっており、当該連絡通路１４８内のパチンコ球を外側連通口１５０へ向けて誘導するよう構成されている。すなわち、流入通路１４４から離間するにつれて下方傾斜する連絡通路１４８が内側連通口１４９に接続することで、第１ゲート部１０２を通過することなく外側連通口１５０を介して連絡通路１４８に進入したパチンコ球が内側連通口１４９を介して第１始動入賞口１０５ａへ入賞するのを防止している。これにより、第１始動入賞口１０５ａへの入賞時には異なる２つの判定条件(特図当り判定条件および普図当り判定条件)を確実に成立させ得るようにしている。また、前記球規制壁部１４２は、前記球受容部１４６の球転動面１４６ａの傾斜下端部よりも外方(流入通路１４４から離間する位置)まで延在するよう形成されており、前記連絡通路１４８の外側連通口１５０が遊技領域２１に斜め下方を向くように開口させている。これにより、外側連通口１５０を介した連絡通路１４８へのパチンコ球の進入を抑制している。
【００６８】
(受止め部１２４について)
そして、図５〜図７、図１２、図１３に示すように、前記始動入賞ユニット１００には、前記左右の連絡通路１４８における球転動面１４６ａの傾斜下端部の下方位置に離間する位置に受止め部１２４が夫々形成されている。前記受止め部１２４は、前記第２始動入賞口１０６ａを挟んで左右両側に位置するよう前記取付基板１１５の前面に設けられると共に、当該第２始動入賞口１０６ａへ向けて上面１２４ａが下方傾斜するよう形成されており、当該受止め部１２４上のパチンコ球を第２始動入賞口１０６ａへ向けて誘導するよう構成されている。ここで、前記左右の受止め部１２４における第２始動入賞口１０６ａ側の端部は、当該第２始動入賞口１０６ａの開口縁と前後に整列するよう構成されて、始動口開閉部材１０７が第２始動入賞口１０６ａを開放する開放位置にある状態で受止め部１２４の上面１２４ａを転動したパチンコ球が始動口開閉部材１０７で受け止められて、第２始動入賞口１０６ａに入賞するようになっている。
【００６９】
そして、前記各受止め部１２４の上面１２４ａの傾斜下端部(第２始動入賞口１０６ａ側の端部)は、開放位置にある始動口開閉部材１０７より上方に位置するよう構成されており(図１１、図１２参照)、当該始動口開閉部材１０７で受け止められたパチンコ球が側方へ零れ落ちるのを防いでいる。ここで、前記左右の受止め部１２４は、前記始動入賞ユニット１００の左右側方に位置する前記第２の誘導連釘３５の延長線下方に位置するよう配置されており、当該第２の誘導連釘３５により誘導されたパチンコ球を、対応する受止め部１２４で受けとめて第２始動入賞口１０６ａへ向けて案内するようになっている。なお、前記左右の受止め部１２４と対応する第２の誘導連釘３５とは、パチンコ球が通過可能な間隔で離間するよう構成されており、当該受止め部１２４および第２の誘導連釘３５の間の間隙３７を介してパチンコ球が落下し得るようになっている。このように、左右の受止め部１２４と対応する第２の誘導連釘３５との間に間隙３７を形成することで、パチンコ球が第２始動入賞口１０６ａへ向かうことへの関心を高めるようになっている。
【００７０】
(通路形成部１８０について)
前記通路形成部１８０は、図７、図８に示すように、前後方向に積層された複数(実施例では３つ)の通路部材１８５,１９０,２０５から構成されて、前記第１始動入賞口１０５ａに入賞したパチンコ球が通過する前記第１始動入賞部１０５の第１入賞通路１８１と、前記第２始動入賞口１０６ａに入賞したパチンコ球が通過する前記第２始動入賞部１０６の第２入賞通路１８２とを画成している。実施例では、前記取付基板１１５の後側に取り付けられる第１通路部材１８５と、該第１通路部材１８５に後側に取り付けられる第２通路部材１９０と、該第２通路部材１９０の後側に取り付けられる第３通路部材２０５とから通路形成部１８０が構成されている。また、前記通路形成部１８０には、前記第１始動入賞検出センサ８３を収容する第１センサ収容部１９４および前記第２始動入賞検出センサ８４を収容する第２センサ収容部１９５が形成されおり、第１および第２入賞通路１８１,１８２をパチンコ球が通過する過程で対応の始動入賞検出センサ８３,８４が検出し得るようになっている。なお、通路形成部１８０は、全体が光を透過可能な樹脂材料で形成されている。
【００７１】
(第１入賞通路１８１について)
前記第１入賞通路１８１は、図７、図８、図１１、図１３に示すように、前記取付基板１１５の通過口１１５ａに連通する導入通路１８１ａと、当該導入通路１８１ａの下流端に接続してパチンコ球を遊技盤２０の外部に排出させる第１排出通路１８１ｂとから構成されており、当該導入通路１８１ａと第１排出通路１８１ｂとの接続部に前記第１センサ収容部１９４が設置されている。すなわち、前記第１始動入賞口１０５ａに入賞したパチンコ球は、前記通過口１１５ａを介して導入通路１８１ａに流入して、当該導入通路１８１ａから第１排出通路１８１ｂに移動する過程で第１始動入賞検出センサ８３により検出されて前記特図当り判定条件が成立するよう構成される。なお実施例では、前記第１通路部材１８５と第２通路部材１９０とにより前記導入通路１８１ａが画成され、第２通路部材１９０と第３通路部材２０５とにより前記第１排出通路１８１ｂが画成されている。
【００７２】
具体的に、前記第１通路部材１８５には、図７、図８、図１１、図１３に示すように、前記取付基板１１５に対向して前面をなす第１対向板１８５ａの上部における左右方向の中間位置に、パチンコ球が通過可能な大きさで通入口１８６が前後に開口するよう形成されると共に、当該第１通路部材１８５(対向板１８５ａ)の後面側において通入口１８６と対応する位置に、後方に開口すると共に横方向に延在する第１凹部１８７が形成されている。そして、前記第１凹部１８７の後方開口が第２通路部材１９０で塞がれることで、前記導入通路１８１ａが画成されている。前記第１通路部材１８５の通入口１８６は、取付基板１１５の通過口１１５ａに連通するよう構成されており、前記第１始動入賞口１０５ａに入賞したパチンコ球が通過口１１５ａを介して第１入賞通路１８１(導入通路１８１ａ)に流入するようになっている。なお、実施例において前記導入通路１８１ａは、前記通入口１８６から通路形成部１８０(第１通路部材１８５)の左端部(後述する駆動機構収容部２００から離間する一側端部)へ向けて延在するよう形成されている。また、前記第２通路部材１９０において前記導入通路１８１ａの後面を画成する通路隔壁１９１には、前記通入口１８６の後方に臨む位置に、後方へ向かうにつれて左方向に傾斜した第１誘導片１９１ａが形成されており、当該通入口１８６を通過したパチンコ球を、当該第１誘導片１９１ａにより導入通路１８１ａの流入下流側へ速やかに誘導するよう構成されている。
【００７３】
ここで、前記取付基板１１５における前記通過口１１５ａの開口縁に形成された第１縁取り突部１２２(図９、図１３参照)の後端部が前記通入口１８６の開口縁の前面に当接するようになっている。すなわち、前記取付基板１１５に対して第１通路部材１８５(通路形成部１８０)を組み付けた際の当接力を第１縁取り突部１２２に集中させることで、取付基板１１５に形成した通過口１１５ａの開口縁と、第１通路部材１８５に形成した通入口１８６の開口縁との密着性を高めて、当該通過口１１５ａから通入口１８６へのパチンコ球の移動をスムーズになし得るよう構成されている。
【００７４】
また、前記第２通路部材１９０には、図７、図８、図１１、図１３に示すように、パチンコ球が通過可能な大きさで前後に開口する上部通出口１９２が前記通路隔壁１９１に形成されており、当該導入通路１８１ａを通過したパチンコ球が上部通出口１９２を介して第２通路部材１９０の後方へ移動するよう構成されている。なお、前記上部通出口１９２は、導入通路１８１ａの下流端部に位置するよう形成されている。また、前記第２通路部材１９０の後面側には、前記上部通出口１９２と対応する位置に、後方に開口すると共に下方向に延在する第２凹部１９３が形成されており、当該第２凹部１９３の後方開口が第３通路部材２０５で塞がれることで前記第１排出通路１８１ｂを画成するよう構成されている。すなわち、前記第１始動入賞口１０５ａに入賞して前記第１入賞通路１８１の導入通路１８１ａを通過したパチンコ球は、上部通出口１９２を介して第１排出通路１８１ｂに移動するようになっている。なお、前記第１排出通路１８１ｂの球出口は、パチンコ機１０に備えられた球回収部に連通するよう構成されており、当該球回収部を介して遊技店の球循環設備(何れも図示せず)にパチンコ球が回収される。
【００７５】
(第１センサ収容部１９４について)
前記第１センサ収容部１９４は、図７、図８、図１１、図１３に示すように、前記導入通路１８１ａを画成する第２通路部材１９０の通路隔壁１９１を挟んだ後側に、後方へ開口する凹状に形成されて、第１センサ収容部１９４の後方開口が第３通路部材２０５で塞がれるようになっている。ここで、前記第１センサ収容部１９４は、第１始動入賞検出センサ８３の球通過孔９１ａが前後方向に開口すると共に側方(実施例では左側方)に位置する横向き姿勢で収容可能な横長の矩形凹状に形成されて、当該球通過孔９１ａが前記上部通出口１９２および第１排出通路１８１ｂに連通する横向き姿勢で第１始動入賞検出センサ８３が収容されている。ここで、前記第１センサ収容部１９４の前面壁１９４ａは、上端から下端に向けて前方へ傾斜する傾斜状に形成されており(図１１参照)、当該前面壁１９４ａに第１始動入賞検出センサ８３を当接させることで、前記球通過孔９１ａの軸線が後方へ向けて下方傾斜する傾斜姿勢で第１始動入賞検出センサ８３が収容保持されている。また、前記第３通路部材２０５には、前記第１始動入賞検出センサ８３におけるセンサ本体９１を傾斜姿勢で支持する支持突部２０６が形成されて、当該第１センサ収容部１９４の前面壁１９４ａとの間に第１始動入賞検出センサ８３を挟持している。このように、前記第１始動入賞検出センサ８３を傾斜姿勢で保持することで、第１入賞通路１８１の導入通路１８１ａを通過して当該センサ８３に到来するパチンコ球を確実に検出しつつ速やかに下流側の第１排出通路１８１ｂへ案内し得るようになっている。
【００７６】
(第２入賞通路１８２について)
前記第２入賞通路１８２は、図７、図８、図１１、図１３に示すように、前記取付基板１１５の第２始動入賞口１０６ａに連通する入賞空間１８２ａと、当該入賞空間１８２ａに接続してパチンコ球を遊技盤２０の外部に排出させる第２排出通路１８２ｂとから構成されており、当該入賞空間１８２ａと第２排出通路１８２ｂとの接続部に前記第２始動入賞検出センサ８４が設置されている。すなわち、前記第２始動入賞口１０６ａに入賞したパチンコ球は、前記入賞空間１８２ａから第２排出通路１８２ｂに移動する過程で第２始動入賞検出センサ８４に検出されることで特図当り判定条件が成立するよう構成されている。なお実施例では、前記第１通路部材１８５に前記入賞空間１８２ａが画成され、第２通路部材１９０と第３通路部材２０５とにより前記第２排出通路１８２ｂが画成されている。
【００７７】
具体的に、前記第１通路部材１８５には、図７、図８、図１１、図１３に示すように、前記第１対向板１８５ａの下部における左右方向の中間位置に、前方に開口する凹状に前記入賞空間１８２ａが形成されている。すなわち、前記入賞空間１８２ａは、前記導入通路１８１ａの下方に位置するよう設けられている。ここで、前記入賞空間１８２ａの前方開口は、左右の開口幅がパチンコ球の直径２個分程度に設定された横長矩形状に形成されており、前記第２始動入賞口１０６ａを介して一度に流入する複数個のパチンコ球を受け入れ得るようになっている。ここで、前記取付基板１１５における前記第２始動入賞口１０６ａの開口縁に形成された第２縁取り突部１２３(図９、図１３参照)の後端部が前記第１対向板１８５ａにおける入賞空間１８２ａの開口前縁に当接するようになっている。すなわち、前記取付基板１１５に対して第１通路部材１８５(通路形成部１８０)を組み付けた際の当接力を第２縁取り突部１２３に集中させることで、取付基板１１５に形成した第２始動入賞口１０６ａの開口縁と、第１通路部材１８５に形成した入賞空間１８２ａの開口縁との密着性を高めて、当該第２始動入賞口１０６ａから入賞空間１８２ａへのパチンコ球の移動をスムーズになし得るよう構成されている。
【００７８】
ここで、前記取付基板１１５の第２縁取り突部１２３には、図９に示すように、前記第２始動入賞口１０６ａの左右に位置する端部に、後方へ開口する円弧状の軸受部１２２ａが形成されており、取付基板１１５と第１通路部材１８５(通路形成部１８０)とを組み付けた際に、当該軸受部１２２ａが前記始動口開閉部材１０７を軸支する軸孔を形成するようになっている。実施例の始動口開閉部材１０７は、図５、図１１に示すように、前記第２始動入賞口１０６ａをパチンコ球が入賞不能に閉鎖可能な平板状に形成されると共に、当該第２始動入賞口１０６ａを閉鎖する閉鎖姿勢の下端部に、左右側方へと出する軸部１０７ａが突設されている。すなわち、前記始動口開閉部材１０７の左右の軸部１０７ａを前記軸受部１２２ａに臨ませた状態で、前記取付基板１１５と第１通路部材１８５(通路形成部１８０)とを組み付けることで、前記始動口開閉部材１０７が始動入賞ユニット１００に揺動可能に支持されている。また、前記第１通路部材１８５の第１対向板１８５ａ部には、前記始動口開閉部材１０７に形成された左右の軸部１０７ａの突出端部と対向する位置に、前方へ突出する規制突部１８５ｂが夫々形成されている(図７、図１２、図１３参照)。前記規制突部１８５ｂは、対応する左右の軸部１０７ａの突出端部と僅かな間隔を開けて対向するようになっており、前記始動口開閉部材１０７の開閉動作を阻害しないよう構成されると共に、パチンコ球の接触等に伴って左右方向に始動口開閉部材１０７が動くのを、規制突部１８５ｂが対応する軸部１０７ａに当接規制することで防止するようになっている。なお、前記規制突部１８５ｂは、前記受止め部１２４の後方開口を介して当該受止め部１２４の内部に収納されている。
【００７９】
図７、図８、図１１、図１３に示すように、前記第１通路部材１８５には、前記入賞空間１８２ａの後面を画成する後隔壁部１８８に、パチンコ球が通過可能な大きさで前後に開口する流出口１８９が前後に開口するよう形成されており、第２始動入賞口１０６ａを介して入賞空間１８２ａに入賞したパチンコ球が当該流出口１８９を介して第１通路部材１８５の後側へ移動するよう構成されている。なお、前記流出口１８９は、前記入賞空間１８２ａの右側に偏った位置に形成されている。また、前記後隔壁部１８８には、前記流出口１８９の左側方位置に、後方へ向かうにつれて右方向に傾斜した第２誘導片１８５ｃが形成されており、入賞空間１８２ａに入賞したパチンコ球を当該第２誘導片１８５ｃにより流出口１８９へ速やかに誘導するよう構成されている。そして、前記第２通路部材１９０において前記流出口１８９と対応する位置に、前記第２始動入賞検出センサ８４を収容した第２センサ収容部１９５が設けられると共に、当該第２センサ収容部１９５を画成する通路隔壁１９１に、パチンコ球が通過可能な大きさで前後に開口する下部通出口１９６が形成されている。
【００８０】
前記下部通出口１９６は、図７、図８、図１１、図１３に示すように、前記第２始動入賞検出センサ８４の球通過孔９１ａおよび前記流出口１８９と整列する位置に設けられており、入賞空間１８２ａの流出口１８９を通過して第２始動入賞検出センサ８４により検出されたパチンコ球が、当該下部通出口１９６を介して第２通路部材１９０の後方へ移動するよう構成されている。また、前記第２通路部材１９０の後面側には、前記下部通出口１９６と対応する位置に、後方に開口すると共に下方向に延在する第３凹部１９７が形成されており、当該第３凹部１９７の後方開口が第３通路部材２０５で塞がれることで前記第２排出通路１８２ｂが画成されるようになっている。すなわち、前記第２始動入賞口１０６ａに入賞して前記第２入賞通路１８２の入賞空間１８２ａを通過したパチンコ球は、下部通出口１９６を介して第２排出通路１８２ｂに移動するようになっている。なお、前記第２排出通路１８２ｂの球出口は、パチンコ機１０に備えられた球回収部に連通するよう構成されており、当該球回収部を介して遊技店の球循環設備(何れも図示せず)に回収されるようになっている。
【００８１】
(第２センサ収容部１９５について)
前記第２センサ収容部１９５は、図７、図８、図１１、図１３に示すように、前記第１通路部材１８５における入賞空間１８２ａの後面を画成する後隔壁部１８８を挟んだ後側に、前方へ開口する凹状に形成されており、当該第１通路部材１８５で前方開口が塞がれるようになっている。ここで、前記第２センサ収容部１９５は、第２始動入賞検出センサ８４の球通過孔９１ａが前後方向に開口すると共に側方(実施例では右側方)に位置する横向き姿勢で収容し得る横長の矩形凹状に形成されて、当該球通過孔９１ａが前記流出口１８９に連通する横向き姿勢で第２始動入賞検出センサ８４が収容されている。ここで、前記第２センサ収容部１９５を画成する前面壁１８８ａ(入賞空間１８２ａの後面を画成する後隔壁部１８８の後面)および後面壁１９５ａは、上端から下端に向けて前方へ傾斜する傾斜状に形成されており(図１１参照)、当該第２センサ収容部１９５の前後の壁１８８ａ,１９５ａに前記第２始動入賞検出センサ８４を当接させることで、前記球通過孔９１ａの軸線が後方へ向けて下方傾斜する傾斜姿勢で第２始動入賞検出センサ８４が第２センサ収容部１９５に収容されるようになっている。このように、前記第２始動入賞検出センサ８４を傾斜姿勢で保持することで、第２入賞通路１８２の入賞空間１８２ａを通過して当該センサ８４に到来するパチンコ球を確実に検出しつつ速やかに下流の第２排出通路１８２ｂへ案内し得るよう構成されている。
【００８２】
ここで、図１１に示すように、前記第２センサ収容部１９５は、前記第１センサ収容部１９４の下方に位置するよう前記第２通路部材１９０に形成されると共に、前記第１始動入賞検出センサ８３および第２始動入賞検出センサ８４が左右逆向きの姿勢で対応するセンサ収容部１９４,１９５に収容される。すなわち、前記第１始動入賞検出センサ８３は球通過孔９１ａが左側に位置する姿勢で設置されると共に、第２始動入賞検出センサ８４は球通過孔９１ａが右側に位置する姿勢で設置することで、第１入賞通路１８１および第２入賞通路１８２のコンパクト化を可能にし、第１ゲート部１０２、第１始動入賞部１０５および第２始動入賞部１０６を備えた始動入賞ユニット１００の小型化を実現している。
【００８３】
(駆動機構収容部２００について)
前記第１通路部材１８５および第２通路部材１９０の間には、図７、図８、図１３に示すように、前記第２始動入賞口１０６ａを開閉する始動口開閉部材１０７を駆動する駆動機構が設置された駆動機構収容部２００が設けられている。前記駆動機構収容部２００は、第１通路部材１８５の右部に後方へ開口するよう形成された前収容部２０１と、第２通路部材１９０の右部に前方へ開口するよう形成された後収容部２０２とから構成され、第１通路部材１８５および第２通路部材１９０を組み付けることで矩形箱状の駆動機構収容部２００が画成されるようになっている。ここで、前記駆動機構収容部２００は、前記導入通路１８１ａ、入賞空間１８２ａおよびセンサ収容部１９４,１９５の右側方に隣接して設けられている。すなわち、始動入賞ユニット１００の左右方向の中間に位置する前記通過口１１５ａや第２始動入賞口１０６ａを基準として、前記第１入賞通路１８１の第１排出通路１８１ｂと左右対象となる位置に駆動機構収容部２００を設けることで、第１ゲート部１０２、第１始動入賞部１０５および第２始動入賞部１０６を備えた始動入賞ユニット１００の小型化を図っている。
【００８４】
前記第１通路部材１８５には、前記前収容部２０１における上下方向の中間位置に、後方へ開口する横長の前側差込孔２０１ａ(図８参照)が形成されると共に、前記第２通路部材１９０には、後収容部２０２における上下方向の中間位置に、前方へ開口する横長の後側差込孔２０２ａ(図７参照)が形成されている。そして、前記第１および第２通路部材１９０の差込孔２０１ａ,２０２ａに、ソレノイド本体１０９に設けられたフランジ１０９ａを挿入することで、プランジャ１０８ａを下方へ向けた姿勢で前記始動入賞ソレノイド１０８が収容保持されるようになっている。すなわち、実施例に係る第２始動入賞部１０６の始動入賞ソレノイド１０８は、ネジ等を利用することなく始動入賞ユニット１００(通路形成部１８０)に保持されている。
【００８５】
また、図７、図８に示すように、前記駆動機構収容部２００の下部位置に、前記始動入賞ソレノイド１０８のプランジャ１０８ａに連繋接続される作動体１１０が揺動可能に収容されている。前記作動体１１０には、前方へ向けて突出する作動アーム１１０ａが設けられており、前記始動入賞ソレノイド１０８の駆動に伴って作動体１１０が揺動することで作動アーム１１０ａが上下移動するようになっている。前記作動アーム１１０ａは、前記始動口開閉部材１０７に形成された第１係合突片１０７ｂおよび第２係合突片１０７ｃと係脱可能に係合するよう構成されており、第１および第２係合突片１０７ｂ,１０７ｃに作動アーム１１０ａが係合して作動させることで、始動口開閉部材１０７が開閉動作するようになっている。具体的には、前記始動口開閉部材１０７には、右側に位置する軸部１０７ａの突出端部に、前記第２始動入賞口１０６ａを閉鎖する閉鎖姿勢にある状態を基準として後方へ突出するよう前記第１係合突片１０７ｂが設けられると共に、当該第１係合突片１０７ｂから下方へ突出するよう前記第２係合突片１０７ｃが設けられている。そして、前記第２始動入賞口１０６ａを閉鎖する閉鎖姿勢にある状態で、前記始動入賞ソレノイド１０８の駆動に伴って下方から上方へ移動する作動アーム１１０ａが前記第１係合突片１０７ｂに対して下方から当接して押し上げるよう構成され、これに伴い始動口開閉部材１０７が閉鎖姿勢から開放姿勢に姿勢変位すると共に、開放姿勢にある状態で、始動入賞ソレノイド１０８の駆動に伴って上方から下方へ移動する作動アーム１１０ａが前記第２係合突片１０７ｃに対して上方から当接して押し下げるよう構成されて、これに伴い始動口開閉部材１０７が開放姿勢から閉鎖姿勢に姿勢変位するよう構成されている。
【００８６】
また、図５〜図８、図１１、図１３に示すように、前記始動入賞ユニット１００は、前記通路形成部１８０の後方に、前記第２始動入賞口１０６ａに向けて光を照射する前記第２照明部２１４を備えている。前記第２照明部２１４は、前記通路形成部１８０の後側に配設され、前方へ向けて光を照射する発光体２１５を有する第２発光基板２１５と、当該第２発光基板２１５の後面を覆蓋保護する第２保護カバー２１６とから構成されている。ここで、前記通路形成部１８０には、前記第２通路部材１９０および第３通路部材２０５から後方へ突出する第２固定突部２０８が突設されており、当該第２固定突部２０８の後端部に第２発光基板２１５を当接させた状態で、第２保護カバー２１６に形成した通孔に挿通したネジを固定突部のネジ孔に螺挿することで、当該第２発光基板２１５および第２保護カバー２１６が通路形成部１８０に固定されるようになっている。また、前記第２発光基板２１５には、前記第２始動入賞口１０６ａの後方位置に、当該第２始動入賞口１０６ａへ向けて光を照射可能な第２始動口用発光体２１５が実装されている。ここで、前記通路形成部１８０(第１〜第３通路部材１９５,１９０,２０５)は、光を透過可能な合成樹脂材により形成されており、第２始動口用発光体２１５を発光することで、第２始動入賞口１０６ａを明輝(発光)し得るようになっている。実施例では、前記始動口開閉部材１０７を開放作動させて第２始動入賞口１０６ａが開放する状際に前記第２始動口用発光体２１５を発光させるよう構成されており、当該第２始動口用発光体２１５の発光に伴い第２始動入賞口１０６ａが明輝されることで、第２始動入賞口１０６ａの開放を報知するようになっている。
【００８７】
(特図表示部５０Ａ,５０Ｂについて)
図２に示すように、前記遊技盤２０の所定位置(実施例では、遊技領域２１の外側左下部位置)には、前記第１または第２始動入賞口１０５ａ,１０６ａへの入賞(対応の始動入賞検出センサ８３,８４による球検出)を契機として作動する特図表示部(特図表示手段)５０Ａ,５０Ｂが設けられている。ここで、特図表示部は、前記第１始動入賞口１０５ａへの入賞を契機として変動表示を開始する第１特図表示部５０Ａと、第２始動入賞口１０６ａへの入賞を契機として変動表示を開始する第２特図表示部５０Ｂとからなり、各特図表示部５０Ａ,５０Ｂの何れも複数個(実施例では１２個ずつ)のＬＥＤにより構成されている。そして、前記第１始動入賞口１０５ａへのパチンコ球の入賞を契機として、第１特図表示部５０ＡのＬＥＤが順次点灯・消灯する点滅変動する特図変動表示が行われ、最終的にＬＥＤが確定的に点灯した点灯位置(点灯パターン)により複数種類の特別図柄(以下、特図という)を表示するようになっている。また、第２始動入賞口１０６ａへのパチンコ球の入賞を契機として、第２特図表示部５０ＢのＬＥＤが点灯・消灯する点滅変動する変動表示が行われて、最終的にＬＥＤが確定的に灯した点灯位置(点灯パターン)により特図を表示するよう構成されている。
【００８８】
ここで、前記特図は、メイン制御ＣＰＵ６０ａによる特図当り判定(特図当り抽選)の結果が特図当り(大当りや小当り)であるか否かなどの内部抽選の結果を示す報知用の図柄とされ、前記各特図表示部５０Ａ,５０Ｂは、ＬＥＤの点灯位置により大当りの当選を認識し得る大当り表示(大当り図柄)としての特図と、小当りの当選を認識し得る小当り表示(小当り図柄)としての特図と、はずれを認識し得るはずれ表示(はずれ図柄)としての特図とが表示可能に構成されて、特図当り判定の結果に応じて１つの特図が確定停止表示される。なお、以下の説明では、第１特図表示部５０Ａで行われる特図変動表示を「第１特図変動表示」と称し、該第１特図変動表示の結果、第１特図表示部５０Ａに確定停止表示される特図を特図１と称する場合がある。同様に、第２特図表示部５０Ｂで行われる特図変動表示を「第２特図変動表示」と称し、該第２特図変動表示の結果、第２特図表示部５０Ｂに確定停止表示される特図を特図２と称する場合がある。
【００８９】
(普図表示部５５について)
また、図２に示すように、前記遊技盤２０には、前記遊技領域２１の外側左下部位置に、複数のＬＥＤ(実施例では２個)からＬＥＤが構成された普図表示部(普図表示手段)５５が配設されている。この普図表示部５５では、第１ゲートセンサ８０および第２ゲートセンサ８１の何れかによるパチンコ球の検出(第１ゲート部１０２または第２ゲート部２５０のパチンコ球の通過)を契機として、複数種類の普通図柄(以下、「普図」と示す場合がある)を変動させて１つの普図を導出する普図変動表示が行われるようになっている。実施例では、２つのＬＥＤの発光態様にて複数種類(実施例では３種類)の普図を表示するようになっている。具体的には、上側ＬＥＤだけが点灯する発光態様，下側ＬＥＤだけが点灯する発光態様および上下のＬＥＤが点灯する発光態様により３種類の普図を示している。なお、以下では、上側ＬＥＤだけが点灯することにより示される普図を普図Ａとし、した側ＬＥＤだけが点灯することにより示される普図を普図Ｂとし、上下のＬＥＤが点灯することにより表示される普図を普図Ｃとする。そして、前記普図表示部５５の最終的な点灯結果から普図当りまたははずれを認識できるようになっている。具体的には、普図当り判定の結果がはずれの場合に普図表示部５５に普図Ａが表示され、普図当りの場合に普図表示部５５に普図Ｂまたは普図Ｃが表示されるよう構成されている。すなわち、この普図当りを認識できる普図が普図当り表示となり、はずれを認識できる普図が普図はずれ表示となる。すなわち、実施例の普図表示部５５は、第１ゲートセンサ８０および第２ゲートセンサ８１の何れかの検出に伴い図柄変動を行うと共に、普図当り判定(第２の当り判定)の判定結果を表示する第２の図柄表示手段として機能するものである。
【００９０】
(変短状態について)
実施例のパチンコ機１０は、大当り遊技終了後に遊技者に有利な遊技状態として特典遊技状態を付与する機能を備えている。ここで、特典遊技状態としては、始動口開閉部材１０７により開閉される前記第２始動入賞口１０６ａへのパチンコ球の入賞契機が、当該特典遊技状態が付与されていない状態と較べて増加する入賞率向上状態である。具体的には、特典遊技状態では、(1)普図変動表示の変動時間の短縮、(2)普図当り確率を低確率から高確率に変動、(3)普図当り１回についての第２始動入賞口１０６ａを開放する始動口開閉部材１０７の開放時間を増やすこと、により第２始動入賞口１０６ａへのパチンコ球の入賞契機を増加することができる。なお、特典遊技状態では、上記(1)〜(3)を単独または複数を組み合わせることができる。なお普図当り１回についての第２始動入賞口１０６ａを開放する始動口開閉部材１０７の開放時間を増やすに際しては、始動口開閉部材１０７の開放時間を単純に延長することで実現してもよく、また始動口開閉部材１０７の開放回数を増やすことで実現することもでき、またこれらを複合させてもよい。なお、実施例では、特典遊技状態として上記(1)および(3)を組み合わせており、以下の説明では便宜的に「変短状態」というものとする。すなわち、変短状態は、第２始動入賞口１０６ａへのパチンコ球の入賞率が向上した入賞率向上状態である。ここで、変短状態の付与条件は、後述するように大当り図柄の種類および小当り図柄の種類毎に定められている。
【００９１】
(大当り遊技について)
次に、実施例のパチンコ機１０で付与される大当り遊技について説明する。大当り遊技は、特図当り判定において大当りに当選した場合に、特図変動表示の結果として特図表示部５０Ａ,５０Ｂに大当り図柄が停止表示された後に開始されるよう設定されており、当選した大当り図柄の種類に応じて前記特別入賞部２４０の特別入賞開閉部材２４２が開閉動作されるようになっている。なお実施例の大当り遊技では、特別入賞部２４０の特別入賞開閉部材２４２を開放するラウンド遊技を規定ラウンド数実行することで、大当り遊技が終了するようになっている。１回のラウンド遊技は、開放した特別入賞口２４０ａ入賞上限個数(例えば８個)のパチンコ球が入賞するか、あるいは各ラウンド遊技の開始から規定時間(ラウンド遊技時間)が経過することで終了する。なお、大当り遊技における各ラウンド遊技の間は、所定時間だけ特別入賞開閉部材２４２を閉鎖状態で保持させるラウンド間インターバル時間が設定されている。
【００９２】
(大当り遊技の種類について)
実施例のパチンコ機１０では、図１４Ａ、図１４Ｂに示すように、特図当り判定において大当りに当選した場合に、複数種類の大当り遊技の中から１つの大当り遊技が決定され、その決定された大当り遊技が付与される。ここで、複数種類の大当り遊技の内で何れの大当り遊技を付与するかは、特図当り判定で大当りに当選した際に決定される大当り図柄(特図１および特図２)の種類に基づいてメイン制御ＣＰＵ６０ａが決定するようになっている。
【００９３】
(第１始動入賞口１０５ａへの入賞に基づく大当り図柄と大当り遊技について)
前記第１特図始動保留情報(第１始動入賞口１０５ａへのパチンコ球の入賞)に基づく特図当り判定の判定結果が肯定判定(大当り)の場合には、前記メイン制御ＣＰＵ６０ａは、予め定められた複数種類の大当り図柄の中から１つの大当り図柄を決定するよう設定されている。具体的に、実施例では、図１４Ａに示すように、第１始動入賞口１０５ａへパチンコ球が入賞した際に取得された特図決定用乱数に基づいて、９種類の大当り図柄(図柄Ａ〜図柄Ｉ)の中から１つの大当り図柄を決定するようになっている。なお、複数種類の大当り図柄(図柄Ａ〜図柄Ｉ)の選択割合は、各大当り図柄毎に割り当てられている特図決定用判定値の割当数により定められ、大当り図柄毎の特図決定用判定値の割当数を変更することで、大当り図柄の振分割合を任意に調整することが可能である。
【００９４】
ここで、メイン制御ＣＰＵ６０ａが図柄Ａ〜図柄Ｅを決定した場合に付与される大当り遊技は、図１４Ａに示すように、規定ラウンド数が「８回」に設定された大当り遊技であって、各ラウンド遊技の入賞上限個数が「８個」に設定されている。また、図柄Ａ〜図柄Ｅに対応した大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、大当り遊技の全体で所定回数(規定ラウンド数)の開閉動作を特別入賞開閉部材２４２が繰り返すようになっている。図柄Ａ〜図柄Ｅに対応した大当り遊技は、１回のラウンド遊技のラウンド遊技時間として、入賞上限個数のパチンコ球が特別入賞口２４０ａに入賞可能な時間に設定されている。具体的には、図柄Ａ〜図柄Ｅに対応した大当り遊技におけるラウンド遊技時間は「２５．０(秒)」が設定されており、各ラウンド遊技において前記特別入賞開閉部材２４２が最大で「２５．０(秒)」に亘って開放動作するようになっている。なお、ラウンド間インターバル時間は、「１．５（秒）」に設定されている。すなわち、図柄Ａ〜図柄Ｅに対応した大当り遊技では、１回の大当り遊技が終了するまでの間に同等の賞球を獲得し得るよう設定されている。
【００９５】
また、図柄Ａ〜図柄Ｄに対応した大当り遊技は、当該大当り遊技をメイン制御ＣＰＵ６０ａが決定した際に、大当り遊技の終了後に所定の変動回数(以下変短回数という)の図柄変動演出(第１または第２特図変動表示)が実行されるまで変短状態が継続して付与されるよう設定されている。一方で、図柄Ｅに対応した大当り遊技は、当該大当り遊技をメイン制御ＣＰＵ６０ａが決定した際に、大当り遊技の終了後に変短状態が付与されないよう設定されている。ここで、変短状態が付与される変短回数は、図柄Ａ〜図柄Ｄ毎に異なる回数に定められており、決定された大当り図柄(図柄Ａ〜図柄Ｄ)の種類に応じて大当り遊技後に付与される特典(変短回数)が変動するようになっている。具体的に、実施例では、図１４Ａに示すように、図柄Ａが決定された場合に、対応する大当り遊技の終了後に変短状態が付与される変短回数が１００回に設定され、図柄Ｂが決定された場合に、対応する大当り遊技の終了後に変短状態が付与される変短回数が３０回に設定され、図柄Ｃが決定された場合に、対応する大当り遊技の終了後に変短状態が付与される変短回数が２０回に設定され、図柄Ｄが決定された場合に、対応する大当り遊技の終了後に変短状態が付与される変短回数が１０回に設定されている。
【００９６】
また、メイン制御ＣＰＵ６０ａが図柄Ｆ〜図柄Ｉを決定した場合に付与される大当り遊技は、図１４Ａに示すように、規定ラウンド数が「２回」に設定された大当り遊技であって、各ラウンド遊技の入賞上限個数が「８個」に設定されている。また、図柄Ｆ〜図柄Ｉに対応した大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、大当り遊技の全体で所定回数(規定ラウンド数)の開閉動作を特別入賞開閉部材２４２が繰り返すようになっている。ここで、図柄Ｆ〜図柄Ｉに対応した大当り遊技は、１回のラウンド遊技のラウンド遊技時間として、入賞上限個数のパチンコ球が特別入賞口２４０ａに入賞不能な時間に設定されている。具体的には、図柄Ｆ〜図柄Ｉに対応した大当り遊技におけるラウンド遊技時間は「０．０４(秒)」が設定されている。なお、ラウンド間インターバル時間は、「１．５（秒）」に設定されている。すなわち、図柄Ｆ〜図柄Ｉに対応した大当り遊技は、１回の大当り遊技が終了するまでの間に殆ど賞球を獲得できないよう設定されている。
【００９７】
また、図柄Ｆ〜図柄Ｉに対応した大当り遊技は、当該大当り遊技をメイン制御ＣＰＵ６０ａが決定した際に、大当り遊技の終了後に所定の変短回数の図柄変動演出(第１または第２特図変動表示)が実行されるまで変短状態が継続して付与されるよう設定されている。ここで、変短状態が付与される変短回数は、図柄Ｆ〜図柄Ｉ毎に異なる回数に定められており、決定された大当り図柄(図柄Ｆ〜図柄Ｉ)の種類に応じて大当り遊技後に付与される特典(変短回数)が変動するようになっている。具体的に、実施例では、図１４Ａに示すように、図柄Ｆが決定された場合に、対応する大当り遊技の終了後に変短状態が付与される変短回数が１００回に設定され、図柄Ｇが決定された場合に、対応する大当り遊技の終了後に変短状態が付与される変短回数が３０回に設定され、図柄Ｈが決定された場合に、対応する大当り遊技の終了後に変短状態が付与される変短回数が２０回に設定され、図柄Ｉが決定された場合に、対応する大当り遊技の終了後に変短状態が付与される変短回数が１０回に設定されている。すなわち、第１特図始動保留情報(第１始動入賞口１０５ａへのパチンコ球の入賞)に基づいて賞球の獲得が殆ど期待できない図柄Ｆ〜図柄Ｉに対応した大当り遊技が決定された場合には、当該大当り遊技後に変短状態が付与されるように設定されている。
【００９８】
(第２始動入賞口１０６ａへの入賞に基づく大当り図柄と大当り遊技について)
前記第２特図始動保留情報(第２始動入賞口１０６ａへのパチンコ球の入賞)に基づく特図当り判定の判定結果が肯定判定(大当り)の場合には、前記メイン制御ＣＰＵ６０ａは、予め定められた複数種類の大当り図柄の中から１つの大当り図柄を決定するよう設定されている。具体的に、実施例では、図１４Ｂに示すように、第２始動入賞口１０６ａへパチンコ球が入賞した際に取得された特図決定用乱数に基づいて、８種類の大当り図柄(図柄ａ〜図柄ｈ)の中から１つの大当り図柄を決定するようになっている。なお、複数種類の大当り図柄(図柄ａ〜図柄ｈ)の選択割合は、各大当り図柄毎に割り当てられている特図決定用判定値の割当数により定めら、大当り図柄毎の特図決定用判定値の割当数を変更することで、大当り図柄の振分割合を任意に調整することが可能である。また、前記第２特図始動保留情報(第２始動入賞口１０６ａへのパチンコ球の入賞)に基づく特図当り判定の判定結果が肯定判定(大当り)の場合には、前記第１特図始動保留情報(第１始動入賞口１０５ａへのパチンコ球の入賞)に基づく特図当り判定の判定結果が肯定判定(大当り)の場合と比べて、１回の大当り遊技において獲得可能な賞球数が多くなるよう設定されている。また、前記第２特図始動保留情報(第２始動入賞口１０６ａへのパチンコ球の入賞)に基づく特図当り判定の判定結果が肯定判定(大当り)の場合には、前記第１特図始動保留情報(第１始動入賞口１０５ａへのパチンコ球の入賞)に基づく特図当り判定の判定結果が肯定判定(大当り)の場合と比べて、大当り遊技後に変短状態が付与される割合の高くなるよう設定されている。
【００９９】
ここで、メイン制御ＣＰＵ６０ａが図柄ａ〜図柄ｄを決定した場合に付与される大当り遊技は、図１４Ｂに示すように、規定ラウンド数が「１５回」に設定された大当り遊技であって、各ラウンド遊技の入賞上限個数が「８個」に設定されている。また、図柄ａ〜図柄ｄに対応した大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、大当り遊技の全体で所定回数(規定ラウンド数)の開閉動作を特別入賞開閉部材２４２が繰り返すようになっている。図柄ａ〜図柄ｄに対応した大当り遊技は、１回のラウンド遊技のラウンド遊技時間として、入賞上限個数のパチンコ球が特別入賞口２４０ａに入賞可能な時間に設定されている。具体的には、図柄ａ〜図柄ｄに対応した大当り遊技におけるラウンド遊技時間は「２５．０(秒)」が設定されており、各ラウンド遊技において前記特別入賞開閉部材２４２が最大で「２５．０(秒)」に亘って開放動作するようになっている。なお、ラウンド間インターバル時間は、「１．５（秒）」に設定されている。すなわち、図柄ａ〜図柄ｄに対応した大当り遊技では、１回の大当り遊技が終了するまでの間に同等の賞球を獲得し得るよう設定されている。
【０１００】
また、図柄ａ〜図柄ｄに対応した大当り遊技は、当該大当り遊技をメイン制御ＣＰＵ６０ａが決定した際に、大当り遊技の終了後に所定の変短回数の図柄変動演出(第１または第２特図変動表示)が実行されるまで変短状態が継続して付与されるよう設定されている。ここで、変短状態が付与される変短回数は、図柄ａ〜図柄ｄ毎に異なる回数に定められており、決定された大当り図柄(図柄ａ〜図柄ｄ)の種類に応じて大当り遊技後に付与される特典(変短回数)が変動するようになっている。具体的に、実施例では、図１４Ｂに示すように、図柄ａが決定された場合に、対応する大当り遊技の終了後に変短状態が付与される変短回数が１００回に設定され、図柄ｂが決定された場合に、対応する大当り遊技の終了後に変短状態が付与される変短回数が３０回に設定され、図柄ｃが決定された場合に、対応する大当り遊技の終了後に変短状態が付与される変短回数が２０回に設定され、図柄ｄが決定された場合に、対応する大当り遊技の終了後に変短状態が付与される変短回数が１０回に設定されている。
【０１０１】
また、メイン制御ＣＰＵ６０ａが図柄ｅ〜図柄ｈを決定した場合に付与される大当り遊技は、図１４Ｂに示すように、規定ラウンド数が「４回」に設定された大当り遊技であって、各ラウンド遊技の入賞上限個数が「８個」に設定されている。また、図柄ｅ〜図柄ｈに対応した大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、大当り遊技の全体で所定回数(規定ラウンド数)の開閉動作を特別入賞開閉部材２４２が繰り返すようになっている。ここで、図柄ｅ〜図柄ｈに対応した大当り遊技は、１回のラウンド遊技のラウンド遊技時間として、入賞上限個数のパチンコ球が特別入賞口２４０ａに入賞可能な時間に設定されている。具体的には、図柄ａ〜図柄ｄに対応した大当り遊技におけるラウンド遊技時間は「２５．０(秒)」が設定されており、各ラウンド遊技において前記特別入賞開閉部材２４２が最大で「２５．０(秒)」に亘って開放動作するようになっている。なお、ラウンド間インターバル時間は、「１．５（秒）」に設定されている。すなわち、図柄ｅ〜図柄ｈに対応した大当り遊技では、１回の大当り遊技が終了するまでの間に同等の賞球を獲得し得るよう設定されている。
【０１０２】
また、図柄ｅ〜図柄ｈに対応した大当り遊技は、当該大当り遊技をメイン制御ＣＰＵ６０ａが決定した際に、大当り遊技の終了後に所定の変短回数の図柄変動演出(第１または第２特図変動表示)が実行されるまで変短状態が継続して付与されるよう設定されている。ここで、変短状態が付与される変短回数は、図柄ｅ〜図柄ｈ毎に異なる回数に定められており、決定された大当り図柄(図柄Ｆ〜図柄Ｉ)の種類に応じて大当り遊技後に付与される特典(変短回数)が変動するようになっている。具体的に、実施例では、図１４Ｂに示すように、図柄ｅが決定された場合に、対応する大当り遊技の終了後に変短状態が付与される変短回数が１００回に設定され、図柄ｆが決定された場合に、対応する大当り遊技の終了後に変短状態が付与される変短回数が３０回に設定され、図柄ｇが決定された場合に、対応する大当り遊技の終了後に変短状態が付与される変短回数が２０回に設定され、図柄ｈが決定された場合に、対応する大当り遊技の終了後に変短状態が付与される変短回数が１０回に設定されている。すなわち、第２特図始動保留情報(第２始動入賞口１０６ａへのパチンコ球の入賞)に基づいて図柄ａ〜図柄ｈに対応した大当り遊技が決定された場合には、当該大当り遊技後に変短状態が必ず付与されるように設定されている。
【０１０３】
(小当り遊技について)
次に、実施例のパチンコで付与される小当り遊技について説明する。小当り遊技は、特図当り判定において小当りに当選した場合に、特図変動表示の結果として特図表示部５０Ａ,５０Ｂに小当り図柄が停止表示された後に開始されるよう設定されており、前記特殊入賞部２２０の特殊入賞開閉部材２２２が開閉動作するようになっている。そして、小当り遊技においてパチンコ球が前記特殊入賞部２２０の特定領域としての第１分岐通路２２６を通過すること(特定領域検出センサ８８がパチンコ球を検出したこと)が継続大当り遊技の付与条件として設定されており、当該継続大当り遊技の付与条件が成立した場合に、小当り遊技の終了後に継続大当り遊技が引き続き行われるようになっている。また、小当り遊技は、小当り遊技の終了後の遊技状態を小当りの当選時における遊技状態のまま継続させるよう設定されており、小当りの当選時に変短状態が付与されていれば小当り遊技終了後にも変短状態が継続して付与される一方、変短状態が付与されていなければ小当り遊技終了後にも変短状態が付与されないようになっている。但し、小当り遊技中に継続大当り遊技の付与条件が成立した場合には、小当り遊技の当選に伴い決定された小当り図柄に基づいて小当り遊技に引き続いて行われる継続大当り遊技後の遊技状態が定まるよう設定されている。
【０１０４】
ここで、図１７に示すように、小当り遊技における前記特殊入賞部２２０の特殊入賞開閉部材２２２の開閉動作パターンは、特図当り判定が行われる時点での遊技状態に応じて定められている。そして、特図当り判定を行う時点での遊技状態に応じて特殊入賞部２２０の特殊入賞開閉部材２２２が所定の開閉動作を行うか、開放した特殊入賞口２２０ａに規定個数(例えば８個)のパチンコ球が入賞することで、小当り遊技が終了するよう構成されている。実施例では、遊技状態が非変短状態で小当りに当選した場合には、変短状態で小当りに当選した場合と比べて、図柄変動演出(特図変動表示)が終了してから特殊入賞部２２０の特殊入賞開閉部材２２２が開放動作を開始するまでの時間を長くするよう設定されている。このように、実施例では、特図当り判定を行う時点での遊技状態が変短状態であるか否かにより、特殊入賞開閉部材２２２の開閉動作が定まるよう構成されている。
【０１０５】
具体的には、図１７に示すように、非変短状態で小当りに当選した場合は、小当り遊技の開始に伴って所定の演出時間(実施例では８０００ミリ秒)のオープニング演出が行われた後に、遊技領域２１(第２の球流下領域２１ｂ)を流下するパチンコ球が特殊入賞部２２０の特殊入賞口２２０ａに入賞可能な開放時間(１７００ミリ秒)で開放するよう特殊入賞開閉部材２２２を開放動作させるよう設定されている。ここで、小当り遊技のオープニング演出において、小当り遊技の当選を知らせる画像や映像を前記図柄表示装置１７に表示したり、音声出力をするよう構成され、特殊入賞開閉部材２２２を開放動作する前に特殊入賞部２２０の特殊入賞口２２０ａが開放すること遊技者に報知するようになっている。このように、非変短状態で小当りに当選した場合には、図柄変動演出(特図変動表示)が終了してから特殊入賞部２２０の特殊入賞口２２０ａを開放するまでに所定の演出時間(８０００ミリ秒)を設けることで、小当り遊技に当選したことを遊技者に確実に報知すると共に、第１の球流下領域２１ａにパチンコ球を流下させる左打ち遊技から第２の球流下領域２１ｂにパチンコ球を流下させる右打ち遊技への遊技形態の切り替えを促すようになっている。
【０１０６】
一方で、変短状態で小当りに当選した場合は、小当り遊技の開始に伴って前記演出時間より短い所定時間(実施例では４ミリ秒)が経過した後に、遊技領域２１(第２の球流下領域２１ｂ)を流下するパチンコ球が特殊入賞部２２０の特殊入賞口２２０ａに入賞可能な開放時間(１７００ミリ秒)で開放するよう特殊入賞開閉部材２２２を開放動作させるよう設定されている。このように、変短状態で小当りに当選した場合には、図柄変動演出(特図変動表示)が終了してから特殊入賞部２２０の特殊入賞口２２０ａを開放するまでの時間を極めて短くすることで、図柄変動演出の終了から間断なく小当り遊技が連続するスピード感のある遊技を実現している。また、実施例のパチンコ機１０では、非変短状態での小当りの当選および変短状態での小当りの当選に関わらず、特殊入賞部２２０の特殊入賞口２２０ａにパチンコ球を入賞可能な開放時間は同一時間に設定されて、特殊入賞口２２０ａへのパチンコ球の入賞を期待し得るようになっている。
【０１０７】
(小当り遊技おける特殊入賞部２２０の作動制御について)
次に、前記小当り遊技に当選した場合における特殊入賞部２２０の振分体２３０の作動制御について説明する。
【０１０８】
前記特殊入賞部２２０は、前記小当り遊技において前記第１姿勢および第２姿勢に振分体２３０が切り替わるよう前記振分ソレノイド２３１をメイン制御ＣＰＵ６０ａが駆動制御して、特殊入賞口２２０ａに入賞して特殊入賞通路２２５を通過するパチンコ球を第１分岐通路(特定領域)２２６および第２分岐通路(非特定領域)２２７に振り分けるよう構成されている。すなわち、前記振分体２３０が第１姿勢にあるタイミングで分岐位置に移動したパチンコ球を第１分岐通路２２６に誘導し、振分体２３０が第２姿勢にあるタイミングで分岐位置に移動したパチンコ球を第２分岐通路２２７に誘導するようになっている。ここで、実施例では、特殊入賞口２２０ａに入賞したパチンコ球が概ね１／５の確率で第１分岐通路２２６に振り分けられるよう前記特殊入賞部２２０の振分体２３０が姿勢変位するよう振分ソレノイド２３１が駆動制御される。なお、前記特殊入賞部２２０は、小当り遊技に当選した際の遊技状態(変短状態か否か)や、決定された小当り図柄の種類に関わらず、一定パターンで振分体２３０が第１姿勢および第２姿勢に切り替わるよう振分ソレノイド２３１が駆動制御される。
【０１０９】
具体的に、図１８に示すように、前記特殊入賞部２２０は、小当り遊技に伴って前記特殊入賞開閉部材２２２が開放してから所定時間(例えば４ミリ秒)が経過した後に第２姿勢から第１姿勢に切り替わって１回目の第１分岐通路２２６の球入口を行うと共に、第１姿勢に切り替わってから所定時間(例えば４００ミリ秒)が経過した後に第１姿勢から第２姿勢に切り替わるよう前記振分ソレノイド２３１が駆動制御される。更に、第２姿勢に切り替わってから所定時間(例えば４２０ミリ秒)が経過した後に第２姿勢から第１姿勢に切り替わって２回目の第１分岐通路２２６の球入口を行うと共に、第１姿勢に切り替わってから所定時間(例えば１２０ミリ秒)が経過した後に第１姿勢から第２姿勢に切り替わるよう前記振分ソレノイド２３１が駆動制御される。そして、２回目の第２姿勢への切り替わりから所定時間(例えば２０００ミリ秒)が経過した後に第２姿勢から第１姿勢に切り替わって３回目の第１分岐通路２２６の球入口を行うと共に、第１姿勢に切り替わってから所定時間(例えば４０ミリ秒)が経過した後に第１姿勢から第２姿勢に切り替わるよう前記振分ソレノイド２３１が駆動制御される。
【０１１０】
このように、実施例の特殊入賞部２２０は、第２姿勢から第１姿勢への振分体２３０の切替を複数回(３回)行われるよう構成されており、前記小当り遊技において特定領域としての第１分岐通路２２６にパチンコ球が振り分けられる期待感を継続して維持し得るよう構成されている。また、特殊入賞部２２０は、前記特殊入賞開閉部材２２２が特殊入賞口２２０ａを閉鎖した後にも第２姿勢から第１姿勢に振分体２３０が切り替わる(３回目の切り替わり)よう構成され、特殊入賞開閉部材２２２が閉鎖した後も特殊入賞通路２２５に残留するパチンコ球が第１分岐通路２２６に振り分けられる可能性を残すことで、小当り遊技の最後まで継続大当り遊技が生起される期待感を維持し得るようになっている。
【０１１１】
(継続大当り遊技について)
次に、実施例のパチンコ機１０で付与される継続大当り遊技について説明する。継続大当り遊技は、特図当り判定において小当りに当選した場合に特殊入賞口２２０ａに入賞したパチンコ球が第１分岐通路２２６を通過した場合(特定領域検出センサ８８がパチンコ球を検出した場合)に、小当り遊技が終了した後に開始されるよう設定されており、特殊入賞口２２０ａを開放する契機となった小当り図柄の種類に応じて前記特別入賞部２４０の特別入賞開閉部材２４２が開閉動作されるようになっている。なお実施例の継続大当り遊技では、前記特図当り判定において大当りに当選した場合に付与される大当り遊技と同様に、特別入賞部２４０の特別入賞開閉部材２４２を開放するラウンド遊技を規定ラウンド数実行することで、大当り遊技が終了するようになっている。１回のラウンド遊技は、開放した特別入賞口２４０ａに入賞上限個数(例えば８個)のパチンコ球が入賞するか、あるいは各ラウンド遊技の開始から規定時間(ラウンド遊技時間)が経過することで終了する。なお、大当り遊技における各ラウンド遊技の間は、所定時間だけ特別入賞開閉部材２４２を閉鎖状態で保持させるラウンド間インターバル時間が設定されている。
【０１１２】
(継続大当り遊技の種類について)
実施例のパチンコ機１０では、図１５に示すように、小当り遊技において前記特殊入賞部２２０の第１分岐通路２２６をパチンコ球が通過(入球)した場合に、複数種類の継続大当り遊技の中から１つの継続大当り遊技が決定され、その決定された継続大当り遊技が付与される。ここで、複数種類の継続大当り遊技の内で何れの継続大当り遊技が付与されるかは、特殊入賞口２２０ａを開放する契機となった小当りに当選した特図当り判定で決定された小当り図柄(特図１および特図２)の種類に基づいて決定されるようになっている。なお、小当り遊技において特殊入賞部２２０の第１分岐通路２２６をパチンコ球が通過(入球)して継続大当り遊技が決定された場合は、当該小当り遊技を継続大当り遊技の１ラウンド目のラウンド遊技としてカウントするよう設定されている。
【０１１３】
(第１始動入賞口１０５ａへの入賞に基づく小当り図柄と継続大当り遊技について)
前記第１特図始動保留情報(第１始動入賞口１０５ａへのパチンコ球の入賞)に基づく特図当り判定の判定結果が肯定判定(小当り)の場合には、前記メイン制御ＣＰＵ６０ａは、予め定められた複数種類の小当り図柄の中から１つの小当り図柄を決定するよう設定されている。具体的に、実施例では、図１５に示すように、第１始動入賞口１０５ａへパチンコ球が入賞した際に取得された特図決定用乱数に基づいて、４種類の小当り図柄(図柄Ｊ〜図柄Ｍ)の中から１つの小当り図柄を決定するようになっている。なお、複数種類の小当り図柄(図柄Ｊ〜図柄Ｍ)の選択割合は、各小当り図柄毎に割り当てられている特図決定用判定値の割当数により定められ、小当り図柄毎の特図決定用判定値の割当数を変更することで、小当り図柄の振分割合を任意に調整することが可能である。
【０１１４】
ここで、メイン制御ＣＰＵ６０ａが図柄Ｊ〜図柄Ｍを決定して行われる小当り遊技において特殊入賞部２２０の第１分岐通路２２６をパチンコ球が通過した場合に、小当り遊技に引き続いて付与される継続大当り遊技は、図１５に示すように、規定ラウンド数が「２回」に設定されて、各ラウンド遊技の入賞上限個数が「８個」に設定されている。また、図柄Ｊ〜図柄Ｍに対応した継続大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、継続大当り遊技の全体で所定回数(規定ラウンド数)の開閉動作を特別入賞開閉部材２４２が繰り返すようになっている。ここで、図柄Ｊ〜図柄Ｍに対応した継続大当り遊技は、１回のラウンド遊技のラウンド遊技時間として、入賞上限個数のパチンコ球が特別入賞口２４０ａに入賞不能な時間に設定されている。具体的には、図柄Ｊ〜図柄Ｍに対応した継続大当り遊技におけるラウンド遊技時間は「０．０４(秒)」が設定されている。なお、継続大当り遊技前の小当り遊技が１ラウンド目となることから、図柄Ｊ〜図柄Ｍに対応した継続大当り遊技は、実質的に１回のラウンド遊技分だけ特別入賞開閉部材２４２が開放動作するように設定されている。すなわち、図柄Ｊ〜図柄Ｍに対応した継続大当り遊技は、１回の小当り遊技が終了するまでの間に殆ど賞球を獲得できないよう設定されている。
【０１１５】
また、図柄Ｊ〜図柄Ｍに対応した継続大当り遊技は、当該継続大当り遊技をメイン制御ＣＰＵ６０ａが決定した際に、継続大当り遊技の終了後に所定の変短回数の図柄変動演出(第１または第２特図変動表示)が実行されるまで変短状態が継続して付与されるよう設定されている。ここで、変短状態が付与される変短回数は、図柄Ｊ〜図柄Ｍ毎に異なる回数に定められており、継続大当り遊技の契機となる小当り図柄(図柄Ｊ〜図柄Ｍ)の種類に応じて継続大当り遊技後に付与される特典(変短回数)が変動するようになっている。具体的に、実施例では、図１５に示すように、図柄Ｊが決定された場合に、対応する継続大当り遊技の終了後に変短状態が付与される変短回数が１００回に設定され、図柄Ｋが決定された場合に、対応する継続大当り遊技の終了後に変短状態が付与される変短回数が３０回に設定され、図柄Ｌが決定された場合に、対応する継続大当り遊技の終了後に変短状態が付与される変短回数が２０回に設定され、図柄Ｍが決定された場合に、対応する継続大当り遊技の終了後に変短状態が付与される変短回数が１０回に設定されている。すなわち、第１特図始動保留情報(第１始動入賞口１０５ａへのパチンコ球の入賞)に基づいて賞球の獲得が殆ど期待できない図柄Ｊ〜図柄Ｍに対応した継続大当り遊技が決定された場合には、当該継続大当り遊技後に変短状態が付与されるように設定されている。
【０１１６】
(第２始動入賞口１０６ａへの入賞に基づく小当り図柄と継続大当り遊技について)
前記第２特図始動保留情報(第２始動入賞口１０６ａへのパチンコ球の入賞)に基づく特図当り判定の判定結果が肯定判定(小当り)の場合には、前記メイン制御ＣＰＵ６０ａは、予め定められた複数種類の小当り図柄の中から１つの小当り図柄を決定するよう設定されている。具体的に、実施例では、図１５に示すように、第２始動入賞口１０６ａへパチンコ球が入賞した際に取得された特図決定用乱数に基づいて、８種類の小当り図柄(図柄ｉ〜図柄ｐ)の中から１つの小当り図柄を決定するようになっている。なお、複数種類の小当り図柄(図柄ｉ〜図柄ｐ)の選択割合は、各小当り図柄毎に割り当てられている特図決定用判定値の割当数により定められ、小当り図柄毎の特図決定用判定値の割当数を変更することで、小当り図柄の振分割合を任意に調整することが可能である。
【０１１７】
ここで、メイン制御ＣＰＵ６０ａが図柄ｉ〜図柄ｌを決定して行われる小当り遊技において特殊入賞部２２０の第１分岐通路２２６をパチンコ球が通過した場合に、小当り遊技に引き続いて付与される継続大当り遊技は、図１５に示すように、規定ラウンド数が「１６回」に設定されて、各ラウンド遊技の入賞上限個数が「８個」に設定されている。また、図柄ｉ〜図柄ｌに対応した継続大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、継続大当り遊技の全体で所定回数(規定ラウンド数)の開閉動作を特別入賞開閉部材２４２が繰り返すようになっている。図柄ｉ〜図柄ｌに対応した継続大当り遊技は、１回のラウンド遊技のラウンド遊技時間として、入賞上限個数のパチンコ球が特別入賞口２４０ａに入賞可能な時間に設定されている。具体的には、図柄ｉ〜図柄ｌに対応した継続大当り遊技におけるラウンド遊技時間は「２５．０(秒)」が設定されており、各ラウンド遊技において前記特別入賞開閉部材２４２が最大で「２５．０(秒)」に亘って開放動作するようになっている。なお、継続大当り遊技前の小当り遊技が１ラウンド目となることから、図柄ｉ〜図柄ｌに対応した継続大当り遊技は、実質的に１５回のラウンド遊技分だけ特別入賞開閉部材２４２が開放動作するように設定されている。なお、ラウンド間インターバル時間は、「１．５（秒）」に設定されている。すなわち、図柄ｉ〜図柄ｌに対応した継続大当り遊技では、１回の小当り遊技が終了するまでの間に同等の賞球を獲得し得るよう設定されている。
【０１１８】
また、図柄ｉ〜図柄ｌに対応した継続大当り遊技は、当該継続大当り遊技をメイン制御ＣＰＵ６０ａが決定した際に、継続大当り遊技の終了後に所定の変短回数の図柄変動演出(第１または第２特図変動表示)が実行されるまで変短状態が継続して付与されるよう設定されている。ここで、変短状態が付与される変短回数は、図柄ｉ〜図柄ｌ毎に異なる回数に定められており、継続大当り遊技の契機となる小当り図柄(図柄ｉ〜図柄ｌ)の種類に応じて継続大当り遊技後に付与される特典(変短回数)が変動するようになっている。具体的に、実施例では、図１５に示すように、図柄ｉが決定された場合に、対応する継続大当り遊技の終了後に変短状態が付与される変短回数が１００回に設定され、図柄ｊが決定された場合に、対応する継続大当り遊技の終了後に変短状態が付与される変短回数が３０回に設定され、図柄ｋが決定された場合に、対応する継続大当り遊技の終了後に変短状態が付与される変短回数が２０回に設定され、図柄ｌが決定された場合に、対応する継続大当り遊技の終了後に変短状態が付与される変短回数が１０回に設定されている。すなわち、第２特図始動保留情報(第２始動入賞口１０６ａへのパチンコ球の入賞)に基づいて図柄ｉ〜図柄ｌに対応した継続大当り遊技が決定された場合には、当該継続大当り遊技後に変短状態が必ず付与されるように設定されている。
【０１１９】
また、メイン制御ＣＰＵ６０ａが図柄ｍ〜図柄ｐを決定して行われる小当り遊技において特殊入賞部２２０の第１分岐通路２２６をパチンコ球が通過した場合に、小当り遊技に引き続いて付与される継続大当り遊技は、図１５に示すように、規定ラウンド数が「２回」に設定された小当り遊技であって、各ラウンド遊技の入賞上限個数が「８個」に設定されている。また、図柄ｍ〜図柄ｐに対応した継続大当り遊技は、各ラウンド遊技の開始から終了まで継続して特別入賞口２４０ａを開放する開放動作を特別入賞開閉部材２４２に行わせるよう設定された全開放ラウンド遊技で構成されている。すなわち、各ラウンド遊技において特別入賞開閉部材２４２が１回だけ開放し、継続大当り遊技の全体で所定回数(規定ラウンド数)の開閉動作を開閉部材４３が繰り返すようになっている。ここで、図柄ｍ〜図柄ｐに対応した継続大当り遊技は、１回のラウンド遊技のラウンド遊技時間として、入賞上限個数のパチンコ球が特別入賞口２４０ａに入賞不能な時間に設定されている。具体的には、図柄ｍ〜図柄ｐに対応した継続大当り遊技におけるラウンド遊技時間は「０．０４(秒)」が設定されている。なお、継続大当り遊技前の小当り遊技が１ラウンド目となることから、図柄ｍ〜図柄ｐに対応した継続大当り遊技は、実質的に１回のラウンド遊技分だけ特別入賞開閉部材２４２が開放動作するように設定されている。
【０１２０】
また、図柄ｍ〜図柄ｐに対応した継続大当り遊技は、当該継続大当り遊技をメイン制御ＣＰＵ６０ａが決定した際に、継続大当り遊技の終了後に所定の変短回数の図柄変動演出(第１または第２特図変動表示)が実行されるまで変短状態が継続して付与されるよう設定されている。ここで、変短状態が付与される変短回数は、図柄ｍ〜図柄ｐ毎に異なる回数に定められており、決定された小当り図柄(図柄ｍ〜図柄ｐ)の種類に応じて小当り遊技後に付与される特典(変短回数)が変動するようになっている。具体的に、実施例では、図１５に示すように、図柄ｍが決定された場合に、対応する継続大当り遊技の終了後に変短状態が付与される変短回数が１００回に設定され、図柄ｎが決定された場合に、対応する継続大当り遊技の終了後に変短状態が付与される変短回数が３０回に設定され、図柄ｏが決定された場合に、対応する継続大当り遊技の終了後に変短状態が付与される変短回数が２０回に設定され、図柄ｐが決定された場合に、対応する継続大当り遊技技の終了後に変短状態が付与される変短回数が１０回に設定されている。すなわち、第２特図始動保留情報(第２始動入賞口１０６ａへのパチンコ球の入賞)に基づいて図柄ｍ〜図柄ｐに対応した継続大当り遊技が決定された場合には、当該継続大当り遊技後に変短状態が必ず付与されるように設定されている。
【０１２１】
このように、前記第２特図始動保留情報(第２始動入賞口１０６ａへのパチンコ球の入賞)に基づく特図当り判定の判定結果が肯定判定(小当り)で、小当り遊技において特殊入賞部２２０の第１分岐通路２２６をパチンコ球が通過した場合には、前記第１特図始動保留情報(第１始動入賞口１０５ａへのパチンコ球の入賞)に基づく特図当り判定の判定結果が肯定判定(小当り)で、小当り遊技において特殊入賞部２２０の第１分岐通路２２６をパチンコ球が通過した場合と比べて、１回の継続大当り遊技において獲得可能な賞球数が多くなるよう設定される。また、実施例では、前記第２特図始動保留情報(第２始動入賞口１０６ａへのパチンコ球の入賞)に基づく特図当り判定の判定結果が肯定判定(小当り)で、小当り遊技において特殊入賞部２２０の第１分岐通路２２６をパチンコ球が通過した場合には、前記第１特図始動保留情報(第１始動入賞口１０５ａへのパチンコ球の入賞)に基づく特図当り判定の判定結果が肯定判定(小当り)で、小当り遊技において特殊入賞部２２０の第１分岐通路２２６をパチンコ球が通過した場合と比べて、大当り遊技後に変短状態が付与される割合が同じに設定されている。
【０１２２】
(パチンコ機１０の制御構成について)
次に、パチンコ機１０の制御構成について説明する。実施例のパチンコ機１０には、図２０に示す如く、パチンコ機１０を全体的に制御するメイン制御基板(メイン制御手段)６０と、該メイン制御基板６０からの制御信号に基づいて各制御対象を制御するサブ制御基板(サブ制御手段)６５,７０とが設けられている。すなわち、メイン制御基板６０では、パチンコ機１０に備えられた各種検出センサ(検出手段)からの検出信号に基づいて各種処理が実行され、その処理結果に応じた各種の制御信号(制御コマンド)がサブ制御基板６５,７０に出力されるようになっている。
【０１２３】
また、実施例のパチンコ機１０には、サブ制御基板として、遊技演出を全体的に制御する統括制御基板６５と、図柄表示装置１７での表示内容を制御する表示制御基板７０と、パチンコ機１０が備える各種発光演出手段(第１照明図や第２照明部２１４等)の発光制御を行うランプ制御基板７２と、パチンコ機１０が備えるスピーカ１９(図１、図２０参照)の音出力制御を行う音制御基板７３とを備えている。すなわち、メイン制御基板６０が出力した制御信号(制御コマンド)に基づいて、前記統括制御基板６５が表示制御基板７０、ランプ制御基板７２および音制御基板７３を制御するよう構成されており、パチンコ機１０で実行される各種遊技演出(図柄変動演出や発光演出、音声演出)を統括的にコントロールし得るようになっている。ここで、表示制御基板７０は、統括制御基板６５から出力された制御信号(制御コマンド)に基づいて、図柄表示装置１７に表示される図柄(飾図)や背景画像等の図柄変動演出の表示内容を制御するよう構成される。また、ランプ制御基板７２は、統括制御基板６５から出力された制御信号(制御コマンド)に基づいて、パチンコ機１０が備える各種発光演出手段(第１照明部２１０や第２照明部２１４等)の点灯・消灯のタイミングや、発光強度等を制御するものである。そして、音制御基板７３は、統括制御基板６５から出力された制御信号(制御コマンド)に基づき、パチンコ機１０が備える各種スピーカ１９からの音声出力のタイミングや大きさ等を制御するものである。
【０１２４】
(メイン制御基板６０について)
前記メイン制御基板６０は、図２０に示に示す如く、制御処理を実行するメイン制御ＣＰＵ６０ａ、該メイン制御ＣＰＵ６０ａが実行する制御プログラムを記憶するメイン制御ＲＯＭ６０ｂ、当該メイン制御ＣＰＵ６０ａの処理に必要なデータの書込み・読出しが可能なメイン制御ＲＡＭ６０ｃ等が備えられている。そして、前記第１始動入賞検出センサ８３、第２始動入賞検出センサ８４、第１特別入賞検出センサ８６、第２特別入賞検出センサ８６、特定領域検出センサ８８、非特定領域検出センサ８９、第１ゲートセンサ８０および第２ゲートセンサ８１等の各種センサが前記メイン制御ＣＰＵ６０ａに接続されている。また、メイン制御ＣＰＵ６０ａには、第１および第２特図表示部５０Ａ,５０Ｂ、普図表示部５５等の各表示部が接続されて、各センサの検出を契機としてメイン制御ＣＰＵ６０ａで実行された制御処理に基づいて、各表示部の表示制御が実行されるようになっている。また、メイン制御ＣＰＵ６０ａには、前記第２始動入賞部１０６の始動入賞ソレノイド１０８、特別入賞部２４０の特別入賞ソレノイド２４３、特殊入賞部２２０の特殊入賞ソレノイド２２３や振分ソレノイド２３１が夫々接続されており、該メイン制御ＣＰＵ６０ａでの制御処理結果に基づいて各ソレノイドの駆動制御が行われる。
【０１２５】
メイン制御ＣＰＵ６０ａは、第１始動入賞口１０５ａおよび第２始動入賞口１０６ａへパチンコ球が入賞したこと(より具体的には第１始動入賞検出センサ８３、第２始動入賞検出センサ８４がパチンコ球を検出したこと)を契機として取得する判定用乱数(遊技情報)としての特図当り判定用乱数、特図決定用乱数等の各種乱数の値や、第１ゲート部１０２および第２ゲート部２５０をパチンコ球が通過したこと(より具体的には第１ゲートセンサ８０および第２ゲートセンサ８１がパチンコ球を検出したこと)を契機として取得する判定用乱数(遊技情報)としての普図当り判定用乱数、普図決定用乱数等の各種乱数の値を、所定の周期(実施例では４ミリ秒)で更新し、更新後の値をメイン制御ＲＡＭ６０ｃに一時的に記憶して更新前の値を書き換えている。また、メイン制御ＣＰＵ６０ａは、時間を計測するタイマ更新処理を実行する。メイン制御ＲＡＭ６０ｃには、パチンコ機１０の動作中に適宜書き換えられる各種遊技情報(乱数値、タイマ値、フラグなど)が記憶(設定)されるようになっている。
【０１２６】
特図当り判定用乱数は、図柄変動演出の結果として大当りまたは小当りを発生するか否かの特図当り判定(特図当り抽選)で用いる乱数である。実施例では、特図当り判定用乱数として、「０」〜「６５５３５」の全３５５３６通りの整数値が設定されており、所定の周期(４ミリ秒)で１ずつ更新されるようになっている。また、特図決定用乱数は、特図当り判定の結果に応じて第１特図表示部５０Ａに確定停止表示させる特図１または第２特図表示部５０Ｂに確定停止表示させる特図２を決定する際に用いる乱数であり、所定の周期(４ミリ秒)で１ずつ更新されるようになっている。ここで、実施例では、特図決定用乱数の各値には、はずれを示す１種類の特図表示に対応する乱数と、大当りを示す大当り表示に対応する乱数と、小当りを示す小当り表示に対応する乱数とが設定されており、該特図決定用乱数の値により、特図表示部５０Ａ,５０Ｂに確定停止表示される特図が特定されるようになっている。また、前記大当り図柄や小当り図柄としての特図１および特図２が特定されることで、図柄変動演出の終了後に付与される大当り遊技の種類や継続大当り遊技の種類が特定されるようになっている。また、大当り遊技や継続大当り遊技の種類毎に変短状態が付与されるか否かが対応して定められており、特図決定用乱数が変短状態を付与するか否かを決定する乱数(情報)としての機能も有している。
【０１２７】
実施例のパチンコ機１０では、特図当り判定用乱数および特図決定用乱数は、第１始動入賞口１０５ａ、第２始動入賞口１０６ａの何れかにパチンコ球が入賞したこと(より具体的には第１始動入賞検出センサ８３、第２始動入賞検出センサ８４の何れかがパチンコ球を検出したこと)を契機として、メイン制御ＲＡＭ６０ｃに一時的に記憶されている各乱数を同じタイミングで前記メイン制御ＣＰＵ６０ａが取得するようになっている。
【０１２８】
普図当り判定用乱数は、普図変動の結果として第２始動入賞口１０６ａの開放(普図当り)を発生させるか否かの普図当り判定(普図当り抽選)で用いられる乱数である。実施例では、普図当り判定用乱数として、「０」〜「３５５３５」の全３５５３６通りの整数値が設定されており、所定の周期(４ミリ秒)で１ずつ更新されるようになっている。また、普図決定用乱数は、普図当り判定の結果に応じて普図表示部５５に確定停止表示させる普図を決定する際に用いる乱数(実施例での設定数２５５個)である。ここで、普図決定用乱数の各値には、普図はずれを示す１種類の普図表示に対応する乱数と、普図当りを示す２種類の普図表示に対応する乱数とが設定されており、該普図決定用乱数の値により、普図表示部５５に確定停止表示される普図が特定されるようになっている。そして、第１ゲート部１０２または第２ゲート部２５０をパチンコ球が通過したこと(より具体的には第１ゲートセンサ８０および第２ゲートセンサ８１の何れかがパチンコ球を検出したこと)を契機として、メイン制御ＲＡＭ６０ｃに一時的に記憶されている通過検出情報(普図当り判定用乱数および普図決定用乱数等)を同じタイミングで前記メイン制御ＣＰＵ６０ａが取得するようになっている。
【０１２９】
メイン制御ＲＯＭ６０ｂには、図柄変動演出の結果、大当りを発生させることを示す大当り判定値が記憶されている。大当り判定値は、前記特図当り判定用乱数を用いて大当り遊技を生起するか否かの判定(特図当り判定)で用いる判定値であり、特図当り判定用乱数の取り得る「０」〜「６５５３５」までの全６５５３６通りの整数の中から所定数の判定値が定められている。そして、第１始動入賞口１０５ａ、第２始動入賞口１０６ａの何れかにパチンコ球が入賞した際に取得した特図当り判定用乱数が特図当り判定値と一致した場合に、図柄変動演出の終了後に大当り遊技を付与することが決定される一方、特図当り判定用乱数が特図当り判定値と一致しない場合に、図柄変動演出の終了後に大当り遊技を付与しないことが決定される。
【０１３０】
ここで、実施例では、第１始動入賞口１０５ａへのパチンコ球の入賞を契機として特図当り判定が行われる場合と、第２始動入賞口１０６ａへのパチンコ球の入賞を契機として特図当り判定が行われる場合とで、大当り遊技に当選する確率(大当り遊技が生起される確率)は同一の確率に設定されている。具体的に、第１始動入賞口１０５ａへのパチンコ球の入賞を契機とする特図当り判定に用いられる大当り判定値として、２１９個の判定値が設定され、第２始動入賞口１０６ａへのパチンコ球の入賞を契機とする特図当り判定に用いられる大当り判定値として、２１９個の判定値が設定され、第１始動入賞口１０５ａおよび第２始動入賞口１０６ａの何れかへの入賞を契機として特図当り判定が行われた場合に、１／２９９．２５の確率で大当り判定に当選するよう設定されている。
【０１３１】
またメイン制御ＲＯＭ６０ｂには、図柄変動演出の結果、小当りを発生させることを示す小当り判定値が記憶されている。小当り判定値は、前記特図当り判定用乱数を用いて小当り遊技を生起するか否かの判定(特図当り判定)で用いる判定値であり、特図当り判定用乱数の取り得る「０」〜「６５５３５」までの全６５５３６通りの整数の中から所定数の判定値が定められている。そして、第１始動入賞口１０５ａ、第２始動入賞口１０６ａの何れかにパチンコ球が入賞した際に取得した特図当り判定用乱数が特図当り判定値と一致した場合に、図柄変動演出の終了後に小当り遊技を付与することをメイン制御ＣＰＵ６０ａが決定する一方、特図当り判定用乱数が特図当り判定値と一致しない場合に、図柄変動演出の終了後に小当り遊技を付与しないことメイン制御ＣＰＵ６０ａが決定する。すなわち、実施例のメイン制御ＣＰＵ６０ａは、前記第１始動入賞部１０５および第２の始動入賞部１０５,１０６の夫々に対応した始動入賞検出センサ８３,８４によるパチンコ球の検出を契機として、前記特殊入賞部２２０の特殊入賞開閉部材２２２を開放作動させるか否かの特殊入賞口開放判定(特図当り判定)を行う開放判定手段としての機能を有している。
【０１３２】
ここで、実施例では、第１始動入賞口１０５ａへのパチンコ球の入賞を契機として特図当り判定が行われる場合と、第２始動入賞口１０６ａへのパチンコ球の入賞を契機として特図当り判定が行われる場合とで、小当り遊技に当選する確率(小当り遊技が生起される確率)が異なるよう設定されている。すなわち、第１始動入賞口１０５ａにパチンコ球が入賞した場合と、第２始動入賞口１０６ａにパチンコ球が入賞した場合とで、前記特殊入賞部２２０の特殊入賞口２２０ａが開放する割合を異ならせることで、多様な遊技態様を実現している。実施例では、第１始動入賞口１０５ａへのパチンコ球の入賞を契機として特図当り判定が行われる場合と比べて、第２始動入賞口１０６ａへのパチンコ球の入賞を契機として特図当り判定が行われる場合の方が、小当り遊技に当選する確率(小当り遊技が生起される確率)が高くなるよう設定されており、普図当り判定条件の成立に伴って別途行われる普図当り判定に伴って第２始動入賞口１０６ａが開放することへの関心を高めてある。具体的に、第１始動入賞口１０５ａへのパチンコ球の入賞を契機とする特図当り判定に用いられる小当り判定値として、１５６個の判定値が設定されて、第１始動入賞口１０５ａへの入賞を契機として特図当り判定が行われた場合に、１／４２０．１０の確率で小当り判定に当選するよう設定されると共に、第２始動入賞口１０６ａへのパチンコ球の入賞を契機とする特図当り判定に用いられる小当り判定値として、１３１１０個の判定値が設定されて、第２始動入賞口１０６ａへの入賞を契機として特図当り判定が行われた場合に、１／４．９９８の確率で小当り判定に当選するよう設定されている。
【０１３３】
このように、実施例のパチンコ機１０は、第１始動入賞口１０５ａへのパチンコ球の入賞を主とする遊技形態(左打ち遊技)の場合には、特図当り判定において大当り遊技に当選するか否かを主とした遊技性の遊技が行われ、第２始動入賞口１０６ａへのパチンコ球の入賞を主とする遊技形態(右打ち遊技)の場合には、特図当り判定において小当り遊技に当選するか否かを主とした遊技性の遊技が行われるよう構成されている。すなわち、非変短状態で行われる左打ち遊技と、変短状態で行われる右打ち遊技とで遊技性が全く異なる遊技を行い得るようになっている。なお、前記大当り判定値および小当り判定値には、異なる値の判定値が設定され、一度の特図当り判定によって大当り遊技と小当り遊技とに同時に当選しないよう構成してある。
【０１３４】
また、メイン制御ＲＯＭ６０ｂには、特図決定用判定値が記憶されている。特図決定用判定値は、特図当り判定の結果が大当りの場合(大当り遊技に当選した場合)に、第１特図表示部５０Ａに確定停止表示させる大当り図柄としての特図１または第２特図表示部５０Ｂに確定停止表示させる大当り図柄としての特図２を、特図決定用乱数を用いて決定する判定値である。ここで、実施例では、特図決定用判定値には、前述した１００種類の特図決定用乱数に対応した種類の整数値が設定されている。そして、第１始動入賞口１０５ａへのパチンコ球の入賞を契機とした大当りに当選した場合には、特図決定用判定値が特図１の大当り図柄として設定された前記９種類の図柄Ａ〜図柄Ｉに対応付けられて割り当てられており、特図決定用乱数に対応した特図決定用判定値が割り当てられた図柄Ａ〜図柄Ｉの何れかをメイン制御ＣＰＵ６０ａが決定するようになっている。同様に、第２始動入賞口１０６ａへのパチンコ球の入賞を契機とした大当りに当選した場合には、特図決定用判定値が特図２の大当り図柄として設定された前記８種類の図柄ａ〜図柄ｈに対応付けられて割り当てられており、特図決定用乱数に対応した特図決定用判定値が割り当てられた図柄ａ〜図柄ｈの何れかをメイン制御ＣＰＵ６０ａが決定するようになっている。
【０１３５】
また、前記特図決定用判定値は、特図当り判定の結果が小当りの場合(小当り遊技に当選した場合)に、第１特図表示部５０Ａに確定停止表示させる大当り図柄としての特図１または第２特図表示部５０Ｂに確定停止表示させる小当り図柄としての特図２を、特図決定用乱数を用いて決定する判定値である。すなわち、第１始動入賞口１０５ａへのパチンコ球の入賞を契機として小当り判定に当選した場合には、特図決定用判定値が特図１の小当り図柄として設定された前記４種類の図柄Ｊ〜図柄Ｍに対応付けられて割り当てられており、特図決定用乱数に対応した特図決定用判定値が割り当てられた図柄Ｊ〜図柄Ｍの何れかをメイン制御ＣＰＵ６０ａが決定するようになっている。同様に、第２始動入賞口１０６ａへのパチンコ球の入賞を契機として小当り判定に当選した場合には、特図決定用判定値が特図２の小当り図柄として設定された前記８種類の図柄ｊ〜図柄ｑに対応付けられて割り当てられており、特図決定用乱数に対応した特図決定用判定値が割り当てられた図柄ｊ〜図柄ｑの何れかをメイン制御ＣＰＵ６０ａが決定するようになっている。
【０１３６】
また、メイン制御ＲＯＭ６０ｂには、普図変動演出の結果、普図当りを発生させることを示す普図当り判定値が記憶されている。普図当り判定値は、前記普図当り判定用乱数を用いて普図当りか否かの普図当り判定(普図当り抽選)で用いる判定値であり、普図当り判定用乱数の取り得る「０」〜「６５５３５」までの全６５５３６通りの整数の中から所定数の判定値が定められている。そして、第１ゲート部１０２、第２ゲート部２５０の何れかをパチンコ球が通過した際に取得した普図当り判定用乱数が普図当り判定値と一致した場合に、普図変動の終了後に第２始動入賞部１０６の始動口開閉部材１０７を開閉作動することが決定される一方、普図当り判定用乱数が普図当り判定値と一致しない場合に、普図変動の終了後に第２始動入賞部１０６の始動口開閉部材１０７を開閉作動しないことが決定される。
【０１３７】
ここで、実施例では、第１ゲート部１０２へのパチンコ球の通過を契機として普図当り判定が行われる場合と、第２ゲート部２５０へのパチンコ球の通過を契機として普図当り判定が行われる場合とで、普図当りに当選する確率(第２始動入賞部１０６の始動口開閉部材１０７が開閉作動される確率)は同一の確率に設定されている。具体的に、第１ゲート部１０２へのパチンコ球の通過を契機とする普図当り判定に用いられる普図当り判定値として、４９１５２個の判定値が設定され、第２ゲート部２５０へのパチンコ球の通過を契機とする普図当り判定に用いられる大当り判定値として、４９１５２個の判定値が設定され、第１ゲート部１０２および第２ゲート部２５０の何れかへの通過を契機として普図当り判定が行われた場合に、４９１５２／６５５３６の確率で普図当り判定に当選するよう設定されている。
【０１３８】
メイン制御ＲＯＭ６０ｂには、普図決定用判定値が記憶されている。普図決定用判定値は、普図当り判定の結果が肯定の場合に、普図表示部５５に確定停止表示させる普図を、普図決定用乱数を用いて決定する判定値である。ここで、実施例では、普図決定用判定値には、普図当りを示す前述した種類の普図決定用乱数に対応した整数値(実施例での設定数２５５個)が設定されている。ここで、図１９に示すように、前記非変短状態で普図当り判定が行われる場合には、普図Ｂに対して２５４個の普図決定用判定値が割り当てられ、普図Ｃに対して１個の普図決定用判定値が割り当てられるよう設定されている。また、前記変短状態で普図当り判定が行われる場合には、普図Ｂに対して１００個の普図決定用判定値が割り当てられ、普図Ｃに対して１５５個の普図決定用判定値が割り当てられるよう設定されている。すなわち、メイン制御ＣＰＵ６０ａは、第１ゲートセンサ８０および第２ゲートセンサ８１によるパチンコ球の検出を契機として、前記第２始動入賞部１０６の始動口開閉部材１０７を開閉作動させるか否かを判定(すなわち普図当り判定)する始動口開閉判定手段として機能すると共に、普図当り判定の判定結果が肯定の場合に、第２始動入賞部１０６の始動入賞ソレノイド１０８を駆動させて第２始動入賞口１０６ａを開放させる駆動制御手段として機能するようになっている。
【０１３９】
(第２始動入賞部１０６における始動口開閉部材１０７の開閉制御について)
次に、前記第１ゲート部１０２および第２ゲート部２５０をパチンコ球が通過することを契機として行われる前記第２始動入賞部１０６(第２始動入賞口１０６ａ)における始動口開閉部材１０７の開閉制御について説明する。
【０１４０】
(普図当りの種類について)
実施例のパチンコ機１０では、前記第１ゲート部１０２および第２ゲート部２５０をパチンコ球が通過することを契機として行われる普図当り判定に当選した場合に、遊技者に与える価値が異なる複数種類の開閉動作パターンの中から１つの開閉動作パターンをメイン制御ＣＰＵ６０ａが決定し、その決定された開閉動作パターンに基づいて前記第２始動入賞部１０６(第２始動入賞口１０６ａ)の始動口開閉部材１０７を開閉動作させるよう設定されている。すなわち、実施例におけるメイン制御ＣＰＵ６０ａは、始動口開閉部材１０７を開閉動作させる開閉条件を定めた開閉動作パターンを決定可能な開閉条件決定手段として機能している。なお、実施例では、メイン制御ＣＰＵ６０ａが決定可能な開閉動作パターンとして４種類の開閉動作パターンが設定されている。
【０１４１】
ここで、図１９に示すように、開閉動作パターンは、普図当りの際に始動口開閉部材１０７を開放させる開閉態様(開放時間および開放回数)を特定するものである。そして、複数種類の開閉動作パターンの内で何れの開閉動作パターンで始動口開閉部材１０７を開放動作させるかは、普図当り判定に当選した際に決定される普図の種類に応じて決定されるようになっている。前述のように、実施例では、普図当り判定の結果がはずれの場合に決定される普図Ａと、普図当り判定の結果が当りの場合に決定される普図Ｂおよび普図Ｃの２種類が設定されており、普図当りとなる普図Ｂおよび普図Ｃが決定された場合に、決定された普図に応じた開閉動作パターンで始動口開閉部材１０７が開閉動作するようになっている。
【０１４２】
また、前記メイン制御ＣＰＵ６０ａが決定可能な開閉動作パターンは、普図当り判定を行う時点での遊技状態に応じて定められている。実施例では、普図当り判定を行う時点での遊技状態が変短状態であるか否かにより、決定可能な開閉動作パターンの種類が定められている。具体的に、遊技状態が非変短状態の場合には、普図Ｂに対して第１開閉動作パターンが対応づけられると共に、普図Ｃに対して第２開閉動作パターンが対応づけられている。また遊技状態が変短状態の場合には、普図Ｂに対して第３開閉動作パターンが対応づけられると共に、図Ｃに対して第４開閉動作パターンが対応づけられている。ここで、第１〜第４開閉動作パターンは、１回の普図当りによって始動口開閉部材１０７を開放させる総開放時間が異なるよう設定されており、第１〜第４開閉動作パターンの何れの開閉動作パターンで始動口開閉部材１０７が開閉動作するかによって第２始動入賞口１０６ａへのパチンコ球の入賞期待度が異なるようになっている。
【０１４３】
第１開閉動作パターンは、図１９に示すように、遊技領域２１を流下するパチンコ球が第２始動入賞口１０６ａに略入賞不能な開放時間で始動口開閉部材１０７を開放動作させるよう設定されている。具体的には、実施例の第１開閉動作パターンは、始動口開閉部材１０７が「３２ミリ秒」の開放動作を１回行うよう設定されて、当該開放動作に伴って第２始動入賞口１０６ａへの入賞が殆ど期待できないようになっている。一方で、第２開閉動作パターンは、遊技領域２１を流下するパチンコ球が第２始動入賞口１０６ａに入賞不能な開放時間で始動口開閉部材１０７を開放動作させるよう設定されている。具体的には、実施例の第２開閉動作パターンは、始動口開閉部材１０７が「３２ミリ秒」の開放動作を１回行った後に、「５０００ミリ秒」の開放動作を１回行うよう設定されて、２回目の開放動作時に第２始動入賞口１０６ａへの入賞が可能となるよう設定されている。すなわち、非変短状態では、普図当り判定に伴って普図Ｃが決定された場合に限り、第２始動入賞口１０６ａへのパチンコ球の入賞(特図当り判定条件の成立)を期待し得るようになっている。
【０１４４】
また第３開閉動作パターンおよび第４開閉動作パターンは、図１９示すように、遊技領域２１を流下するパチンコ球が第２始動入賞口１０６ａに入賞可能な開放時間で始動口開閉部材１０７を開放動作させるよう設定されている。具体的には、実施例の第３開閉動作パターンは、始動口開閉部材１０７が「１０６８ミリ秒」の開放動作を５回行うよう設定され、第４開閉動作パターンは、始動口開閉部材１０７が「１０７０ミリ秒」の開放動作を５回行うよう設定されて、１回目〜５回目の開放動作時に第２始動入賞口１０６ａへの入賞が可能となるよう設定されている。すなわち、変短状態では、普図当り判定に伴って普図Ｂおよび図柄Ｃの何れが決定された場合であっても、第２始動入賞口１０６ａへのパチンコ球の入賞(特図当り判定条件の成立)を期待し得るようになっている。なお、第３開閉動作パターンおよび第４開閉動作パターンでは、始動口開閉部材１０７が閉鎖してから次の開放動作を行うまでのインターバル時間が８００ミリ秒に設定されている。
【０１４５】
このように、非変短状態で行われる左打ち遊技では、第２始動入賞口１０６ａへのパチンコ球の入賞頻度を抑えることで、第１始動入賞口１０５ａへのパチンコ球の入賞を契機として特図当り判定において大当り遊技に当選するか否かを主とした遊技性の遊技を実現すると共に、変短状態で行われる右打ち遊技では、第２始動入賞口１０６ａへのパチンコ球の入賞頻度を高めることで、第２始動入賞口１０６ａへのパチンコ球の入賞を契機として特図当り判定において小当り遊技に当選するか否かを主とした遊技性の遊技を実現している。
【０１４６】
すなわち、可変入賞口としての第２始動入賞口１０６ａを含む始動入賞口１０５ａ,１０６ａへの入賞を契機として遊技情報を取得する遊技情報取得手段、取得した遊技情報に基づいて当り遊技(大当り遊技や小当り遊技)を生起するか否かを判定する当り判定手段、当り判定手段の判定結果が肯定の場合に、複数種類の当り遊技の中から付与する当り遊技大当り遊技や小当り遊技」を決定する当り遊技決定手段としての夫々の機能を前記メイン制御ＣＰＵ６０ａが備えている。またメイン制御ＣＰＵ６０ａは、決定した種類の当り遊技(大当り遊技や小当り遊技)を特図変動表示終了後(図柄変動演出終了後)に付与する当り遊技付与手段としての機能を備えている。
【０１４７】
更に、前記メイン制御ＣＰＵ６０ａは、当りが発生する場合(当り判定手段の判定結果が肯定の場合)に、第２始動入賞口１０６ａへパチンコ球が入賞する確率が高確率となる入賞率向上状態(変短状態)を付与するか否かを決定する遊技状態決定手段(入賞率向上状態決定手段)として機能し、入賞率向上状態を付与する場合に、入賞率向上状態を付与する期間(変短回数)を決定する期間決定手段として機能すると共に、当り遊技終了後に決定された入賞率向上状態を付与する期間だけ入賞率向上状態を付与する遊技状態付与手段(入賞率向上状態付与手段)としても機能している。ここで、前記メイン制御ＣＰＵ６０ａは、当り遊技の終了後から予め決められた回数の特図変動表示(図柄変動演出)が実行されるまでの間、あるいは次回の当り遊技が付与されるまでの間の何れかの期間を、入賞率向上状態の付与期間(変短回数)として決定するようになっている。また、メイン制御ＣＰＵ６０ａは、入賞率向上状態の付与期間として複数種類の期間を、決定された当り遊技の種類に応じて決定するようになっている。このように、前記メイン制御ＣＰＵ６０ａは、当り判定が肯定判定の場合に、始動入賞口１０５ａ,１０６ａへの入賞に基づいて当り遊技後に遊技者に有利な特典状態(変短状態)を付与するか否かを決定する特典状態決定手段としての機能を備えている。
【０１４８】
(実施例の作用)
次に、実施例に係るパチンコ機１０の作用について説明する。
【０１４９】
前記遊技盤２０に設けられた遊技領域２１の第１の球流下領域２１ａにパチンコ球を打ち出して流下させる遊技形態(左打ち遊技)では、図２１に示すように、遊技盤２０に植設された上側案内連釘３１ａに沿って前記始動入賞ユニット１００に向けて流下したパチンコ球が当該始動入賞ユニット１００における第１ゲート部１０２のゲート入口１０２ａに入球する。そして第１ゲート部１０２のゲート入口１０２ａに入球したパチンコ球が当該第１ゲート部１０２に設けられた第１ゲートセンサ８０により検出されることで、普図当り判定条件が成立して、メイン制御ＣＰＵ６０ａにおいて普図当り判定が行われる。また、前記第１ゲートセンサ８０で検出されたパチンコ球は、前記第１ゲート部１０２のゲート出口１０２ｂを通出して、前記始動入賞ユニット１００に設けられた流入口１４２ａを介して前記前カバー部１４０の内側に設けられた流入通路１４４に移動する。また、前記始動入賞ユニット１００には、前記第１始動入賞部１０５の第１始動入賞口１０５ａが前記流入通路１４４の球出口(第１ゲート部１０２のゲート出口１０２ｂ)と上下に整列するよう設けられていることから、当該流入通路１４４を通過したパチンコ球が第１始動入賞口１０５ａにそのまま入賞する。そして第１始動入賞部１０５の第１始動入賞口１０５ａに入賞したパチンコ球が始動入賞ユニット１００の通路形成部１８０(第１センサ収容部１９４)に設けられた第１始動入賞検出センサ８３により検出されることで、特図当り判定条件が成立して、メイン制御ＣＰＵ６０ａにおいて特図当り判定が行われる。
【０１５０】
このように、実施例のパチンコ機１０では、第１ゲート部１０２および第１始動入賞部１０５を備えた始動入賞ユニット１００を遊技盤２０に配設して、第１始動入賞口１０５ａにパチンコ球が入賞する前に第１ゲート部１０２を通出するようにしたことで、第１始動入賞口１０５ａへの入賞に伴う特図当り判定条件と、第１ゲート部１０２のパチンコ球の通過に伴う普図当り判定条件(特図当り判定条件とは異なった別の判定条件)とを１つのパチンコ球により同時に成立させることができる。すなわち、遊技領域２１を流下する１個のパチンコ球が第１ゲート部１０２の第１ゲートセンサ８０および第１始動入賞部１０５の第１始動入賞検出センサ８３で検出されることで、普図当り判定条件の成立に伴って行われる普図当り判定の結果に応じて第２始動入賞部１０６における第２始動入賞口１０６ａが開放する契機が得られると共に、特図当り判定条件の成立に伴って行われる特図当り判定の結果に応じて大当り遊技や小当り遊技が生起される機会が得られる。このように、前記第１始動入賞部１０５の第１始動入賞口１０５ａに入賞するパチンコ球が事前に前記第１ゲート部１０２を通過する従来にない新たな遊技性を創出することができる。
【０１５１】
また、第１ゲート部１０２に対応した第１ゲートセンサ８０によるパチンコ球の検出に伴う普図当り判定の判定結果に関わらず、第１始動入賞口１０５ａが常時開口する第１始動入賞部１０５を第１ゲート部１０２のゲート出口１０２ｂの下方に配置することで、第１ゲート部１０２へのパチンコ球の入球と第１始動入賞口１０５ａへの入賞とを１つのパチンコ球により同時に実現することができる。このように、常時開口する第１始動入賞部１０５を第１ゲート部１０２のゲート出口１０２ｂの下方に配置することにより、第１始動入賞口１０５ａへの入賞に伴い特図当り遊技(大当り遊技や小当り遊技)が生起される期待を持たせると同時に、当該常時開口した第１始動入賞口１０５ａに入賞する前にパチンコ球が第１ゲート部１０２を通過することに伴って第２始動入賞部１０６の始動口開閉部材１０７が開放作動される期待を持たせることができる。また、第１ゲート部１０２、第１始動入賞部１０５および第２始動入賞部１０６を備えた単一のユニット部材として始動入賞ユニット１００を構成してあるから、各構成の相対位置を一定にすることができ、パチンコ球による同時入賞を無理なく実現し得ると共に、装置の組み付け作業性の向上を図り得る利点がある。
【０１５２】
また、実施例のパチンコ機１０では、前記第１始動入賞部１０５に対応した第１始動入賞検出センサ８３によるパチンコ球の検出を契機としてメイン制御ＣＰＵ６０ａが特図当り判定を行う場合に、特殊入賞部２２０の特殊入賞口２２０ａが開放される小当りに当選する確率(実施例では１／４２０．１０)よりも、前記第２始動入賞部１０６に対応した第２始動入賞検出センサ８４によるパチンコ球の検出を契機としてメイン制御ＣＰＵ６０ａが特図当り判定を行う場合に、特殊入賞部２２０の特殊入賞口２２０ａが開放される小当りに当選する確率(実施例では約１／５)の方が高くなるよう設定されている。すなわち、前記第１始動入賞部１０５に対応した第１始動入賞検出センサ８３によるパチンコ球の検出を契機として特図当り判定が行われるよりも、前記第２始動入賞部１０６に対応した第２始動入賞検出センサ８４によるパチンコ球の検出を契機として特図当り判定が行われる場合の方が、メイン制御ＣＰＵ６０ａが肯定判定(小当り判定)する割合が高くなっている。
【０１５３】
このように、常時開口した第１始動入賞部１０５の第１始動入賞口１０５ａにパチンコ球が入賞した際には、当該第１始動入賞口１０５ａへのパチンコ球の入賞に起因した特図当り判定条件の成立に伴って当り遊技(大当り遊技や小当り遊技)が生起される期待感が得られるだけでなく、当該第１始動入賞口１０５ａへの入賞の前に第１ゲート部１０２をパチンコ球が通過することで、第２始動入賞部１０６の第２始動入賞口１０６ａが開放して特殊入賞部２２０の特殊入賞開閉部材２２２が開放作動される期待感を高めることができる。また、特殊入賞開閉部材２２２の開放作動に伴い特殊入賞部２２０の特殊入賞口２２０ａに入賞したパチンコ球が特定領域としての第１分岐通路２２６を通過することで、当該特殊入賞部２２０を開放する小当り遊技に引き続いて特別入賞部２４０の特別入賞開閉部材２４２が開放作動する継続大当り遊技が生起される。このように、第１始動入賞部１０５の第１始動入賞口１０５ａにパチンコ球が入賞するのに伴って、特別入賞部２４０の特別入賞口２４０ａにパチンコ球を入賞させ得る大当り遊技(通常大当り遊技および継続大当り遊技)が生起される複数の異なった機会を創出することが可能でき、遊技の興趣を高めることができる。
【０１５４】
ここで、前記特殊入賞部２２０は、特殊入賞口２２０ａに入賞したパチンコ球が特定領域としての第１分岐通路２２６を概ね１／５の確率で通過する動作態様で前記振分体２３０が第１姿勢および第２姿勢に切り替わるよう作動される。すなわち、実施例のパチンコ機１０では、第２始動入賞部１０６が開放作動して第２始動入賞口１０６ａにパチンコ球が入賞することで、小当りに当選する確率(実施例では１／５)および特殊入賞口２２０ａに入賞したパチンコ球が特定領域としての第１分岐通路２２６を通過する確率(実施例では１／５)を掛け合わせた確率(１／２５)で継続大当り遊技が生起され、前記第１始動入賞部１０５に対応した第１始動入賞検出センサ８３によるパチンコ球の検出を契機としてメイン制御ＣＰＵ６０ａが特図当り判定を行って大当りに当選する確率(実施例では１／２９９．２５)と比べて極めて高確率で継続大当り遊技が生起されるようになっている。これにより、第１ゲート部１０２へのパチンコ球の入球と第１始動入賞口１０５ａへの入賞とを１つのパチンコ球により同時に実現することで、第１始動入賞口１０５ａへの入賞に伴い特図当り遊技(大当り遊技や小当り遊技)が生起される期待を持たせると同時に、より高確率で継続大当り遊技が生起される第２始動入賞部１０６の始動口開閉部材１０７が開放作動されることへの関心を高めることができる。このため、第１始動入賞口１０５ａへの入賞に伴って行われる特図変動表示(図柄表示演出)だけでなく、第１ゲート部１０２への入球に伴って行われる普図変動表示に対する関心を高め、遊技の興趣を増大することができる。また、図柄表示装置１７において第１ゲート部１０２への入球に伴って行われる普図変動に合わせて図柄表示装置１７において第２始動入賞部１０６が開放作動するか否かに関する演出を行うようにすることで、一層遊技の興趣を高めることも可能となる。
【０１５５】
また、前記第１ゲート部１０２のゲート入口１０２ａは、第１の球流下領域２１ａを流下したパチンコ球が入可能な位置に位置し、第２始動入賞部１０６の第２始動入賞口１０６ａは、第１の球流下領域２１ａおよび第２の球流下領域２１ｂの両方を流下したパチンコ球が入賞可能な位置に位置するように遊技盤２０に配置されている。このため、遊技盤２０の遊技領域２１における第１の球流下領域２１ａにパチンコ球を打ち出して流下させる遊技形態(左打ち遊技)からパチンコ球の打ち出し位置を変更することなく、パチンコ球をゲート入口１０２ａに入球させ得ると共に第２始動入賞口１０６ａに入賞させ得るから、遊技に煩わしさがなく、また不慣れな遊技者でも戸惑いなく所期の遊技を楽しむことができる。
【０１５６】
また、前記特殊入賞部２２０は、第２の球流下領域２１ｂを流下したパチンコ球が入可能な位置に特殊入賞口２２０ａが開口するよう設けられている。このため、非変短状態において左打ち遊技を行っている際に特殊入賞部２２０を開放作動する小当り遊技に当選した場合には、遊技盤２０に形成された第２の球流下領域２１ｂにパチンコ球を打ち出して流下させる右打ち遊技に切り替えて遊技が行われる。このように、小当り遊技に伴って能動的に遊技形態を切り替えて遊技を行うようにすることで、遊技に対する遊技者の関心を維持することができる。
【０１５７】
ここで、非変短状態で小当り遊技に当選した場合には、特殊入賞部２２０を開放作動する前に、小当り遊技に当選したこと(特殊入賞部２２０が開放作動すること)を報知するオープニング演出が行われることで、左打ち遊技から右打ち遊技に遊技形態を切り替えるべきことを遊技者に確実に認識させることができ、適切な遊技形態での遊技を遊技者に行わせて遊技を楽しむことが可能となる。また、大当り遊技(通常の大当り遊技および継続大当り遊技)に伴って開放する特別入賞部２４０を第２の球流下領域２１ｂに設けてあるから、特殊入賞部２２０が開放作動する小当り遊技に伴って左打ち遊技から右打ち遊技に遊技形態を切り替えさせることで、当該特別入賞部２４０が開放作動する可能性(大当りの可能性)が高まっていることを遊技者に実感させることができ、高揚感の高い遊技を行うことができる。そして、小当り遊技において特定領域としての第１分岐通路２２６をパチンコ球が通過した場合には、小当り遊技時の遊技形態(右打ち遊技)からパチンコ球の打ち出し位置を変更することなくそのまま継続大当り遊技を続けることができるから、遊技に煩わしさがなく、不慣れな遊技者でも戸惑いなく遊技を楽しむことができる。
【０１５８】
また、変短状態では、第２の球流下領域２１ｂにパチンコ球を打ち出して流下させる右打ち遊技を行うことで、図２２に示すように、当該第２の球流下領域２１ｂを流下したパチンコ球が第２ゲート部２５０に入球する。そして第２ゲート部２５０のゲート入口１０２ａに入球したパチンコ球が当該第２ゲート部２５０に設けられた第２ゲートセンサ８１により検出されることで、普図当り判定条件が成立して、メイン制御ＣＰＵ６０ａにおいて普図当り判定が行われる。すなわち、第２始動入賞口１０６ａへのパチンコ球の入賞率が向上していない非変短状態では、左打ち遊技により第１始動入賞口１０５ａへのパチンコ球の入賞に伴う大当りの当選を、特別入賞部２４０が開放作動される主要パターンとする遊技を行い得る一方で、第２始動入賞口１０６ａへのパチンコ球の入賞率が向上する変短状態では、右打ち遊技により当該第２始動入賞口１０６ａへのパチンコ球の入賞に伴う小当りの当選および小当り遊技中の継続大当り遊技の当選(特定領域としての第１分岐通路２２６へのパチンコ球の通過)を、特別入賞部２４０が開放作動される主要パターンとする遊技を行うことができ、バリエーションのある遊技を行い得る。
【０１５９】
このように、第１および第２の球流下領域２１ａ,２１ｂの少なくとも一方(実施例では第１の球流下領域２１ａ)を流下したパチンコ球が入可能な位置に第１ゲート部１０２のゲート入口１０２ａが位置し、第１および第２の球流下領域２１ａ,２１ｂの両方を流下したパチンコ球が入賞可能な位置に第２始動入賞部１０６の第２始動入賞口１０６ａが位置するよう前記始動入賞ユニット１００を遊技盤２０に配設したことで、第１の球流下領域２１ａにパチンコ球を流下させる遊技形態と、第２の球流下領域２１ｂにパチンコ球を流下させる遊技形態とで異なった遊技性の遊技を実現できる。また、第２の球流下領域２１ｂを流下するパチンコ球を、案内通路２４７を介して始動入賞ユニット１００の配設領域(合流領域２１ｃ)に一列で案内し、第２の球流下領域２１ｂから配設領域(合流領域２１ｃ)に至ったパチンコ球を、第２の誘導釘群３５により第２始動入賞部１０６の第２始動入賞口１０６ａに向けて誘導することで、始動入賞ユニット１００を利用して従来にない新たな遊技性を創出しするだけでなく、第１の球流下領域２１ａにパチンコ球を流下させる遊技形態と、第２の球流下領域２１ｂにパチンコ球を流下させる遊技形態との遊技性の変化を顕著にして遊技の興趣を高めることが可能となる。
【０１６０】
ここで、前記第２の球流下領域２１ｂを流下したパチンコ球が前記第１および第２の球流下領域２１ａ,２１ｂが合流する前記始動入賞ユニット１００の配設領域(合流領域２１ｃ)に通出する案内通路２４７の球出口２４７ａは、前記第１ゲート部１０２のゲート入口１０２ａよりも下方に位置するよう構成され、当該第２の球流下領域２１ｂを流下したパチンコ球が第１ゲート部１０２に入球しないようになっている。このため、第１の球流下領域２１ａを流下させたパチンコ球は第１ゲート部１０２のゲート入口１０２ａや第２始動入賞部１０６に入球させ得る一方で、第２の球流下領域２１ｂを流下させたパチンコ球は第２始動入賞部１０６にのみ入球させ得る。これにより、第１の球流下領域２１ａにパチンコ球を流下させて、第１始動入賞部１０５の第１始動入賞口１０５ａへの入賞と第１ゲート部１０２のパチンコ球の通過とを１つのパチンコ球により同時に実現可能な新たな遊技性を持った遊技形態と、第２の球流下領域２１ｂにパチンコ球を流下させて第２始動入賞部１０６の第２始動入賞口１０６ａへの集中的な入賞を行わせる遊技性を持った遊技形態とによる遊技を実現できる。そして、第２の球流下領域２１ｂに第２ゲート部２５０を設けることにより、第２の球流下領域２１ｂにパチンコ球を流下させる遊技形態でも、第２始動入賞部１０６への入賞契機を与えることができ、当該形態での遊技を継続して実行することができる。
【０１６１】
また、実施例の遊技盤２０は、前記第１の球流下領域２１ａを流下する過程でパチンコ球が第２始動入賞口１０６ａに向かうことなく第１ゲート部１０２やアウト口２６に向かう経路を、前記第２の球流下領域２１ｂを流下する過程でパチンコ球が第２始動入賞口１０６ａに向かうことなくアウト口２６に向かう経路よりも多く設けてある。すなわち、前記第１の球流下領域２１ａを流下するパチンコ球が前記第２始動入賞部１０６に至る割合よりも、前記第２の球流下領域２１ｂを流下するパチンコ球が第２始動入賞部１０６に至る割合の方が高くなるよう構成されている。これにより、第１ゲート部１０２へのパチンコ球の入球および第１始動入賞部１０５へのパチンコ球の入賞を同時に成立させる遊技性と、第２始動入賞部１０６へのパチンコ球の入賞を主とした遊技性とを区別したメリハリの高い遊技を実現できる。
【０１６２】
また、始動入賞ユニット１００に第１ゲート部１０２および第１始動入賞部１０５を設けて、当該第１ゲート部１０２を通出したパチンコ球を第１始動入賞口１０５ａに入賞させるようにすることで、第１ゲート部１０２および第１始動入賞部１０５を遊技盤２０に個別に配置する従来構成のように、第１ゲート部１０２に対応する遊技釘３０の状態確認と、第１始動入賞部１０５に対応する遊技釘３０の状態確認とを別途行う必要がない。すなわち、第１ゲート部１０２を通出したパチンコ球を第１始動入賞口１０５ａに入賞させるようにすることで、遊技盤２０に設けられた遊技釘３０の内で、第１ゲート部１０２のゲート入口１０２ａへのパチンコ球の入球に影響する遊技釘３０の状態を確認するだけで、遊技盤２０に設けられた遊技釘３０が第１始動入賞部１０５の第１始動入賞口１０５ａへのパチンコ球の入賞に及ぼす影響も併せて確認できるから、遊技釘３０の状態確認の手間を軽減することができる。また、第１ゲート部１０２への入球や第１始動入賞部１０５への入賞に影響を与える遊技釘３０が限られることで、遊技盤２０に設けられた遊技釘３０の異常の早期発見に寄与し得る。また、第１ゲート部１０２に対するパチンコ球の通過を制限するように遊技釘３０の傾き等が変更された場合には、同時に第１始動入賞口１０５ａに対するパチンコ球の入賞にも影響する(入賞を制限する)ことに繋がり、パチンコ機１０としての遊技の成立に重大な影響を与えることになるため、遊技釘３０の傾き等を不用意に変更されるのを抑制することができる。
【０１６３】
また、前記始動入賞ユニット１００は、前記第１ゲート部１０２のゲート出口１０２ｂと第１始動入賞部１０５の第１始動入賞口１０５ａとを接続する流入通路１４４に、前記遊技領域２１(第１の球流下領域２１ａ)に連通する内側連通口１４９(連絡通路１４８)が開口するよう設けられているから、流入通路１４４内で球詰まりが生じた場合には内側連通口１４９(連絡通路１４８)を介して器具を流入通路１４４に差し込んで球詰まりを容易に解消することができる。すなわち、始動入賞ユニット１００を遊技盤２０から取り外すことなく流入通路１４４で生じた球詰まりを解消できるから、球詰まり解消に要する作業時間を短縮化し得ると共に、パチンコ機１０を遊技に供し得なくなる不都合を回避することができる。
【０１６４】
また、前記内側連通口１４９を介して流入通路１４４に連通する前記連絡通路１４８は、当該流入通路１４４から離間するにつれて球転動面１４６ａが下方傾斜するよう形成されているから、遊技領域２１に開口する外側連通口１５０から連絡通路１４８に進入したパチンコ球を、当該球転動面１４６ａの傾斜により外側連通口１５０へ転動させることができる。このように、前記流入通路１４４から離間するにつれて下方傾斜するよう連絡通路１４８を形成することで、第１ゲート部１０２を通過していないパチンコ球が第１始動入賞口１０５ａに入賞するのを防止することができる。すなわち、第１ゲート部１０２を通過したパチンコ球だけが基本的に第１始動入賞口１０５ａに入賞し得るようにできるから、第１ゲート部１０２を通過することなく第１始動入賞口１０５ａにパチンコ球が入賞するのを防止して、事前に第１ゲート部１０２を通過したパチンコ球を第１始動入賞口１０５ａに入賞させることが可能になる。すなわち、第１始動入賞口１０５ａへの入賞の発生に伴って異なる２つの判定条件(特図当り判定および普図当り判定)を確実に成立させることができ、従来にない新たな遊技性を創出することが可能となる。
【０１６５】
また、始動入賞ユニット１００には、前記第２始動入賞口１０６ａを挟む左右両側に、第２始動入賞口１０６ａへ向けて下方傾斜する受止め部１２４を設けて、第１の球流下領域２１ａおよび第２の球流下領域２１ｂを流下するパチンコ球を当該受止め部１２４で受け止めて始動入賞口１０５ａ,１０６ａに向けて誘導し得るよう構成したことで、何れの球流下領域２１ａ,２１ｂを流下するパチンコ球でも第２始動入賞口１０６ａへの入賞を高めることができる。しかも、前記受止め部１２４は、前記連絡通路１４８の外側連通口１５０の開口下方に位置するよう設けられているから、当該外側連通口１５０から落下するパチンコ球を第２始動入賞口１０６ａへ導いて入賞させることができる。このため、第１ゲート部１０２を通過したパチンコ球が内側連通口１４９を通って連絡通路１４８から落下した場合であっても、第２始動入賞部１０６の第２始動入賞口１０６ａへの入賞による２つの判定条件(特図当り判定および普図当り判定)が成立する可能性を維持することができ、新たな遊技性の創出を図ることができる。
【０１６６】
(変更例)
なお、遊技機としては、実施例に示したものに限らず、種々の構成を採用可能である。
【０１６７】
(１)  入賞ユニット(始動入賞ユニット)における球通入部(第１ゲート部)の球出口の下方に、始動入賞口が常時開口する固定始動入賞部(第１始動入賞部)を配置するよう構成したが、当該球通入部の球出口の下方に、始動入賞口が開閉手段により開閉される可変始動入賞部(第２始動入賞部)を配置するようにしてもよい。
(２)  実施例の入賞ユニット(始動入賞ユニット)は、球通入部(第１ゲート部)と２つの始動入賞部(第１始動入賞部および第２始動入賞部)とを備えたユニット部材に構成したが、球通入部(第１ゲート部)および少なくとも１つの始動入賞部を備えるようにする構成であってもよい。このとき、入賞ユニットに設ける始動入賞部としては、固定始動入賞部(第１始動入賞部)および可変始動入賞部(第２始動入賞部)でもよい。ここで、入賞ユニットに球通入部と固定始動入賞部(第１始動入賞部)とを設け、当該入賞ユニットとは別に可変始動入賞部(第２始動入賞部)を遊技盤に配設すれば、実施例と同様の遊技性を実現可能な遊技機を構成することができる。また、入賞ユニットに対して固定始動入賞部(第１始動入賞部)や可変始動入賞部(第２始動入賞部)を複数設ける構成とすることもできる。
(３)  実施例では、第１始動入賞部(固定始動入賞部)の下方に第２始動入賞部(可変始動入賞部)を配置するよう構成したが、第１始動入賞部(固定始動入賞部)の左右側方や上方に第２始動入賞部(可変始動入賞部)を配置する構成であってもよい。すなわち、始動入賞口が常時開口して遊技球が入賞可能な第１始動入賞部を球通入部の球出口の下方に配置して、第１および第２球流下領域の何れか一方を流下した遊技球が入球可能な位置に球通入部の球入口が位置するよう構成する共に、第１および第２の球流下領域の両方を流下した遊技球が入賞可能な位置に第２始動入賞部の始動入賞口が位置するよう配置することで、実施例と同様の遊技性を実現可能な遊技機を構成することができる。
(４)  実施例では、球通入部(第１ゲート部)の球出口の鉛直下方に、固定始動入賞部(第１始動入賞部)の始動入賞口が常時開口するよう構成したが、球通入部(第１ゲート部)の球出口に対して、固定始動入賞部(第１始動入賞部)の始動入賞口が左右宝庫に変位して位置するようにしてもよい。この場合に、球通入部(第１ゲート部)の球出口に連通する流入通路の出口に固定始動入賞部(第１始動入賞部)の始動入賞口を接続することで、特図当り判定条件と当該特図当り判定とは異なる別の判定条件とを同時に成立させ得る。
(５)  実施例では、第１球流下領域のみを流下した遊技球が入球可能な位置に球通入部の球入口が位置するよう構成したが、第２球流下領域のみを流下した遊技球が入球可能な位置に球通入部の球入口が位置するよう構成してもよい。この場合には、第２ゲート部を第２球流下領域に配置することで、左打ち遊技の遊技性と右打ち遊技の遊技性とが実施例と判定となる遊技を実現することができる。また第１および第２球流下領域の両方を流下した遊技球が入球可能な位置に球通入部の球入口が位置するよう構成することができる。この場合には、第１球流下領域を流下した遊技球が球通入部の球入口する割合と、第２球流下領域を流下した遊技球が球通入部の球入口する割合とが異なるよう構成することで、左打ち遊技と右打ち遊技とでメリハリのある遊技を実現することができる。すなわち、球通入部の球入口は、第１および第２球流下領域の少なくとも一方を流下した遊技球が入球可能な位置に設けることができる。
(６)  実施例では、球通入部の球出口および始動入賞部の始動入賞口を接続する球通路(流入通路)に、遊技球が通過可能な連通口(内側連通口)が開口するようにしたが、当該連通口を形成しない構成とすることもできる。この場合には、特図当り判定条件と当該特図当り判定とは異なる別の判定条件とを確実に同時に成立させることができる。
(７)  実施例では、前記球通路(流入通路)に開口する連通口(内側連通口)に、球通路(流入通路)から離間するにつれて球転動面が下方傾斜する傾斜通路(連絡通路)が接続するよう構成したが、当該傾斜通路(連絡通路)の球転動面を上方傾斜させるようにしてもよい。この場合には、球通入部の球出口を通過した遊技球を、始動入賞部の始動入賞口に確実に入賞させることができるから、特図当り判定条件および当該特図当り判定とは異なる別の判定条件を同時に成立させることができる。
(８)  実施例では、前記傾斜通路における球転動面の傾斜下端部の下方位置に、上面が前記第２始動入賞部の始動入賞口に向けて下方傾斜する受止め部を形成して、当該傾斜通路から受止め部に移動した遊技球を第２始動入賞部に誘導するよう構成したが、傾斜通路を通過した遊技球が第２始動入賞部に入賞不能または困難になるよう構成してもよい。例えば受止め部の上面を、第２始動入賞部の始動入賞口から離間する方向へ向けて下方傾斜させることで実現できる。これにより、球通入部を通過する遊技球と、球通入部を通過しない遊技球との遊技を明瞭に区別することができる。
(９)  実施例では、遊技球が一列で通過する案内通路を第２の球流下領域に形成して、第２の球流下領域を流下する遊技球を、第１および第２の球流下領域が合流する入賞ユニットの配設領域(第２始動入賞口)に向けて一列で案内するよう構成したが、当該第２の球流下領域を流下する遊技球が複数の経路で入賞ユニットの配設領域(第２始動入賞口)に移動するよう構成することもできる。
(１０)  実施例では、第１始動入賞部に対応した始動検出手段による遊技球の検出を契機として特殊入賞口開放判定(特図当り判定)が行われるよりも、第２始動入賞部に対応した始動検出手段による遊技球の検出を契機として特殊入賞口開放判定(特図当り判定)が行われる場合の方が肯定判定される割合(小当りの当選確率)を高くしたが、両ケースで特殊入賞口開放判定(特図当り判定)が肯定判定される割合を同じ割合(確率)にしてもよい。
(１１)  普図当り判定の判定が普図当り判定の場合に、異なる開閉態様を特定する４種類の開閉パターンの内から１つの開閉パターンを開閉パターン決定手段としてのメイン制御ＣＰＵが決定するようにしたが、これに限られるものではなく、１種類の開閉パターンをメイン制御ＣＰＵが決定するようにしてもよく、また２種類の開閉パターン、３種類の開閉パターンあるいは５種類以上の開閉パターンの内から１つの開閉パターンを開閉パターン決定手段としてのメイン制御ＣＰＵが決定するようにしてもよい。
(１２)  遊技球が一定の確率で入賞可能な第１始動入賞手段と、遊技球の入賞確率を可変可能な第２始動入賞手段とを始動入賞手段として備え、各始動入賞具手段毎に検出手段を設けて個別に遊技球の入賞を検出するよう構成したが、該第１および第２入賞検出手段の入賞検出手段を共通にしてもよい。すなわち、第１始動入賞手段への入賞と、第２入賞検出手段への入賞とを区別しないよう構成してもよい。
(１３)  メイン制御基板が備える機能の全部または一部をサブ制御基板が備えるようにしてもよく、反対にサブ制御基板が備える機能の全部または一部をメイン制御基板が備えるようにしてもよい。そして実施例では、メイン制御基板とサブ制御基板とを分けて設けるようにしたが、単一の制御基板とすることもできる。すなわち、メイン制御基板およびサブ制御基板の機能を、単一の制御基板に設けた制御手段(ＣＰＵ)が備えるようにしてもよい。更に別途制御基板を備えて、実施例のメイン制御基板やサブ制御基板が備える機能の全部または一部を、別の制御基板に備えさせてもよい。
(１４)  演出用の図柄(飾図)を表示する図柄表示手段(図柄表示装置)とは独立して、特図を表示する特図表示手段(特図表示器)を設けるようにしたが、これに限られるものではない。例えば、図柄表示手段において飾図および特図の両方を表示するようにしてもよい。また飾図と特図とを共用して、図柄表示手段に表示するようにしてもよい。
【符号の説明】
【０１６８】
２０  遊技盤
２１  遊技領域
６０ａ  メイン制御ＣＰＵ(特殊入賞口開放判定を行う開放判定手段)
８０  第１ゲートセンサ(通入検出手段)
８３  第１始動入賞検出センサ(始動検出手段)
８４  第２始動入賞検出センサ(始動検出手段)
８８  特定領域検出センサ
１００  始動入賞ユニット(入賞ユニット)
１０２  第１ゲート部(球通入部)
１０２ａ  ゲート入口(球入口)
１０２ｂ  ゲート出口(球出口)
１０５  第１始動入賞部(始動入賞部)
１０５ａ  第１始動入賞口(始動入賞口)
１０６  第２始動入賞部(可変始動入賞部)
１０６ａ  第２始動入賞口(始動入賞口)
１０７  始動口開閉部材(可変始動入賞部の開閉手段)
１４４  流入通路(球通入部および始動入賞部を接続する球通路)
１４６ａ  球受容部の上面(傾斜通路の球転動面)
１４８  連絡通路(傾斜通路)
１４９  内側連通口(連通口)
２２０  特殊入賞部
２２０ａ  特殊入賞口
２２２  特殊入賞開閉部材(特殊入賞部の開閉手段)
２２６  第１分岐通路(特定領域)
２２７  第２分岐通路(非特定領域)
２４０  特別入賞部
２４０ａ  特別入賞口
２４２  特別入賞開閉部材(特別入賞部の開閉手段)
【図１】
2015097766.tif 000003
【図２】
2015097766.tif 000004
【図３】
2015097766.tif 000005
【図４】
2015097766.tif 000006
【図５】
2015097766.tif 000007
【図６】
2015097766.tif 000008
【図７】
2015097766.tif 000009
【図８】
2015097766.tif 000010
【図９】
2015097766.tif 000011
【図１０】
2015097766.tif 000012
【図１１】
2015097766.tif 000013
【図１２】
2015097766.tif 000014
【図１３】
2015097766.tif 000015
【図１４Ａ】
2015097766.tif 000016
【図１４Ｂ】
2015097766.tif 000017
【図１５】
2015097766.tif 000018
【図１６】
2015097766.tif 000019
【図１７】
2015097766.tif 000020
【図１８】
2015097766.tif 000021
【図１９】
2015097766.tif 000022
【図２０】
2015097766.tif 000023
【図２１】
2015097766.tif 000024
【図２２】
2015097766.tif 000025